(57)【要約】【課題】ＬＥＤ照明装置全体の厚さ寸法を増加させることなく、照射方向から見た時に光って見えない部分の割合を低減する。【解決手段】光軸1a',1b',1c'が平行になるようにＬＥＤ光源1a,1b,1cを配置し、ＬＥＤ光源1a,1b,1cからの光を導光する導光レンズ2a,2b,2cを設けたＬＥＤ照明装置100において、導光レンズ2a,2b,2cを同一形状に形成し、導光レンズ2aの下層部2a-1を導光レンズ2bの上層部2b-2及び導光レンズ2cの上層部2c-4によって被覆し、導光レンズ2aの反射面2a4と導光レンズ2bの端面2b14とを相補形状にし、導光レンズ2aの反射面2a8と導光レンズ2bの端面2b20とを相補形状にし、導光レンズ2aの反射面2a4と導光レンズ2cの端面2c17とを相補形状にし、導光レンズ2aの反射面2a8と導光レンズ2cの端面2c23とを相補形状にした。【選択図】図１
2012123906.tif 000002
【特許請求の範囲】
【請求項１】
第１ＬＥＤ光源（１ａ）の光軸（１ａ’）と第２ＬＥＤ光源（１ｂ）の光軸（１ｂ’）と第３ＬＥＤ光源（１ｃ）の光軸（１ｃ’）とが平行になるように、第１ＬＥＤ光源（１ａ）、第２ＬＥＤ光源（１ｂ）および第３ＬＥＤ光源（１ｃ）を配置し、
第１ＬＥＤ光源（１ａ）からの光を導光する第１導光レンズ（２ａ）と、第２ＬＥＤ光源（１ｂ）からの光を導光する第２導光レンズ（２ｂ）と第３ＬＥＤ光源（１ｃ）からの光を導光する第２導光レンズ（２ｃ）とを設けたＬＥＤ照明装置（１００）において、
第１ＬＥＤ光源（１ａ）の光軸（１ａ’）を含む第１導光レンズ（２ａ）の長手方向の断面形状が概略Ｖ字状になるように、第１導光レンズ（２ａ）を形成し、
第１ＬＥＤ光源（１ａ）の光軸（１ａ’）を含む下層部（２ａ−１）と、第１導光レンズ（２ａ）の長手方向の一方の側の第１上層部（２ａ−２）と、下層部（２ａ−１）と第１上層部（２ａ−２）とを接続する第１接続部（２ａ−３）と、第１導光レンズ（２ａ）の長手方向の他方の側の第２上層部（２ａ−４）と、下層部（２ａ−１）と第２上層部（２ａ−４）とを接続する第２接続部（２ａ−５）とに第１導光レンズ（２ａ）を仮想分割し、
第１ＬＥＤ光源（１ａ）の光軸（１ａ’）と第１の角度（θｄ）をなして第１ＬＥＤ光源（１ａ）から照射された光を透過させて第１ＬＥＤ光源（１ａ）の光軸（１ａ’）に概略平行な光にする第１入射面（２ａ１）を第１導光レンズ（２ａ）の下層部（２ａ−１）に形成し、
第１ＬＥＤ光源（１ａ）の光軸（１ａ’）を中心に曲線（ａｂ）を回転させることにより得られる回転面によって第１導光レンズ（２ａ）の第１入射面（２ａ１）を構成し、
第１ＬＥＤ光源（１ａ）の光軸（１ａ’）と第１の角度（θｄ）より大きい第２の角度（θｈ）をなして第１ＬＥＤ光源（１ａ）から照射された光が入射する第２入射面（２ａ２）を第１導光レンズ（２ａ）の下層部（２ａ−１）に形成し、
第１ＬＥＤ光源（１ａ）の光軸（１ａ’）を中心に曲線または直線（ｂｃ）を回転させることにより得られる回転面によって第１導光レンズ（２ａ）の第２入射面（２ａ２）を構成し、
第１ＬＥＤ光源（１ａ）から照射され、第１導光レンズ（２ａ）の第２入射面（２ａ２）を透過した光を反射して第１ＬＥＤ光源（１ａ）の光軸（１ａ’）に概略平行な光にする第１反射面（２ａ３）を第１導光レンズ（２ａ）の下層部（２ａ−１）に形成し、
第１ＬＥＤ光源（１ａ）の光軸（１ａ’）を中心に直線または曲線（ｃｄ）を回転させることにより得られる回転面によって第１導光レンズ（２ａ）の第１反射面（２ａ３）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の一方の側に進む光にする第２反射面（２ａ４）を第１導光レンズ（２ａ）の下層部（２ａ−１）に形成し、
第１ＬＥＤ光源（１ａ）の光軸（１ａ’）と４５°をなす平面によって第１導光レンズ（２ａ）の第２反射面（２ａ４）を構成し、
第１ＬＥＤ光源（１ａ）から照射され、第１導光レンズ（２ａ）の第１入射面（２ａ１）を透過し、第１導光レンズ（２ａ）の第２反射面（２ａ４）によって反射された光を反射して、第１ＬＥＤ光源（１ａ）の光軸（１ａ’）に概略平行な光にする第３反射面（２ａ５ｄ）を第１導光レンズ（２ａ）の第１接続部（２ａ−３）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第３反射面（２ａ５ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第２反射面（２ａ４）によって反射された光を反射して、第１ＬＥＤ光源（１ａ）の光軸（１ａ’）に概略平行な光にする第４反射面（２ａ５ｈ）を第１導光レンズ（２ａ）の第１上層部（２ａ−２）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第４反射面（２ａ５ｈ）を構成し、
第１導光レンズ（２ａ）の第３反射面（２ａ５ｄ）からの光および第１導光レンズ（２ａ）の第４反射面（２ａ５ｈ）からの光を透過させてＬＥＤ照明装置（１００）の照射方向に照射する第１出射面（２ａ７）を第１導光レンズ（２ａ）の第１接続部（２ａ−３）および第１上層部（２ａ−２）に形成し、
第１導光レンズ（２ａ）の第２反射面（２ａ４）と第３反射面（２ａ５ｄ）と第１出射面（２ａ７）とを接続する第１端面（２ａ１３）を、第１導光レンズ（２ａ）の少なくとも下層部（２ａ−１）および第１接続部（２ａ−３）の短手方向の一方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第１端面（２ａ１３）を構成し、
第１導光レンズ（２ａ）の第４反射面（２ａ５ｈ）と第１出射面（２ａ７）とを接続する第２端面（２ａ１４）を第１導光レンズ（２ａ）の少なくとも第１上層部（２ａ−２）の短手方向の一方の側に形成し、
第１ＬＥＤ光源（１ａ）の光軸（１ａ’）と４５°をなす平面であって、第１導光レンズ（２ａ）の第１端面（２ａ１３）と４５°をなす平面によって第１導光レンズ（２ａ）の第２端面（２ａ１４）を構成し、
第１導光レンズ（２ａ）の第２反射面（２ａ４）と第３反射面（２ａ５ｄ）と第１出射面（２ａ７）とを接続する第３端面（２ａ１９）を、第１導光レンズ（２ａ）の少なくとも下層部（２ａ−１）および第１接続部（２ａ−３）の短手方向の他方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第３端面（２ａ１９）を構成し、
第１導光レンズ（２ａ）の第４反射面（２ａ５ｈ）と第１出射面（２ａ７）とを接続する第４端面（２ａ２０）を第１導光レンズ（２ａ）の少なくとも第１上層部（２ａ−２）の短手方向の他方の側に形成し、
第１ＬＥＤ光源（１ａ）の光軸（１ａ’）と４５°をなす平面であって、第１導光レンズ（２ａ）の第３端面（２ａ１９）と４５°をなす平面によって第１導光レンズ（２ａ）の第４端面（２ａ２０）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の他方の側に進む光にする第５反射面（２ａ８）を第１導光レンズ（２ａ）の下層部（２ａ−１）に形成し、
第１ＬＥＤ光源（１ａ）の光軸（１ａ’）と４５°をなす平面であって、第１導光レンズ（２ａ）の第２反射面（２ａ４）に垂直な平面によって第１導光レンズ（２ａ）の第５反射面（２ａ８）を構成し、
第１ＬＥＤ光源（１ａ）から照射され、第１導光レンズ（２ａ）の第１入射面（２ａ１）を透過し、第１導光レンズ（２ａ）の第５反射面（２ａ８）によって反射された光を反射して、第１ＬＥＤ光源（１ａ）の光軸（１ａ’）に概略平行な光にする第６反射面（２ａ９ｄ）を第１導光レンズ（２ａ）の第２接続部（２ａ−５）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第６反射面（２ａ９ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第５反射面（２ａ８）によって反射された光を反射して、第１ＬＥＤ光源（１ａ）の光軸（１ａ’）に概略平行な光にする第７反射面（２ａ９ｈ）を第１導光レンズ（２ａ）の第２上層部（２ａ−４）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第７反射面（２ａ９ｈ）を構成し、
第１導光レンズ（２ａ）の第６反射面（２ａ９ｄ）からの光および第１導光レンズ（２ａ）の第７反射面（２ａ９ｈ）からの光を透過させてＬＥＤ照明装置（１００）の照射方向に照射する第２出射面（２ａ１１）を第１導光レンズ（２ａ）の第２接続部（２ａ−５）および第２上層部（２ａ−４）に形成し、
第１導光レンズ（２ａ）の第５反射面（２ａ８）と第６反射面（２ａ９ｄ）と第２出射面（２ａ１１）とを接続する第５端面（２ａ１６）を、第１導光レンズ（２ａ）の少なくとも下層部（２ａ−１）および第２接続部（２ａ−５）の短手方向の一方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第５端面（２ａ１６）を構成し、
第１導光レンズ（２ａ）の第７反射面（２ａ９ｈ）と第２出射面（２ａ１１）とを接続する第６端面（２ａ１７）を第１導光レンズ（２ａ）の少なくとも第２上層部（２ａ−４）の短手方向の一方の側に形成し、
第１ＬＥＤ光源（１ａ）の光軸（１ａ’）と４５°をなす平面であって、第１導光レンズ（２ａ）の第５端面（２ａ１６）と４５°をなす平面によって第１導光レンズ（２ａ）の第６端面（２ａ１７）を構成し、
第１導光レンズ（２ａ）の第５反射面（２ａ８）と第６反射面（２ａ９ｄ）と第２出射面（２ａ１１）とを接続する第７端面（２ａ２２）を、第１導光レンズ（２ａ）の少なくとも下層部（２ａ−１）および第２接続部（２ａ−５）の短手方向の他方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第７端面（２ａ２２）を構成し、
第１導光レンズ（２ａ）の第７反射面（２ａ９ｈ）と第２出射面（２ａ１１）とを接続する第８端面（２ａ２３）を第１導光レンズ（２ａ）の少なくとも第２上層部（２ａ−４）の短手方向の他方の側に形成し、
第１ＬＥＤ光源（１ａ）の光軸（１ａ’）と４５°をなす平面であって、第１導光レンズ（２ａ）の第７端面（２ａ２２）と４５°をなす平面によって第１導光レンズ（２ａ）の第８端面（２ａ２３）を構成し、
第１導光レンズ（２ａ）と第２導光レンズ（２ｂ）と第３導光レンズ（２ｃ）とを同一形状に形成し、
第１導光レンズ（２ａ）の第２反射面（２ａ４）と第２導光レンズ（２ｂ）の第２端面（２ｂ１４）とが対向し、かつ、第１導光レンズ（２ａ）の第５反射面（２ａ８）と第２導光レンズ（２ｂ）の第４端面（２ｂ２０）とが対向するように、第１導光レンズ（２ａ）の下層部（２ａ−１）のうち、第１導光レンズ（２ａ）の短手方向の一方の側の部分（２ａ−１ａ）を、第２導光レンズ（２ｂ）の第１上層部（２ｂ−２）によって被覆し、
第１導光レンズ（２ａ）の第２反射面（２ａ４）と第３導光レンズ（２ｃ）の第６端面（２ｃ１７）とが対向し、かつ、第１導光レンズ（２ａ）の第５反射面（２ａ８）と第３導光レンズ（２ｃ）の第８端面（２ｃ２３）とが対向するように、第１導光レンズ（２ａ）の下層部（２ａ−１）のうち、第１導光レンズ（２ａ）の短手方向の他方の側の部分（２ａ−１ｂ）を、第３導光レンズ（２ｃ）の第２上層部（２ｃ−４）によって被覆し、
ＬＥＤ照明装置（１００）の照射方向から第１導光レンズ（２ａ）、第２導光レンズ（２ｂ）および第３導光レンズ（２ｃ）を見た時に、少なくとも第１導光レンズ（２ａ）の第３反射面（２ａ５ｄ）からの光および第１導光レンズ（２ａ）の第４反射面（２ａ５ｈ）からの光によって、第１導光レンズ（２ａ）の第１出射面（２ａ７）が光って見え、かつ、少なくとも第１導光レンズ（２ａ）の第６反射面（２ａ９ｄ）からの光および第１導光レンズ（２ａ）の第７反射面（２ａ９ｈ）からの光によって、第１導光レンズ（２ａ）の第２出射面（２ａ１１）が光って見え、かつ、少なくとも第２導光レンズ（２ｂ）の第４反射面（２ｂ５ｈ）からの光によって、第２導光レンズ（２ｂ）の第１出射面（２ｂ７）のうちの第１上層部（２ｂ−２）の部分が光って見え、かつ、少なくとも第３導光レンズ（２ｃ）の第７反射面（２ｃ９ｈ）からの光によって、第３導光レンズ（２ｃ）の第２出射面（２ｃ１１）のうちの第２上層部（２ｃ−４）の部分が光って見え、
第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、
第１ＬＥＤ光源（１ａ）と第１導光レンズ（２ａ）の第１出射部（２ａ７）との第１ＬＥＤ光源（１ａ）の光軸（１ａ’）方向の間隔（Ｓａ１）と、
第１ＬＥＤ光源（１ａ）と第１導光レンズ（２ａ）の第２出射部（２ａ１１）との第１ＬＥＤ光源（１ａ）の光軸（１ａ’）方向の間隔（Ｓａ２）と、
第１ＬＥＤ光源（１ａ）と第２導光レンズ（２ｂ）の第１出射部（２ｂ７）との第１ＬＥＤ光源（１ａ）の光軸（１ａ’）方向の間隔（Ｓｂ１）と、
第１ＬＥＤ光源（１ａ）と第３導光レンズ（２ｃ）の第２出射部（２ｃ１１）との第１ＬＥＤ光源（１ａ）の光軸（１ａ’）方向の間隔（Ｓｃ２）とを等しくしたことを特徴とするＬＥＤ照明装置（１００）。
【請求項２】
第１導光レンズ（２ａ）の第１端面（２ａ１３）と第２端面（２ａ１４）とを、第１ＬＥＤ光源（１ａ）の光軸（１ａ’）と角度をなす概略楔状の第９端面（２ａ１５）によって接続し、
第１導光レンズ（２ａ）の第３端面（２ａ１９）と第４端面（２ａ２０）とを、第１ＬＥＤ光源（１ａ）の光軸（１ａ’）と角度をなす概略楔状の第１０端面（２ａ２１）によって接続し、
第１導光レンズ（２ａ）の第５端面（２ａ１６）と第６端面（２ａ１７）とを、第１ＬＥＤ光源（１ａ）の光軸（１ａ’）と角度をなす概略楔状の第１１端面（２ａ１８）によって接続し、
第１導光レンズ（２ａ）の第７端面（２ａ２２）と第８端面（２ａ２３）とを、第１ＬＥＤ光源（１ａ）の光軸（１ａ’）と角度をなす概略楔状の第１２端面（２ａ２２）によって接続したことを特徴とする請求項１に記載のＬＥＤ照明装置（１００）。
【請求項３】
第１色の光を照射するＬＥＤ光源を第１ＬＥＤ光源（１ａ）として用い、
第１色とは異なる第２色の光を照射するＬＥＤ光源を第２ＬＥＤ光源（１ｂ）および第３ＬＥＤ光源（１ｃ）として用い、
ＬＥＤ照明装置（１００）の照射方向から第１導光レンズ（２ａ）、第２導光レンズ（２ｂ）および第３導光レンズ（２ｃ）を見た時に、
少なくとも第１導光レンズ（２ａ）の第３反射面（２ａ５ｄ）からの第１色の光および第１導光レンズ（２ａ）の第４反射面（２ａ５ｈ）からの第１色の光によって、第１導光レンズ（２ａ）の第１出射面（２ａ７）が第１色に光って見え、
少なくとも第１導光レンズ（２ａ）の第６反射面（２ａ９ｄ）からの第１色の光および第１導光レンズ（２ａ）の第７反射面（２ａ９ｈ）からの第１色の光によって、第１導光レンズ（２ａ）の第２出射面（２ａ１１）が第１色に光って見え、
少なくとも第２導光レンズ（２ｂ）の第３反射面（２ｂ５ｄ）からの第２色の光および第２導光レンズ（２ｂ）の第４反射面（２ｂ５ｈ）からの第２色の光によって、第２導光レンズ（２ｂ）の第１出射面（２ｂ７）が第２色に光って見え、
少なくとも第３導光レンズ（２ｃ）の第６反射面（２ｃ９ｄ）からの第２色の光および第３導光レンズ（２ｃ）の第７反射面（２ｃ９ｈ）からの第２色の光によって、第３導光レンズ（２ｃ）の第２出射面（２ｃ１１）が第２色に光って見えることを特徴とする請求項１又は２に記載のＬＥＤ照明装置（１００）。
【発明の詳細な説明】
【技術分野】
【０００１】
本発明は、第１ＬＥＤ光源の光軸と第２ＬＥＤ光源の光軸と第３ＬＥＤ光源の光軸とが平行になるように、第１ＬＥＤ光源、第２ＬＥＤ光源および第３ＬＥＤ光源を配置し、第１ＬＥＤ光源からの光を導光する第１導光レンズと、第２ＬＥＤ光源からの光を導光する第２導光レンズと、第３ＬＥＤ光源からの光を導光する第２導光レンズとを設け、第１導光レンズと第２導光レンズと第３導光レンズとを同一形状に形成したＬＥＤ照明装置に関する。
【０００２】
特に、本発明は、第１ＬＥＤ光源の光軸方向のＬＥＤ照明装置全体の厚さ寸法を増加させることなく、ＬＥＤ照明装置の照射方向から第１導光レンズ、第２導光レンズおよび第３導光レンズを見た時に光って見えない部分の割合を低減することができるＬＥＤ照明装置に関する。
【背景技術】
【０００３】
従来から、第１ＬＥＤ光源の光軸と第２ＬＥＤ光源の光軸とが平行になるように、第１ＬＥＤ光源および第２ＬＥＤ光源を配置し、第１ＬＥＤ光源からの光を導光する第１導光レンズと、第２ＬＥＤ光源からの光を導光する第２導光レンズとを設け、第１導光レンズと第２導光レンズとを同一形状に形成したＬＥＤ照明装置が知られている。この種のＬＥＤ照明装置の例としては、例えば特許文献１（特開２００８−１６６０７２号公報）の図１０および図１１に記載されたものなどがある。
【０００４】
特許文献１の図１０および図１１に記載されたＬＥＤ照明装置では、第１ＬＥＤ光源から照射され、第１導光レンズの入射面を透過した光の一部が、第１導光レンズの第１反射面によって反射されて第１ＬＥＤ光源の光軸に概略垂直な平面内を進む光になり、次いで、第１導光レンズの第２反射面によって反射されて第１ＬＥＤ光源の光軸に概略平行な光になり、次いで、第１導光レンズの出射面から出射し、次いで、第２導光レンズのうち、第２導光レンズの出射面以外の一部分を透過し、ＬＥＤ照明装置の照射方向に照射される。
【０００５】
更に、特許文献１の図１０および図１１に記載されたＬＥＤ照明装置では、第２ＬＥＤ光源から照射され、第２導光レンズの入射面を透過した光の一部が、第２導光レンズの第１反射面によって反射されて第２ＬＥＤ光源の光軸に概略垂直な平面内を進む光になり、次いで、第２導光レンズの第２反射面によって反射されて第２ＬＥＤ光源の光軸に概略平行な光になり、次いで、第２導光レンズの出射面から出射し、ＬＥＤ照明装置の照射方向に照射される。
【０００６】
つまり、特許文献１の図１０および図１１に記載されたＬＥＤ照明装置では、ＬＥＤ照明装置の照射方向から第２導光レンズを見た時に、第２ＬＥＤ光源からの光によって第２導光レンズの出射面が光って見えると共に、第１ＬＥＤ光源からの光によって第２導光レンズの出射面以外の一部分が光って見える。
【０００７】
そのため、特許文献１の図１０および図１１に記載されたＬＥＤ照明装置では、第１ＬＥＤ光源からの光の一部が第２導光レンズを透過するように第１ＬＥＤ光源、第２ＬＥＤ光源、第１導光レンズおよび第２導光レンズが配置されてしない場合よりも、ＬＥＤ照明装置の照射方向から第２導光レンズを見た時に光って見えない部分の割合を低減することができる。
【先行技術文献】
【特許文献】
【０００８】
【特許文献１】特開２００８−１６６０７２号公報
【発明の概要】
【発明が解決しようとする課題】
【０００９】
ところで、特許文献１の図１０および図１１に記載されたＬＥＤ照明装置では、ＬＥＤ照明装置の照射方向から第２導光レンズを見た時に光って見えない部分の割合を低減するために、第１導光レンズの出射面が、第２導光レンズのうち、出射面以外の一部分によって覆われている。
【００１０】
すなわち、特許文献１の図１０および図１１に記載されたＬＥＤ照明装置では、第２導光レンズが、第１導光レンズの出射面よりもＬＥＤ照明装置の照射方向に突出せしめられている。換言すれば、第２導光レンズが、第１導光レンズよりも、第１ＬＥＤ光源の光軸方向に第１ＬＥＤ光源から離れた位置に配置されている。そのため、特許文献１の図１０および図１１に記載されたＬＥＤ照明装置では、ＬＥＤ照明装置の照射方向（第１ＬＥＤ光源の光軸方向）のＬＥＤ照明装置全体の厚さ寸法が増大してしまう。
【００１１】
前記問題点に鑑み、第１ＬＥＤ光源の光軸方向のＬＥＤ照明装置全体の厚さ寸法を増加させることなく、ＬＥＤ照明装置の照射方向から第１導光レンズ、第２導光レンズおよび第３導光レンズを見た時に光って見えない部分の割合を低減することができるＬＥＤ照明装置を提供することを目的とする。
【課題を解決するための手段】
【００１２】
請求項１に記載の発明によれば、第１ＬＥＤ光源（１ａ）の光軸（１ａ’）と第２ＬＥＤ光源（１ｂ）の光軸（１ｂ’）と第３ＬＥＤ光源（１ｃ）の光軸（１ｃ’）とが平行になるように、第１ＬＥＤ光源（１ａ）、第２ＬＥＤ光源（１ｂ）および第３ＬＥＤ光源（１ｃ）を配置し、
第１ＬＥＤ光源（１ａ）からの光を導光する第１導光レンズ（２ａ）と、第２ＬＥＤ光源（１ｂ）からの光を導光する第２導光レンズ（２ｂ）と第３ＬＥＤ光源（１ｃ）からの光を導光する第２導光レンズ（２ｃ）とを設けたＬＥＤ照明装置（１００）において、
第１ＬＥＤ光源（１ａ）の光軸（１ａ’）を含む第１導光レンズ（２ａ）の長手方向の断面形状が概略Ｖ字状になるように、第１導光レンズ（２ａ）を形成し、
第１ＬＥＤ光源（１ａ）の光軸（１ａ’）を含む下層部（２ａ−１）と、第１導光レンズ（２ａ）の長手方向の一方の側の第１上層部（２ａ−２）と、下層部（２ａ−１）と第１上層部（２ａ−２）とを接続する第１接続部（２ａ−３）と、第１導光レンズ（２ａ）の長手方向の他方の側の第２上層部（２ａ−４）と、下層部（２ａ−１）と第２上層部（２ａ−４）とを接続する第２接続部（２ａ−５）とに第１導光レンズ（２ａ）を仮想分割し、
第１ＬＥＤ光源（１ａ）の光軸（１ａ’）と第１の角度（θｄ）をなして第１ＬＥＤ光源（１ａ）から照射された光を透過させて第１ＬＥＤ光源（１ａ）の光軸（１ａ’）に概略平行な光にする第１入射面（２ａ１）を第１導光レンズ（２ａ）の下層部（２ａ−１）に形成し、
第１ＬＥＤ光源（１ａ）の光軸（１ａ’）を中心に曲線（ａｂ）を回転させることにより得られる回転面によって第１導光レンズ（２ａ）の第１入射面（２ａ１）を構成し、
第１ＬＥＤ光源（１ａ）の光軸（１ａ’）と第１の角度（θｄ）より大きい第２の角度（θｈ）をなして第１ＬＥＤ光源（１ａ）から照射された光が入射する第２入射面（２ａ２）を第１導光レンズ（２ａ）の下層部（２ａ−１）に形成し、
第１ＬＥＤ光源（１ａ）の光軸（１ａ’）を中心に曲線または直線（ｂｃ）を回転させることにより得られる回転面によって第１導光レンズ（２ａ）の第２入射面（２ａ２）を構成し、
第１ＬＥＤ光源（１ａ）から照射され、第１導光レンズ（２ａ）の第２入射面（２ａ２）を透過した光を反射して第１ＬＥＤ光源（１ａ）の光軸（１ａ’）に概略平行な光にする第１反射面（２ａ３）を第１導光レンズ（２ａ）の下層部（２ａ−１）に形成し、
第１ＬＥＤ光源（１ａ）の光軸（１ａ’）を中心に直線または曲線（ｃｄ）を回転させることにより得られる回転面によって第１導光レンズ（２ａ）の第１反射面（２ａ３）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の一方の側に進む光にする第２反射面（２ａ４）を第１導光レンズ（２ａ）の下層部（２ａ−１）に形成し、
第１ＬＥＤ光源（１ａ）の光軸（１ａ’）と４５°をなす平面によって第１導光レンズ（２ａ）の第２反射面（２ａ４）を構成し、
第１ＬＥＤ光源（１ａ）から照射され、第１導光レンズ（２ａ）の第１入射面（２ａ１）を透過し、第１導光レンズ（２ａ）の第２反射面（２ａ４）によって反射された光を反射して、第１ＬＥＤ光源（１ａ）の光軸（１ａ’）に概略平行な光にする第３反射面（２ａ５ｄ）を第１導光レンズ（２ａ）の第１接続部（２ａ−３）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第３反射面（２ａ５ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第２反射面（２ａ４）によって反射された光を反射して、第１ＬＥＤ光源（１ａ）の光軸（１ａ’）に概略平行な光にする第４反射面（２ａ５ｈ）を第１導光レンズ（２ａ）の第１上層部（２ａ−２）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第４反射面（２ａ５ｈ）を構成し、
第１導光レンズ（２ａ）の第３反射面（２ａ５ｄ）からの光および第１導光レンズ（２ａ）の第４反射面（２ａ５ｈ）からの光を透過させてＬＥＤ照明装置（１００）の照射方向に照射する第１出射面（２ａ７）を第１導光レンズ（２ａ）の第１接続部（２ａ−３）および第１上層部（２ａ−２）に形成し、
第１導光レンズ（２ａ）の第２反射面（２ａ４）と第３反射面（２ａ５ｄ）と第１出射面（２ａ７）とを接続する第１端面（２ａ１３）を、第１導光レンズ（２ａ）の少なくとも下層部（２ａ−１）および第１接続部（２ａ−３）の短手方向の一方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第１端面（２ａ１３）を構成し、
第１導光レンズ（２ａ）の第４反射面（２ａ５ｈ）と第１出射面（２ａ７）とを接続する第２端面（２ａ１４）を第１導光レンズ（２ａ）の少なくとも第１上層部（２ａ−２）の短手方向の一方の側に形成し、
第１ＬＥＤ光源（１ａ）の光軸（１ａ’）と４５°をなす平面であって、第１導光レンズ（２ａ）の第１端面（２ａ１３）と４５°をなす平面によって第１導光レンズ（２ａ）の第２端面（２ａ１４）を構成し、
第１導光レンズ（２ａ）の第２反射面（２ａ４）と第３反射面（２ａ５ｄ）と第１出射面（２ａ７）とを接続する第３端面（２ａ１９）を、第１導光レンズ（２ａ）の少なくとも下層部（２ａ−１）および第１接続部（２ａ−３）の短手方向の他方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第３端面（２ａ１９）を構成し、
第１導光レンズ（２ａ）の第４反射面（２ａ５ｈ）と第１出射面（２ａ７）とを接続する第４端面（２ａ２０）を第１導光レンズ（２ａ）の少なくとも第１上層部（２ａ−２）の短手方向の他方の側に形成し、
第１ＬＥＤ光源（１ａ）の光軸（１ａ’）と４５°をなす平面であって、第１導光レンズ（２ａ）の第３端面（２ａ１９）と４５°をなす平面によって第１導光レンズ（２ａ）の第４端面（２ａ２０）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の他方の側に進む光にする第５反射面（２ａ８）を第１導光レンズ（２ａ）の下層部（２ａ−１）に形成し、
第１ＬＥＤ光源（１ａ）の光軸（１ａ’）と４５°をなす平面であって、第１導光レンズ（２ａ）の第２反射面（２ａ４）に垂直な平面によって第１導光レンズ（２ａ）の第５反射面（２ａ８）を構成し、
第１ＬＥＤ光源（１ａ）から照射され、第１導光レンズ（２ａ）の第１入射面（２ａ１）を透過し、第１導光レンズ（２ａ）の第５反射面（２ａ８）によって反射された光を反射して、第１ＬＥＤ光源（１ａ）の光軸（１ａ’）に概略平行な光にする第６反射面（２ａ９ｄ）を第１導光レンズ（２ａ）の第２接続部（２ａ−５）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第６反射面（２ａ９ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第５反射面（２ａ８）によって反射された光を反射して、第１ＬＥＤ光源（１ａ）の光軸（１ａ’）に概略平行な光にする第７反射面（２ａ９ｈ）を第１導光レンズ（２ａ）の第２上層部（２ａ−４）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第７反射面（２ａ９ｈ）を構成し、
第１導光レンズ（２ａ）の第６反射面（２ａ９ｄ）からの光および第１導光レンズ（２ａ）の第７反射面（２ａ９ｈ）からの光を透過させてＬＥＤ照明装置（１００）の照射方向に照射する第２出射面（２ａ１１）を第１導光レンズ（２ａ）の第２接続部（２ａ−５）および第２上層部（２ａ−４）に形成し、
第１導光レンズ（２ａ）の第５反射面（２ａ８）と第６反射面（２ａ９ｄ）と第２出射面（２ａ１１）とを接続する第５端面（２ａ１６）を、第１導光レンズ（２ａ）の少なくとも下層部（２ａ−１）および第２接続部（２ａ−５）の短手方向の一方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第５端面（２ａ１６）を構成し、
第１導光レンズ（２ａ）の第７反射面（２ａ９ｈ）と第２出射面（２ａ１１）とを接続する第６端面（２ａ１７）を第１導光レンズ（２ａ）の少なくとも第２上層部（２ａ−４）の短手方向の一方の側に形成し、
第１ＬＥＤ光源（１ａ）の光軸（１ａ’）と４５°をなす平面であって、第１導光レンズ（２ａ）の第５端面（２ａ１６）と４５°をなす平面によって第１導光レンズ（２ａ）の第６端面（２ａ１７）を構成し、
第１導光レンズ（２ａ）の第５反射面（２ａ８）と第６反射面（２ａ９ｄ）と第２出射面（２ａ１１）とを接続する第７端面（２ａ２２）を、第１導光レンズ（２ａ）の少なくとも下層部（２ａ−１）および第２接続部（２ａ−５）の短手方向の他方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第７端面（２ａ２２）を構成し、
第１導光レンズ（２ａ）の第７反射面（２ａ９ｈ）と第２出射面（２ａ１１）とを接続する第８端面（２ａ２３）を第１導光レンズ（２ａ）の少なくとも第２上層部（２ａ−４）の短手方向の他方の側に形成し、
第１ＬＥＤ光源（１ａ）の光軸（１ａ’）と４５°をなす平面であって、第１導光レンズ（２ａ）の第７端面（２ａ２２）と４５°をなす平面によって第１導光レンズ（２ａ）の第８端面（２ａ２３）を構成し、
第１導光レンズ（２ａ）と第２導光レンズ（２ｂ）と第３導光レンズ（２ｃ）とを同一形状に形成し、
第１導光レンズ（２ａ）の第２反射面（２ａ４）と第２導光レンズ（２ｂ）の第２端面（２ｂ１４）とが対向し、かつ、第１導光レンズ（２ａ）の第５反射面（２ａ８）と第２導光レンズ（２ｂ）の第４端面（２ｂ２０）とが対向するように、第１導光レンズ（２ａ）の下層部（２ａ−１）のうち、第１導光レンズ（２ａ）の短手方向の一方の側の部分（２ａ−１ａ）を、第２導光レンズ（２ｂ）の第１上層部（２ｂ−２）によって被覆し、
第１導光レンズ（２ａ）の第２反射面（２ａ４）と第３導光レンズ（２ｃ）の第６端面（２ｃ１７）とが対向し、かつ、第１導光レンズ（２ａ）の第５反射面（２ａ８）と第３導光レンズ（２ｃ）の第８端面（２ｃ２３）とが対向するように、第１導光レンズ（２ａ）の下層部（２ａ−１）のうち、第１導光レンズ（２ａ）の短手方向の他方の側の部分（２ａ−１ｂ）を、第３導光レンズ（２ｃ）の第２上層部（２ｃ−４）によって被覆し、
ＬＥＤ照明装置（１００）の照射方向から第１導光レンズ（２ａ）、第２導光レンズ（２ｂ）および第３導光レンズ（２ｃ）を見た時に、少なくとも第１導光レンズ（２ａ）の第３反射面（２ａ５ｄ）からの光および第１導光レンズ（２ａ）の第４反射面（２ａ５ｈ）からの光によって、第１導光レンズ（２ａ）の第１出射面（２ａ７）が光って見え、かつ、少なくとも第１導光レンズ（２ａ）の第６反射面（２ａ９ｄ）からの光および第１導光レンズ（２ａ）の第７反射面（２ａ９ｈ）からの光によって、第１導光レンズ（２ａ）の第２出射面（２ａ１１）が光って見え、かつ、少なくとも第２導光レンズ（２ｂ）の第４反射面（２ｂ５ｈ）からの光によって、第２導光レンズ（２ｂ）の第１出射面（２ｂ７）のうちの第１上層部（２ｂ−２）の部分が光って見え、かつ、少なくとも第３導光レンズ（２ｃ）の第７反射面（２ｃ９ｈ）からの光によって、第３導光レンズ（２ｃ）の第２出射面（２ｃ１１）のうちの第２上層部（２ｃ−４）の部分が光って見え、
第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、
第１ＬＥＤ光源（１ａ）と第１導光レンズ（２ａ）の第１出射部（２ａ７）との第１ＬＥＤ光源（１ａ）の光軸（１ａ’）方向の間隔（Ｓａ１）と、
第１ＬＥＤ光源（１ａ）と第１導光レンズ（２ａ）の第２出射部（２ａ１１）との第１ＬＥＤ光源（１ａ）の光軸（１ａ’）方向の間隔（Ｓａ２）と、
第１ＬＥＤ光源（１ａ）と第２導光レンズ（２ｂ）の第１出射部（２ｂ７）との第１ＬＥＤ光源（１ａ）の光軸（１ａ’）方向の間隔（Ｓｂ１）と、
第１ＬＥＤ光源（１ａ）と第３導光レンズ（２ｃ）の第２出射部（２ｃ１１）との第１ＬＥＤ光源（１ａ）の光軸（１ａ’）方向の間隔（Ｓｃ２）とを等しくしたことを特徴とするＬＥＤ照明装置（１００）が提供される。
【００１３】
請求項２に記載の発明によれば、第１導光レンズ（２ａ）の第１端面（２ａ１３）と第２端面（２ａ１４）とを、第１ＬＥＤ光源（１ａ）の光軸（１ａ’）と角度をなす概略楔状の第９端面（２ａ１５）によって接続し、
第１導光レンズ（２ａ）の第３端面（２ａ１９）と第４端面（２ａ２０）とを、第１ＬＥＤ光源（１ａ）の光軸（１ａ’）と角度をなす概略楔状の第１０端面（２ａ２１）によって接続し、
第１導光レンズ（２ａ）の第５端面（２ａ１６）と第６端面（２ａ１７）とを、第１ＬＥＤ光源（１ａ）の光軸（１ａ’）と角度をなす概略楔状の第１１端面（２ａ１８）によって接続し、
第１導光レンズ（２ａ）の第７端面（２ａ２２）と第８端面（２ａ２３）とを、第１ＬＥＤ光源（１ａ）の光軸（１ａ’）と角度をなす概略楔状の第１２端面（２ａ２２）によって接続したことを特徴とする請求項１に記載のＬＥＤ照明装置（１００）が提供される。
【００１４】
請求項３に記載の発明によれば、第１色の光を照射するＬＥＤ光源を第１ＬＥＤ光源（１ａ）として用い、
第１色とは異なる第２色の光を照射するＬＥＤ光源を第２ＬＥＤ光源（１ｂ）および第３ＬＥＤ光源（１ｃ）として用い、
ＬＥＤ照明装置（１００）の照射方向から第１導光レンズ（２ａ）、第２導光レンズ（２ｂ）および第３導光レンズ（２ｃ）を見た時に、
少なくとも第１導光レンズ（２ａ）の第３反射面（２ａ５ｄ）からの第１色の光および第１導光レンズ（２ａ）の第４反射面（２ａ５ｈ）からの第１色の光によって、第１導光レンズ（２ａ）の第１出射面（２ａ７）が第１色に光って見え、
少なくとも第１導光レンズ（２ａ）の第６反射面（２ａ９ｄ）からの第１色の光および第１導光レンズ（２ａ）の第７反射面（２ａ９ｈ）からの第１色の光によって、第１導光レンズ（２ａ）の第２出射面（２ａ１１）が第１色に光って見え、
少なくとも第２導光レンズ（２ｂ）の第３反射面（２ｂ５ｄ）からの第２色の光および第２導光レンズ（２ｂ）の第４反射面（２ｂ５ｈ）からの第２色の光によって、第２導光レンズ（２ｂ）の第１出射面（２ｂ７）が第２色に光って見え、
少なくとも第３導光レンズ（２ｃ）の第６反射面（２ｃ９ｄ）からの第２色の光および第３導光レンズ（２ｃ）の第７反射面（２ｃ９ｈ）からの第２色の光によって、第３導光レンズ（２ｃ）の第２出射面（２ｃ１１）が第２色に光って見えることを特徴とする請求項１又は２に記載のＬＥＤ照明装置（１００）が提供される。
【発明の効果】
【００１５】
請求項１に記載のＬＥＤ照明装置（１００）では、第１ＬＥＤ光源（１ａ）の光軸（１ａ’）と第２ＬＥＤ光源（１ｂ）の光軸（１ｂ’）と第３ＬＥＤ光源（１ｃ）の光軸（１ｃ’）とが平行になるように、第１ＬＥＤ光源（１ａ）、第２ＬＥＤ光源（１ｂ）および第３ＬＥＤ光源（１ｃ）が配置されている。また、第１ＬＥＤ光源（１ａ）からの光を導光する第１導光レンズ（２ａ）と、第２ＬＥＤ光源（１ｂ）からの光を導光する第２導光レンズ（２ｂ）と第３ＬＥＤ光源（１ｃ）からの光を導光する第２導光レンズ（２ｃ）とが設けられている。
【００１６】
詳細には、請求項１に記載のＬＥＤ照明装置（１００）では、第１ＬＥＤ光源（１ａ）の光軸（１ａ’）を含む第１導光レンズ（２ａ）の長手方向の断面形状が概略Ｖ字状になるように、第１導光レンズ（２ａ）が形成されている。更に、第１ＬＥＤ光源（１ａ）の光軸（１ａ’）を含む下層部（２ａ−１）と、第１導光レンズ（２ａ）の長手方向の一方の側の第１上層部（２ａ−２）と、下層部（２ａ−１）と第１上層部（２ａ−２）とを接続する第１接続部（２ａ−３）と、第１導光レンズ（２ａ）の長手方向の他方の側の第２上層部（２ａ−４）と、下層部（２ａ−１）と第２上層部（２ａ−４）とを接続する第２接続部（２ａ−５）とに第１導光レンズ（２ａ）が仮想分割されている。
【００１７】
また、請求項１に記載のＬＥＤ照明装置（１００）では、第１ＬＥＤ光源（１ａ）の光軸（１ａ’）と第１の角度（θｄ）をなして第１ＬＥＤ光源（１ａ）から照射された光を透過させて第１ＬＥＤ光源（１ａ）の光軸（１ａ’）に概略平行な光にする第１入射面（２ａ１）が第１導光レンズ（２ａ）の下層部（２ａ−１）に形成されている。更に、第１ＬＥＤ光源（１ａ）の光軸（１ａ’）を中心に曲線（ａｂ）を回転させることにより得られる回転面によって第１導光レンズ（２ａ）の第１入射面（２ａ１）が構成されている。
【００１８】
更に、請求項１に記載のＬＥＤ照明装置（１００）では、第１ＬＥＤ光源（１ａ）の光軸（１ａ’）と第１の角度（θｄ）より大きい第２の角度（θｈ）をなして第１ＬＥＤ光源（１ａ）から照射された光が入射する第２入射面（２ａ２）が第１導光レンズ（２ａ）の下層部（２ａ−１）に形成されている。また、第１ＬＥＤ光源（１ａ）の光軸（１ａ’）を中心に曲線または直線（ｂｃ）を回転させることにより得られる回転面によって第１導光レンズ（２ａ）の第２入射面（２ａ２）が構成されている。
【００１９】
また、請求項１に記載のＬＥＤ照明装置（１００）では、第１ＬＥＤ光源（１ａ）から照射され、第１導光レンズ（２ａ）の第２入射面（２ａ２）を透過した光を反射して第１ＬＥＤ光源（１ａ）の光軸（１ａ’）に概略平行な光にする第１反射面（２ａ３）が第１導光レンズ（２ａ）の下層部（２ａ−１）に形成されている。更に、第１ＬＥＤ光源（１ａ）の光軸（１ａ’）を中心に直線または曲線（ｃｄ）を回転させることにより得られる回転面によって第１導光レンズ（２ａ）の第１反射面（２ａ３）が構成されている。
【００２０】
更に、請求項１に記載のＬＥＤ照明装置（１００）では、第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の一方の側に進む光にする第２反射面（２ａ４）が第１導光レンズ（２ａ）の下層部（２ａ−１）に形成されている。また、第１ＬＥＤ光源（１ａ）の光軸（１ａ’）と４５°をなす平面によって第１導光レンズ（２ａ）の第２反射面（２ａ４）が構成されている。
【００２１】
また、請求項１に記載のＬＥＤ照明装置（１００）では、第１ＬＥＤ光源（１ａ）から照射され、第１導光レンズ（２ａ）の第１入射面（２ａ１）を透過し、第１導光レンズ（２ａ）の第２反射面（２ａ４）によって反射された光を反射して、第１ＬＥＤ光源（１ａ）の光軸（１ａ’）に概略平行な光にする第３反射面（２ａ５ｄ）が第１導光レンズ（２ａ）の第１接続部（２ａ−３）に形成されている。更に、第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第３反射面（２ａ５ｄ）が構成されている。
【００２２】
更に、請求項１に記載のＬＥＤ照明装置（１００）では、第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第２反射面（２ａ４）によって反射された光を反射して、第１ＬＥＤ光源（１ａ）の光軸（１ａ’）に概略平行な光にする第４反射面（２ａ５ｈ）が第１導光レンズ（２ａ）の第１上層部（２ａ−２）に形成されている。また、第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第４反射面（２ａ５ｈ）が構成されている。
【００２３】
また、請求項１に記載のＬＥＤ照明装置（１００）では、第１導光レンズ（２ａ）の第３反射面（２ａ５ｄ）からの光および第１導光レンズ（２ａ）の第４反射面（２ａ５ｈ）からの光を透過させてＬＥＤ照明装置（１００）の照射方向に照射する第１出射面（２ａ７）が第１導光レンズ（２ａ）の第１接続部（２ａ−３）および第１上層部（２ａ−２）に形成されている。
【００２４】
更に、請求項１に記載のＬＥＤ照明装置（１００）では、第１導光レンズ（２ａ）の第２反射面（２ａ４）と第３反射面（２ａ５ｄ）と第１出射面（２ａ７）とを接続する第１端面（２ａ１３）が、第１導光レンズ（２ａ）の少なくとも下層部（２ａ−１）および第１接続部（２ａ−３）の短手方向の一方の側に形成されている。また、第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第１端面（２ａ１３）が構成されている。
【００２５】
また、請求項１に記載のＬＥＤ照明装置（１００）では、第１導光レンズ（２ａ）の第４反射面（２ａ５ｈ）と第１出射面（２ａ７）とを接続する第２端面（２ａ１４）が第１導光レンズ（２ａ）の少なくとも第１上層部（２ａ−２）の短手方向の一方の側に形成されている。更に、第１ＬＥＤ光源（１ａ）の光軸（１ａ’）と４５°をなす平面であって、第１導光レンズ（２ａ）の第１端面（２ａ１３）と４５°をなす平面によって第１導光レンズ（２ａ）の第２端面（２ａ１４）が構成されている。
【００２６】
更に、請求項１に記載のＬＥＤ照明装置（１００）では、第１導光レンズ（２ａ）の第２反射面（２ａ４）と第３反射面（２ａ５ｄ）と第１出射面（２ａ７）とを接続する第３端面（２ａ１９）が、第１導光レンズ（２ａ）の少なくとも下層部（２ａ−１）および第１接続部（２ａ−３）の短手方向の他方の側に形成されている。また、第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第３端面（２ａ１９）が構成されている。
【００２７】
また、請求項１に記載のＬＥＤ照明装置（１００）では、第１導光レンズ（２ａ）の第４反射面（２ａ５ｈ）と第１出射面（２ａ７）とを接続する第４端面（２ａ２０）が第１導光レンズ（２ａ）の少なくとも第１上層部（２ａ−２）の短手方向の他方の側に形成されている。更に、第１ＬＥＤ光源（１ａ）の光軸（１ａ’）と４５°をなす平面であって、第１導光レンズ（２ａ）の第３端面（２ａ１９）と４５°をなす平面によって第１導光レンズ（２ａ）の第４端面（２ａ２０）が構成されている。
【００２８】
更に、請求項１に記載のＬＥＤ照明装置（１００）では、第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の他方の側に進む光にする第５反射面（２ａ８）が第１導光レンズ（２ａ）の下層部（２ａ−１）に形成されている。また、第１ＬＥＤ光源（１ａ）の光軸（１ａ’）と４５°をなす平面であって、第１導光レンズ（２ａ）の第２反射面（２ａ４）に垂直な平面によって第１導光レンズ（２ａ）の第５反射面（２ａ８）が構成されている。
【００２９】
また、請求項１に記載のＬＥＤ照明装置（１００）では、第１ＬＥＤ光源（１ａ）から照射され、第１導光レンズ（２ａ）の第１入射面（２ａ１）を透過し、第１導光レンズ（２ａ）の第５反射面（２ａ８）によって反射された光を反射して、第１ＬＥＤ光源（１ａ）の光軸（１ａ’）に概略平行な光にする第６反射面（２ａ９ｄ）が第１導光レンズ（２ａ）の第２接続部（２ａ−５）に形成されている。更に、第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第６反射面（２ａ９ｄ）が構成されている。
【００３０】
更に、請求項１に記載のＬＥＤ照明装置（１００）では、第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第５反射面（２ａ８）によって反射された光を反射して、第１ＬＥＤ光源（１ａ）の光軸（１ａ’）に概略平行な光にする第７反射面（２ａ９ｈ）が第１導光レンズ（２ａ）の第２上層部（２ａ−４）に形成されている。また、第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第７反射面（２ａ９ｈ）が構成されている。
【００３１】
また、請求項１に記載のＬＥＤ照明装置（１００）では、第１導光レンズ（２ａ）の第６反射面（２ａ９ｄ）からの光および第１導光レンズ（２ａ）の第７反射面（２ａ９ｈ）からの光を透過させてＬＥＤ照明装置（１００）の照射方向に照射する第２出射面（２ａ１１）が第１導光レンズ（２ａ）の第２接続部（２ａ−５）および第２上層部（２ａ−４）に形成されている。
【００３２】
更に、請求項１に記載のＬＥＤ照明装置（１００）では、第１導光レンズ（２ａ）の第５反射面（２ａ８）と第６反射面（２ａ９ｄ）と第２出射面（２ａ１１）とを接続する第５端面（２ａ１６）が、第１導光レンズ（２ａ）の少なくとも下層部（２ａ−１）および第２接続部（２ａ−５）の短手方向の一方の側に形成されている。また、第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第５端面（２ａ１６）が構成されている。
【００３３】
また、請求項１に記載のＬＥＤ照明装置（１００）では、第１導光レンズ（２ａ）の第７反射面（２ａ９ｈ）と第２出射面（２ａ１１）とを接続する第６端面（２ａ１７）が第１導光レンズ（２ａ）の少なくとも第２上層部（２ａ−４）の短手方向の一方の側に形成されている。更に、第１ＬＥＤ光源（１ａ）の光軸（１ａ’）と４５°をなす平面であって、第１導光レンズ（２ａ）の第５端面（２ａ１６）と４５°をなす平面によって第１導光レンズ（２ａ）の第６端面（２ａ１７）が構成されている。
【００３４】
更に、請求項１に記載のＬＥＤ照明装置（１００）では、第１導光レンズ（２ａ）の第５反射面（２ａ８）と第６反射面（２ａ９ｄ）と第２出射面（２ａ１１）とを接続する第７端面（２ａ２２）が、第１導光レンズ（２ａ）の少なくとも下層部（２ａ−１）および第２接続部（２ａ−５）の短手方向の他方の側に形成されている。また、第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第７端面（２ａ２２）が構成されている。
【００３５】
また、請求項１に記載のＬＥＤ照明装置（１００）では、第１導光レンズ（２ａ）の第７反射面（２ａ９ｈ）と第２出射面（２ａ１１）とを接続する第８端面（２ａ２３）が第１導光レンズ（２ａ）の少なくとも第２上層部（２ａ−４）の短手方向の他方の側に形成されている。更に、第１ＬＥＤ光源（１ａ）の光軸（１ａ’）と４５°をなす平面であって、第１導光レンズ（２ａ）の第７端面（２ａ２２）と４５°をなす平面によって第１導光レンズ（２ａ）の第８端面（２ａ２３）が構成されている。
【００３６】
更に、請求項１に記載のＬＥＤ照明装置（１００）では、第１導光レンズ（２ａ）と第２導光レンズ（２ｂ）と第３導光レンズ（２ｃ）とが同一形状に形成されている。
【００３７】
また、請求項１に記載のＬＥＤ照明装置（１００）では、第１導光レンズ（２ａ）の第２反射面（２ａ４）と第２導光レンズ（２ｂ）の第２端面（２ｂ１４）とが対向し、かつ、第１導光レンズ（２ａ）の第５反射面（２ａ８）と第２導光レンズ（２ｂ）の第４端面（２ｂ２０）とが対向するように、第１導光レンズ（２ａ）の下層部（２ａ−１）のうち、第１導光レンズ（２ａ）の短手方向の一方の側の部分（２ａ−１ａ）が、第２導光レンズ（２ｂ）の第１上層部（２ｂ−２）によって被覆されている。
【００３８】
つまり、請求項１に記載のＬＥＤ照明装置（１００）では、ＬＥＤ照明装置（１００）の照射方向から見た時に光って見えない部分である第１導光レンズ（２ａ）の部分（２ａ−１ａ）が、ＬＥＤ照明装置（１００）の照射方向から見た時に光って見える部分である第２導光レンズ（２ｂ）の第１上層部（２ｂ−２）によって被覆されている。
【００３９】
更に、請求項１に記載のＬＥＤ照明装置（１００）では、第１導光レンズ（２ａ）の第２反射面（２ａ４）と第３導光レンズ（２ｃ）の第６端面（２ｃ１７）とが対向し、かつ、第１導光レンズ（２ａ）の第５反射面（２ａ８）と第３導光レンズ（２ｃ）の第８端面（２ｃ２３）とが対向するように、第１導光レンズ（２ａ）の下層部（２ａ−１）のうち、第１導光レンズ（２ａ）の短手方向の他方の側の部分（２ａ−１ｂ）が、第３導光レンズ（２ｃ）の第２上層部（２ｃ−４）によって被覆されている。
【００４０】
つまり、請求項１に記載のＬＥＤ照明装置（１００）では、ＬＥＤ照明装置（１００）の照射方向から見た時に光って見えない部分である第１導光レンズ（２ａ）の部分（２ａ−１ｂ）が、ＬＥＤ照明装置（１００）の照射方向から見た時に光って見える部分である第３導光レンズ（２ｃ）の第２上層部（２ｃ−４）によって被覆されている。
【００４１】
その結果、請求項１に記載のＬＥＤ照明装置（１００）では、ＬＥＤ照明装置（１００）の照射方向から第１導光レンズ（２ａ）、第２導光レンズ（２ｂ）および第３導光レンズ（２ｃ）を見た時に、少なくとも第１導光レンズ（２ａ）の第３反射面（２ａ５ｄ）からの光および第１導光レンズ（２ａ）の第４反射面（２ａ５ｈ）からの光によって、第１導光レンズ（２ａ）の第１出射面（２ａ７）が光って見え、かつ、少なくとも第１導光レンズ（２ａ）の第６反射面（２ａ９ｄ）からの光および第１導光レンズ（２ａ）の第７反射面（２ａ９ｈ）からの光によって、第１導光レンズ（２ａ）の第２出射面（２ａ１１）が光って見え、かつ、少なくとも第２導光レンズ（２ｂ）の第４反射面（２ｂ５ｈ）からの光によって、第２導光レンズ（２ｂ）の第１出射面（２ｂ７）のうちの第１上層部（２ｂ−２）の部分が光って見え、かつ、少なくとも第３導光レンズ（２ｃ）の第７反射面（２ｃ９ｈ）からの光によって、第３導光レンズ（２ｃ）の第２出射面（２ｃ１１）のうちの第２上層部（２ｃ−４）の部分が光って見える。
【００４２】
詳細には、請求項１に記載のＬＥＤ照明装置（１００）では、第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、第１ＬＥＤ光源（１ａ）と第１導光レンズ（２ａ）の第１出射部（２ａ７）との第１ＬＥＤ光源（１ａ）の光軸（１ａ’）方向の間隔（Ｓａ１）と、第１ＬＥＤ光源（１ａ）と第１導光レンズ（２ａ）の第２出射部（２ａ１１）との第１ＬＥＤ光源（１ａ）の光軸（１ａ’）方向の間隔（Ｓａ２）と、第１ＬＥＤ光源（１ａ）と第２導光レンズ（２ｂ）の第１出射部（２ｂ７）との第１ＬＥＤ光源（１ａ）の光軸（１ａ’）方向の間隔（Ｓｂ１）と、第１ＬＥＤ光源（１ａ）と第３導光レンズ（２ｃ）の第２出射部（２ｃ１１）との第１ＬＥＤ光源（１ａ）の光軸（１ａ’）方向の間隔（Ｓｃ２）とが等しくされている。
【００４３】
そのため、請求項１に記載のＬＥＤ照明装置（１００）によれば、第１ＬＥＤ光源（１ａ）の光軸（１ａ’）方向のＬＥＤ照明装置（１００）全体の厚さ寸法を増加させることなく、ＬＥＤ照明装置（１００）の照射方向から第１導光レンズ（２ａ）、第２導光レンズ（２ｂ）および第３導光レンズ（２ｃ）を見た時に光って見えない部分の割合を低減することができる。
【００４４】
請求項２に記載のＬＥＤ照明装置（１００）では、第１導光レンズ（２ａ）の第１端面（２ａ１３）と第２端面（２ａ１４）とが、第１ＬＥＤ光源（１ａ）の光軸（１ａ’）と角度をなす概略楔状の第９端面（２ａ１５）によって接続されている。そのため、請求項２に記載のＬＥＤ照明装置（１００）によれば、第１導光レンズ（２ａ）の第１端面（２ａ１３）と第２端面（２ａ１４）とが、第１ＬＥＤ光源（１ａ）の光軸（１ａ’）に平行な平面であって、第１導光レンズ（２ａ）の長手方向に垂直な平面によって接続されている場合よりも、第１導光レンズ（２ａ）の第１出射面（２ａ７）からＬＥＤ照明装置（１００）の照射方向に照射されることなく、第１導光レンズ（２ａ）から漏れ出てしまう光の割合を低減することができる。
【００４５】
更に、請求項２に記載のＬＥＤ照明装置（１００）では、第１導光レンズ（２ａ）の第３端面（２ａ１９）と第４端面（２ａ２０）とが、第１ＬＥＤ光源（１ａ）の光軸（１ａ’）と角度をなす概略楔状の第１０端面（２ａ２１）によって接続されている。そのため、請求項２に記載のＬＥＤ照明装置（１００）によれば、第１導光レンズ（２ａ）の第３端面（２ａ１９）と第４端面（２ａ２０）とが、第１ＬＥＤ光源（１ａ）の光軸（１ａ’）に平行な平面であって、第１導光レンズ（２ａ）の長手方向に垂直な平面によって接続されている場合よりも、第１導光レンズ（２ａ）の第１出射面（２ａ７）からＬＥＤ照明装置（１００）の照射方向に照射されることなく、第１導光レンズ（２ａ）から漏れ出てしまう光の割合を低減することができる。
【００４６】
また、請求項２に記載のＬＥＤ照明装置（１００）では、第１導光レンズ（２ａ）の第５端面（２ａ１６）と第６端面（２ａ１７）とが、第１ＬＥＤ光源（１ａ）の光軸（１ａ’）と角度をなす概略楔状の第１１端面（２ａ１８）によって接続されている。そのため、請求項２に記載のＬＥＤ照明装置（１００）によれば、第１導光レンズ（２ａ）の第５端面（２ａ１６）と第６端面（２ａ１７）とが、第１ＬＥＤ光源（１ａ）の光軸（１ａ’）に平行な平面であって、第１導光レンズ（２ａ）の長手方向に垂直な平面によって接続されている場合よりも、第１導光レンズ（２ａ）の第２出射面（２ａ１１）からＬＥＤ照明装置（１００）の照射方向に照射されることなく、第１導光レンズ（２ａ）から漏れ出てしまう光の割合を低減することができる。
【００４７】
更に、請求項２に記載のＬＥＤ照明装置（１００）では、第１導光レンズ（２ａ）の第７端面（２ａ２２）と第８端面（２ａ２３）とが、第１ＬＥＤ光源（１ａ）の光軸（１ａ’）と角度をなす概略楔状の第１２端面（２ａ２２）によって接続されている。そのため、請求項２に記載のＬＥＤ照明装置（１００）によれば、第１導光レンズ（２ａ）の第７端面（２ａ２２）と第８端面（２ａ２３）とが、第１ＬＥＤ光源（１ａ）の光軸（１ａ’）に平行な平面であって、第１導光レンズ（２ａ）の長手方向に垂直な平面によって接続されている場合よりも、第１導光レンズ（２ａ）の第２出射面（２ａ１１）からＬＥＤ照明装置（１００）の照射方向に照射されることなく、第１導光レンズ（２ａ）から漏れ出てしまう光の割合を低減することができる。
【００４８】
請求項３に記載のＬＥＤ照明装置（１００）では、第１色の光を照射するＬＥＤ光源が第１ＬＥＤ光源（１ａ）として用いられている。また、第１色とは異なる第２色の光を照射するＬＥＤ光源が第２ＬＥＤ光源（１ｂ）および第３ＬＥＤ光源（１ｃ）として用いられている。
【００４９】
その結果、請求項３に記載のＬＥＤ照明装置（１００）では、ＬＥＤ照明装置（１００）の照射方向から第１導光レンズ（２ａ）を見た時に、少なくとも第１導光レンズ（２ａ）の第３反射面（２ａ５ｄ）からの第１色の光および第１導光レンズ（２ａ）の第４反射面（２ａ５ｈ）からの第１色の光によって、第１導光レンズ（２ａ）の第１出射面（２ａ７）が第１色に光って見える。
【００５０】
また、請求項３に記載のＬＥＤ照明装置（１００）では、ＬＥＤ照明装置（１００）の照射方向から第１導光レンズ（２ａ）を見た時に、少なくとも第１導光レンズ（２ａ）の第６反射面（２ａ９ｄ）からの第１色の光および第１導光レンズ（２ａ）の第７反射面（２ａ９ｈ）からの第１色の光によって、第１導光レンズ（２ａ）の第２出射面（２ａ１１）が第１色に光って見える。
【００５１】
更に、請求項３に記載のＬＥＤ照明装置（１００）では、ＬＥＤ照明装置（１００）の照射方向から第２導光レンズ（２ｂ）を見た時に、少なくとも第２導光レンズ（２ｂ）の第３反射面（２ｂ５ｄ）からの第２色の光および第２導光レンズ（２ｂ）の第４反射面（２ｂ５ｈ）からの第２色の光によって、第２導光レンズ（２ｂ）の第１出射面（２ｂ７）が第２色に光って見える。
【００５２】
また、請求項３に記載のＬＥＤ照明装置（１００）では、ＬＥＤ照明装置（１００）の照射方向から第３導光レンズ（２ｃ）を見た時に、少なくとも第３導光レンズ（２ｃ）の第６反射面（２ｃ９ｄ）からの第２色の光および第３導光レンズ（２ｃ）の第７反射面（２ｃ９ｈ）からの第２色の光によって、第３導光レンズ（２ｃ）の第２出射面（２ｃ１１）が第２色に光って見える。
【００５３】
そのため、請求項３に記載のＬＥＤ照明装置（１００）によれば、ＬＥＤ照明装置（１００）の照射方向から第１導光レンズ（２ａ）、第２導光レンズ（２ｂ）および第３導光レンズ（２ｃ）を見た時に、あたかも第２色の紐の下側に第１色の紐が編み込まれているかのように見せることができる。
【図面の簡単な説明】
【００５４】
【図１】第１の実施形態のＬＥＤ照明装置１００を概略的に示した図である。
【図２】第１の実施形態のＬＥＤ照明装置１００を概略的に示した図である。
【図３】第１の実施形態のＬＥＤ照明装置１００の一部を構成する導光レンズ２ａの部品図である。
【図４】第１の実施形態のＬＥＤ照明装置１００の一部を構成する導光レンズ２ａの部品図である。
【図５】第１の実施形態のＬＥＤ照明装置１００の一部を構成する導光レンズ２ａの部品図である。
【図６】第１の実施形態のＬＥＤ照明装置１００の一部を構成する導光レンズ２ｂの部品図である。
【図７】第１の実施形態のＬＥＤ照明装置１００の一部を構成する導光レンズ２ｂの部品図である。
【図８】第１の実施形態のＬＥＤ照明装置１００の一部を構成する導光レンズ２ｂの部品図である。
【図９】第１の実施形態のＬＥＤ照明装置１００の一部を構成する導光レンズ２ｃの部品図である。
【図１０】第１の実施形態のＬＥＤ照明装置１００の一部を構成する導光レンズ２ｃの部品図である。
【図１１】第１の実施形態のＬＥＤ照明装置１００の一部を構成する導光レンズ２ｃの部品図である。
【図１２】第１の実施形態のＬＥＤ照明装置１００の導光レンズ２ａの出射面２ａ７から出射する光Ｌａ５ａ，Ｌａ５ｂ，Ｌａ５ｃ，Ｌａ５ｈ，Ｌａ５ｉ，Ｌａ５ｊの図５（Ｂ）に示す断面内における光路を示した図である。
【図１３】第１の実施形態のＬＥＤ照明装置１００の導光レンズ２ａの出射面２ａ７から出射する光Ｌａ５ｄ，Ｌａ５ｅ，Ｌａ５ｆ，Ｌａ５ｇの図５（Ｂ）に示す断面内における光路を示した図である。
【図１４】第１の実施形態のＬＥＤ照明装置１００の導光レンズ２ａの出射面２ａ１１から出射する光Ｌａ９ａ，Ｌａ９ｂ，Ｌａ９ｃ，Ｌａ９ｈ，Ｌａ９ｉ，Ｌａ９ｊの図５（Ｃ）に示す断面内における光路を示した図である。
【図１５】第１の実施形態のＬＥＤ照明装置１００の導光レンズ２ａの出射面２ａ１１から出射する光Ｌａ９ｄ，Ｌａ９ｅ，Ｌａ９ｆ，Ｌａ９ｇの図５（Ｃ）に示す断面内における光路を示した図である。
【図１６】第１の実施形態のＬＥＤ照明装置１００の導光レンズ２ｂの出射面２ｂ７から出射する光Ｌｂ５ａ，Ｌｂ５ｂ，Ｌｂ５ｃ，Ｌｂ５ｈ，Ｌｂ５ｉ，Ｌｂ５ｊの図８（Ｂ）に示す断面内における光路を示した図である。
【図１７】第１の実施形態のＬＥＤ照明装置１００の導光レンズ２ｂの出射面２ｂ７から出射する光Ｌｂ５ｄ，Ｌｂ５ｅ，Ｌｂ５ｆ，Ｌｂ５ｇの図８（Ｂ）に示す断面内における光路を示した図である。
【図１８】第１の実施形態のＬＥＤ照明装置１００の導光レンズ２ｂの出射面２ｂ１１から出射する光Ｌｂ９ａ，Ｌｂ９ｂ，Ｌｂ９ｃ，Ｌｂ９ｈ，Ｌｂ９ｉ，Ｌｂ９ｊの図８（Ｃ）に示す断面内における光路を示した図である。
【図１９】第１の実施形態のＬＥＤ照明装置１００の導光レンズ２ｂの出射面２ｂ１１から出射する光Ｌｂ９ｄ，Ｌｂ９ｅ，Ｌｂ９ｆ，Ｌｂ９ｇの図８（Ｃ）に示す断面内における光路を示した図である。
【図２０】第１の実施形態のＬＥＤ照明装置１００の導光レンズ２ｃの出射面２ｃ７から出射する光Ｌｃ５ａ，Ｌｃ５ｂ，Ｌｃ５ｃ，Ｌｃ５ｈ，Ｌｃ５ｉ，Ｌｃ５ｊの図１１（Ｂ）に示す断面内における光路を示した図である。
【図２１】第１の実施形態のＬＥＤ照明装置１００の導光レンズ２ｃの出射面２ｃ７から出射する光Ｌｃ５ｄ，Ｌｃ５ｅ，Ｌｃ５ｆ，Ｌｃ５ｇの図１１（Ｂ）に示す断面内における光路を示した図である。
【図２２】第１の実施形態のＬＥＤ照明装置１００の導光レンズ２ｃの出射面２ｃ１１から出射する光Ｌｃ９ａ，Ｌｃ９ｂ，Ｌｃ９ｃ，Ｌｃ９ｈ，Ｌｃ９ｉ，Ｌｃ９ｊの図１１（Ｃ）に示す断面内における光路を示した図である。
【図２３】第１の実施形態のＬＥＤ照明装置１００の導光レンズ２ｃの出射面２ｃ１１から出射する光Ｌｃ９ｄ，Ｌｃ９ｅ，Ｌｃ９ｆ，Ｌｃ９ｇの図１１（Ｃ）に示す断面内における光路を示した図である。
【図２４】比較例の導光レンズ２ａを示した図である。
【図２５】第６の実施形態のＬＥＤ照明装置１００を概略的に示した図である。
【図２６】第７の実施形態のＬＥＤ照明装置１００の一部を構成する導光レンズ２ａの部品図である。
【図２７】第８の実施形態のＬＥＤ照明装置１００を概略的に示した図である。
【発明を実施するための形態】
【００５５】
以下、本発明のＬＥＤ照明装置の第１の実施形態について説明する。図１および図２は第１の実施形態のＬＥＤ照明装置１００を概略的に示した図である。詳細には、図１（Ａ）は第１の実施形態のＬＥＤ照明装置１００の平面図、図１（Ｂ）は図１（Ａ）のＡ−Ａ線に沿った断面図、図１（Ｃ）は図１（Ａ）のＢ−Ｂ線に沿った断面図、図２は図１（Ａ）のＣ−Ｃ線に沿った断面図である。
【００５６】
図３〜図５は第１の実施形態のＬＥＤ照明装置１００の一部を構成する導光レンズ２ａの部品図である。詳細には、図３（Ａ）は導光レンズ２ａの平面図、図３（Ｂ）は導光レンズ２ａの正面図、図３（Ｃ）は導光レンズ２ａの底面図、図３（Ｄ）は導光レンズ２ａの後側面図である。図４（Ａ）は導光レンズ２ａの右側面図、図４（Ｂ）は導光レンズ２ａの左側面図、図４（Ｃ）は右前側かつ上側から見た導光レンズ２ａの斜視図、図４（Ｄ）は右後側かつ上側から見た導光レンズ２ａの斜視図である。図５（Ａ）は図３（Ａ）のＤ−Ｄ線（図１（Ａ）のＢ−Ｂ線）に沿った断面図である。図５（Ｂ）は図５（Ａ）の右側部分の拡大図、図５（Ｃ）は図５（Ａ）の左側部分の拡大図である。
【００５７】
図６〜図８は第１の実施形態のＬＥＤ照明装置１００の一部を構成する導光レンズ２ｂの部品図である。詳細には、図６（Ａ）は導光レンズ２ｂの平面図、図６（Ｂ）は導光レンズ２ｂの右側面図、図６（Ｃ）は導光レンズ２ｂの底面図、図６（Ｄ）は導光レンズ２ｂの左側面図である。図７（Ａ）は導光レンズ２ｂの後側面図、図７（Ｂ）は導光レンズ２ｂの正面図、図７（Ｃ）は右後側かつ上側から見た導光レンズ２ｂの斜視図、図７（Ｄ）は左後側かつ上側から見た導光レンズ２ｂの斜視図である。図８（Ａ）は図６（Ａ）のＥ−Ｅ線（図１（Ａ）のＣ−Ｃ線）に沿った断面図である。図８（Ｂ）は図８（Ａ）の右側部分の拡大図、図８（Ｃ）は図８（Ａ）の左側部分の拡大図である。
【００５８】
図９〜図１１は第１の実施形態のＬＥＤ照明装置１００の一部を構成する導光レンズ２ｃの部品図である。詳細には、図９（Ａ）は導光レンズ２ｃの平面図、図９（Ｂ）は導光レンズ２ｃの右側面図、図９（Ｃ）は導光レンズ２ｃの底面図、図９（Ｄ）は導光レンズ２ｃの左側面図である。図１０（Ａ）は導光レンズ２ｃの後側面図、図１０（Ｂ）は導光レンズ２ｃの正面図、図１０（Ｃ）は右後側かつ上側から見た導光レンズ２ｃの斜視図、図１０（Ｄ）は左後側かつ上側から見た導光レンズ２ｃの斜視図である。図１１（Ａ）は図９（Ａ）のＦ−Ｆ線（図１（Ａ）のＣ−Ｃ線）に沿った断面図である。図１１（Ｂ）は図１１（Ａ）の右側部分の拡大図、図１１（Ｃ）は図１１（Ａ）の左側部分の拡大図である。
【００５９】
図１２および図１３は第１の実施形態のＬＥＤ照明装置１００の導光レンズ２ａの出射面２ａ７から出射する光Ｌａ５ａ，Ｌａ５ｂ，Ｌａ５ｃ，Ｌａ５ｄ，Ｌａ５ｅ，Ｌａ５ｆ，Ｌａ５ｇ，Ｌａ５ｈ，Ｌａ５ｉ，Ｌａ５ｊの図５（Ｂ）に示す断面内における光路を示した図である。図１４および図１５は第１の実施形態のＬＥＤ照明装置１００の導光レンズ２ａの出射面２ａ１１から出射する光Ｌａ９ａ，Ｌａ９ｂ，Ｌａ９ｃ，Ｌａ９ｄ，Ｌａ９ｅ，Ｌａ９ｆ，Ｌａ９ｇ，Ｌａ９ｈ，Ｌａ９ｉ，Ｌａ９ｊの図５（Ｃ）に示す断面内における光路を示した図である。
【００６０】
図１６および図１７は第１の実施形態のＬＥＤ照明装置１００の導光レンズ２ｂの出射面２ｂ７から出射する光Ｌｂ５ａ，Ｌｂ５ｂ，Ｌｂ５ｃ，Ｌｂ５ｄ，Ｌｂ５ｅ，Ｌｂ５ｆ，Ｌｂ５ｇ，Ｌｂ５ｈ，Ｌｂ５ｉ，Ｌｂ５ｊの図８（Ｂ）に示す断面内における光路を示した図である。図１８および図１９は第１の実施形態のＬＥＤ照明装置１００の導光レンズ２ｂの出射面２ｂ１１から出射する光Ｌｂ９ａ，Ｌｂ９ｂ，Ｌｂ９ｃ，Ｌｂ９ｄ，Ｌｂ９ｅ，Ｌｂ９ｆ，Ｌｂ９ｇ，Ｌｂ９ｈ，Ｌｂ９ｉ，Ｌｂ９ｊの図８（Ｃ）に示す断面内における光路を示した図である。
【００６１】
図２０および図２１は第１の実施形態のＬＥＤ照明装置１００の導光レンズ２ｃの出射面２ｃ７から出射する光Ｌｃ５ａ，Ｌｃ５ｂ，Ｌｃ５ｃ，Ｌｃ５ｄ，Ｌｃ５ｅ，Ｌｃ５ｆ，Ｌｃ５ｇ，Ｌｃ５ｈ，Ｌｃ５ｉ，Ｌｃ５ｊの図１１（Ｂ）に示す断面内における光路を示した図である。図２２および図２３は第１の実施形態のＬＥＤ照明装置１００の導光レンズ２ｃの出射面２ｃ１１から出射する光Ｌｃ９ａ，Ｌｃ９ｂ，Ｌｃ９ｃ，Ｌｃ９ｄ，Ｌｃ９ｅ，Ｌｃ９ｆ，Ｌｃ９ｇ，Ｌｃ９ｈ，Ｌｃ９ｉ，Ｌｃ９ｊの図１１（Ｃ）に示す断面内における光路を示した図である。
【００６２】
第１の実施形態のＬＥＤ照明装置１００では、図２に示すように、ＬＥＤ光源１ａの光軸１ａ’とＬＥＤ光源１ｂの光軸１ｂ’とＬＥＤ光源１ｃの光軸１ｃ’とが平行になるように、ＬＥＤ光源１ａ，１ｂ，１ｃが配置されている。詳細には、ＬＥＤ光源１ａが実装された基板３ａと、ＬＥＤ光源１ｂが実装された基板３ｂと、ＬＥＤ光源１ｃが実装された基板３ｃとがベース部材４に接続されている。
【００６３】
第１の実施形態のＬＥＤ照明装置１００では、ＬＥＤ光源１ａ用の基板３ａとＬＥＤ光源１ｂ用の基板３ｂとＬＥＤ光源１ｃ用の基板３ｃとが別個に設けられているが、第２の実施形態のＬＥＤ照明装置１００では、代わりに、１つの基板にＬＥＤ光源１ａ，１ｂ，１ｃを実装することも可能である。
【００６４】
第１の実施形態のＬＥＤ照明装置１００では、基板３ａ，３ｂ，３ｃとベース部材４とが別個に設けられているが、第３の実施形態のＬＥＤ照明装置１００では、代わりに、基板３ａ，３ｂ，３ｃを省略し、ＬＥＤ光源１ａ，１ｂ，１ｃをベース部材４に対して直接実装することも可能である。
【００６５】
更に、第１の実施形態のＬＥＤ照明装置１００では、図１および図２に示すように、ＬＥＤ光源１ａからの光を導光する導光レンズ２ａと、ＬＥＤ光源１ｂからの光を導光する導光レンズ２ｂとＬＥＤ光源１ｃからの光を導光する導光レンズ２ｃとが設けられている。導光レンズ２ａ，２ｂ，２ｃは例えば脚部２ａＬ（図２６参照、図１および図２には図示せず）などを介してベース部材４に接続されている。
【００６６】
詳細には、第１の実施形態のＬＥＤ照明装置１００では、図５（Ａ）に示すように、ＬＥＤ光源１ａ（図１および図２参照）の光軸１ａ’を含む導光レンズ２ａの長手方向（図３（Ａ）の左右方向）の断面形状が概略Ｖ字状になるように、導光レンズ２ａが形成されている。更に詳細には、図５（Ａ）に示す導光レンズ２ａの断面形状がＬＥＤ光源１ａの光軸１ａ’に対して左右対称に設定されている。更に、図３および図５に示すように、ＬＥＤ光源１ａの光軸１ａ’を含む下層部２ａ−１と、導光レンズ２ａの長手方向の一方の側（図３および図５の右側）の上層部２ａ−２と、下層部２ａ−１と上層部２ａ−２とを接続する接続部２ａ−３と、導光レンズ２ａの長手方向の他方の側（図３および図５の左側）の上層部２ａ−４と、下層部２ａ−１と上層部２ａ−４とを接続する接続部２ａ−５とに導光レンズ２ａが仮想分割されている。
【００６７】
また、第１の実施形態のＬＥＤ照明装置１００では、ＬＥＤ光源１ａ（図１２〜図１５参照）の光軸１ａ’（図１２〜図１５参照）と角度θａ，θｂ，θｃ，θｄ，θｅ（θａ＜θｂ＜θｃ＜θｄ＜θｅ）（図１２〜図１５参照）をなしてＬＥＤ光源１ａから照射された光を透過させてＬＥＤ光源１ａの光軸１ａ’に概略平行な光にする入射面２ａ１（図３（Ｃ）、図５、図１２〜図１５参照）が導光レンズ２ａの下層部２ａ−１（図３および図５参照）に形成されている。更に、ＬＥＤ光源１ａの光軸１ａ’を中心に曲線ａｂ（図５（Ｂ）参照）を回転させることにより得られる回転面によって導光レンズ２ａの入射面２ａ１が構成されている。
【００６８】
更に、第１の実施形態のＬＥＤ照明装置１００では、ＬＥＤ光源１ａ（図１２〜図１５参照）の光軸１ａ’（図１２〜図１５参照）と角度θｅ（図１３（Ｂ）および図１５（Ｂ）参照）より大きい角度θｆ，θｇ，θｈ，θｉ，θｊ（θｅ＜θｊ＜θｉ＜θｈ＜θｇ＜θｆ）（図１２〜図１５参照）をなしてＬＥＤ光源１ａから照射された光が入射する入射面２ａ２（図３（Ｃ）、図５、図１２〜図１５参照）が導光レンズ２ａの下層部２ａ−１（図３および図５参照）に形成されている。また、ＬＥＤ光源１ａの光軸１ａ’を中心に曲線または直線ｂｃ（図５（Ｂ）参照）を回転させることにより得られる回転面によって導光レンズ２ａの入射面２ａ２が構成されている。
【００６９】
また、第１の実施形態のＬＥＤ照明装置１００では、図１２〜図１５に示すように、ＬＥＤ光源１ａから照射され、導光レンズ２ａの入射面２ａ２を透過した光を反射してＬＥＤ光源１ａの光軸１ａ’に概略平行な光にする反射面２ａ３が導光レンズ２ａの下層部２ａ−１（図３および図５参照）に形成されている。更に、ＬＥＤ光源１ａの光軸１ａ’を中心に直線または曲線ｃｄ（図５（Ｂ）参照）を回転させることにより得られる回転面によって導光レンズ２ａの反射面２ａ３（図３および図４参照）が構成されている。
【００７０】
更に、第１の実施形態のＬＥＤ照明装置１００では、図１２および図１３に示すように、ＬＥＤ光源１ａから照射され、導光レンズ２ａの入射面２ａ１を透過した光、および、ＬＥＤ光源１ａから照射され、導光レンズ２ａの入射面２ａ２を透過し、導光レンズ２ａの反射面２ａ３によって反射された光を反射して、ＬＥＤ光源１ａの光軸１ａ’に概略垂直な平面内を進む光であって、導光レンズ２ａの長手方向の一方の側（図１２および図１３の右側）に進む光にする反射面２ａ４が導光レンズ２ａの下層部２ａ−１（図３および図５参照）に形成されている。また、ＬＥＤ光源１ａの光軸１ａ’と４５°（図３（Ｂ）および図３（Ｄ）参照）をなす平面によって導光レンズ２ａの反射面２ａ４（図３参照）が構成されている。
【００７１】
また、第１の実施形態のＬＥＤ照明装置１００では、図１２および図１３に示すように、ＬＥＤ光源１ａから照射され、導光レンズ２ａの入射面２ａ１を透過し、導光レンズ２ａの反射面２ａ４によって反射された光を反射して、ＬＥＤ光源１ａの光軸１ａ’に概略平行な光にする反射面２ａ５ａ，２ａ５ｂ，２ａ５ｃ，２ａ５ｄ，２ａ５ｅが導光レンズ２ａの接続部２ａ−３（図３および図５参照）に形成されている。更に、ＬＥＤ光源１ａの光軸１ａ’と４５°をなす平面であって、導光レンズ２ａの反射面２ａ４に平行な平面によって導光レンズ２ａの反射面２ａ５ａ，２ａ５ｂ，２ａ５ｃ，２ａ５ｄ，２ａ５ｅ（図４（Ａ）参照）が構成されている。
【００７２】
更に、第１の実施形態のＬＥＤ照明装置１００では、図１２および図１３に示すように、ＬＥＤ光源１ａから照射され、導光レンズ２ａの入射面２ａ２を透過し、導光レンズ２ａの反射面２ａ３によって反射され、導光レンズ２ａの反射面２ａ４によって反射された光を反射して、ＬＥＤ光源１ａの光軸１ａ’に概略平行な光にする反射面２ａ５ｆ，２ａ５ｇ，２ａ５ｈ，２ａ５ｉ，２ａ５ｊが導光レンズ２ａの接続部２ａ−３（図３および図５参照）および上層部２ａ−２（図３および図５参照）に形成されている。また、ＬＥＤ光源１ａの光軸１ａ’と４５°をなす平面であって、導光レンズ２ａの反射面２ａ４に平行な平面によって導光レンズ２ａの反射面２ａ５ｆ，２ａ５ｇ，２ａ５ｈ，２ａ５ｉ，２ａ５ｊ（図４（Ａ）参照）が構成されている。
【００７３】
また、第１の実施形態のＬＥＤ照明装置１００では、図５（Ｂ）に示すように、ＬＥＤ光源１ａ（図１および図２参照）の光軸１ａ’に垂直な接続面２ａ６ａによって反射面２ａ５ａ，２ａ５ｂが接続され、ＬＥＤ光源１ａの光軸１ａ’に垂直な接続面２ａ６ｂによって反射面２ａ５ｂ，２ａ５ｃが接続され、ＬＥＤ光源１ａの光軸１ａ’に垂直な接続面２ａ６ｃによって反射面２ａ５ｃ，２ａ５ｄが接続され、ＬＥＤ光源１ａの光軸１ａ’に垂直な接続面２ａ６ｄによって反射面２ａ５ｄ，２ａ５ｅが接続され、ＬＥＤ光源１ａの光軸１ａ’に垂直な接続面２ａ６ｅによって反射面２ａ５ｅ，２ａ５ｆが接続されている。
【００７４】
更に、第１の実施形態のＬＥＤ照明装置１００では、図５（Ｂ）に示すように、ＬＥＤ光源１ａ（図１および図２参照）の光軸１ａ’に垂直な接続面２ａ６ｆによって反射面２ａ５ｆ，２ａ５ｇが接続され、ＬＥＤ光源１ａの光軸１ａ’に垂直な接続面２ａ６ｇによって反射面２ａ５ｇ，２ａ５ｈが接続され、ＬＥＤ光源１ａの光軸１ａ’に垂直な接続面２ａ６ｈによって反射面２ａ５ｈ，２ａ５ｉが接続され、ＬＥＤ光源１ａの光軸１ａ’に垂直な接続面２ａ６ｉによって反射面２ａ５ｉ，２ａ５ｊが接続されている。
【００７５】
また、第１の実施形態のＬＥＤ照明装置１００では、図１２および図１３に示すように、導光レンズ２ａの反射面２ａ５ａ，２ａ５ｂ，２ａ５ｃ，２ａ５ｄ，２ａ５ｅ，２ａ５ｆ，２ａ５ｇ，２ａ５ｈ，２ａ５ｉ，２ａ５ｊからの光を透過させてＬＥＤ照明装置１００の照射方向（図１２および図１３の上側）に照射する出射面２ａ７（図３および図４参照）が導光レンズ２ａの接続部２ａ−３（図３および図５参照）および上層部２ａ−２（図３および図５参照）に形成されている。
【００７６】
その結果、第１の実施形態のＬＥＤ照明装置１００では、図１２（Ａ）に示すように、ＬＥＤ光源１ａの光軸１ａ’と角度θａをなしてＬＥＤ光源１ａから照射され、次いで、導光レンズ２ａの入射面２ａ１を透過し、次いで、導光レンズ２ａの反射面２ａ４によって反射され、次いで、導光レンズ２ａの反射面２ａ５ａによって反射され、次いで、導光レンズ２ａの出射面２ａ７を透過した光Ｌａ５ａがＬＥＤ照明装置１００の照射方向（図１２（Ａ）の上側）に照射される。
【００７７】
更に、第１の実施形態のＬＥＤ照明装置１００では、図１２（Ｂ）に示すように、ＬＥＤ光源１ａの光軸１ａ’と角度θｂ（＞θａ）をなしてＬＥＤ光源１ａから照射され、次いで、導光レンズ２ａの入射面２ａ１を透過し、次いで、導光レンズ２ａの反射面２ａ４によって反射され、次いで、導光レンズ２ａの反射面２ａ５ｂによって反射され、次いで、導光レンズ２ａの出射面２ａ７を透過した光Ｌａ５ｂがＬＥＤ照明装置１００の照射方向（図１２（Ｂ）の上側）に照射される。
【００７８】
また、第１の実施形態のＬＥＤ照明装置１００では、図１２（Ｃ）に示すように、ＬＥＤ光源１ａの光軸１ａ’と角度θｃ（＞θｂ）をなしてＬＥＤ光源１ａから照射され、次いで、導光レンズ２ａの入射面２ａ１を透過し、次いで、導光レンズ２ａの反射面２ａ４によって反射され、次いで、導光レンズ２ａの反射面２ａ５ｃによって反射され、次いで、導光レンズ２ａの出射面２ａ７を透過した光Ｌａ５ｃがＬＥＤ照明装置１００の照射方向（図１２（Ｃ）の上側）に照射される。
【００７９】
更に、第１の実施形態のＬＥＤ照明装置１００では、図１３（Ａ）に示すように、ＬＥＤ光源１ａの光軸１ａ’と角度θｄ（＞θｃ）をなしてＬＥＤ光源１ａから照射され、次いで、導光レンズ２ａの入射面２ａ１を透過し、次いで、導光レンズ２ａの反射面２ａ４によって反射され、次いで、導光レンズ２ａの反射面２ａ５ｄによって反射され、次いで、導光レンズ２ａの出射面２ａ７を透過した光Ｌａ５ｄがＬＥＤ照明装置１００の照射方向（図１３（Ａ）の上側）に照射される。
【００８０】
また、第１の実施形態のＬＥＤ照明装置１００では、図１３（Ｂ）に示すように、ＬＥＤ光源１ａの光軸１ａ’と角度θｅ（＞θｄ）をなしてＬＥＤ光源１ａから照射され、次いで、導光レンズ２ａの入射面２ａ１を透過し、次いで、導光レンズ２ａの反射面２ａ４によって反射され、次いで、導光レンズ２ａの反射面２ａ５ｅによって反射され、次いで、導光レンズ２ａの出射面２ａ７を透過した光Ｌａ５ｅがＬＥＤ照明装置１００の照射方向（図１３（Ｂ）の上側）に照射される。
【００８１】
更に、第１の実施形態のＬＥＤ照明装置１００では、図１２（Ａ）に示すように、ＬＥＤ光源１ａの光軸１ａ’と角度θｊ（＞θｅ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ４によって反射され、次いで、導光レンズ２ａの反射面２ａ５ｊによって反射され、次いで、導光レンズ２ａの出射面２ａ７を透過した光Ｌａ５ｊがＬＥＤ照明装置１００の照射方向（図１２（Ａ）の上側）に照射される。
【００８２】
また、第１の実施形態のＬＥＤ照明装置１００では、図１２（Ｂ）に示すように、ＬＥＤ光源１ａの光軸１ａ’と角度θｉ（＞θｊ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ４によって反射され、次いで、導光レンズ２ａの反射面２ａ５ｉによって反射され、次いで、導光レンズ２ａの出射面２ａ７を透過した光Ｌａ５ｉがＬＥＤ照明装置１００の照射方向（図１２（Ｂ）の上側）に照射される。
【００８３】
更に、第１の実施形態のＬＥＤ照明装置１００では、図１２（Ｃ）に示すように、ＬＥＤ光源１ａの光軸１ａ’と角度θｈ（＞θｉ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ４によって反射され、次いで、導光レンズ２ａの反射面２ａ５ｈによって反射され、次いで、導光レンズ２ａの出射面２ａ７を透過した光Ｌａ５ｈがＬＥＤ照明装置１００の照射方向（図１２（Ｃ）の上側）に照射される。
【００８４】
また、第１の実施形態のＬＥＤ照明装置１００では、図１３（Ａ）に示すように、ＬＥＤ光源１ａの光軸１ａ’と角度θｇ（＞θｈ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ４によって反射され、次いで、導光レンズ２ａの反射面２ａ５ｇによって反射され、次いで、導光レンズ２ａの出射面２ａ７を透過した光Ｌａ５ｇがＬＥＤ照明装置１００の照射方向（図１３（Ａ）の上側）に照射される。
【００８５】
更に、第１の実施形態のＬＥＤ照明装置１００では、図１３（Ｂ）に示すように、ＬＥＤ光源１ａの光軸１ａ’と角度θｆ（＞θｇ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ４によって反射され、次いで、導光レンズ２ａの反射面２ａ５ｆによって反射され、次いで、導光レンズ２ａの出射面２ａ７を透過した光Ｌａ５ｆがＬＥＤ照明装置１００の照射方向（図１３（Ｂ）の上側）に照射される。
【００８６】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ａを見た時に、導光レンズ２ａの出射面２ａ７が光って見える。一方、ＬＥＤ照明装置１００の照射方向（図１２および図１３の上側）から導光レンズ２ａを見た時に、導光レンズ２ａの反射面２ａ４は光って見えない。
【００８７】
更に、第１の実施形態のＬＥＤ照明装置１００では、図３〜図５に示すように、導光レンズ２ａの反射面２ａ４（図３（Ａ）および図３（Ｂ）参照）と反射面２ａ５ａ，２ａ５ｂ，２ａ５ｃ，２ａ５ｄ（図４（Ａ）および図５（Ｂ）参照）と出射面２ａ７（図３（Ａ）、図３（Ｂ）および図４参照）とを接続する端面２ａ１３（図３（Ｂ）および図４（Ｃ）参照）が、導光レンズ２ａの下層部２ａ−１（図３および図５参照）、接続部２ａ−３（図３および図５参照）および上層部２ａ−２（図３および図５参照）の短手方向の一方の側（図３（Ａ）の下側、図４（Ａ）の左側）に形成されている。更に、図３および図４に示すように、ＬＥＤ光源１ａ（図１および図２参照）の光軸１ａ’（図４（Ａ）参照）に平行な平面であって、導光レンズ２ａの反射面２ａ４に垂直な平面によって導光レンズ２ａの端面２ａ１３が構成されている。
【００８８】
また、第１の実施形態のＬＥＤ照明装置１００では、図３および図４に示すように、導光レンズ２ａの上層部２ａ−２（図３および図５参照）の短手方向の一方の側（図３（Ａ）の下側、図４（Ａ）の左側）に形成されている端面２ａ１４（図３（Ｂ）、図３（Ｃ）、図４（Ａ）および図４（Ｃ）参照）と端面２ａ１３（図３（Ｂ）および図４（Ｃ）参照）とによって、導光レンズ２ａの反射面２ａ５ｇ，２ａ５ｈ，２ａ５ｉ，２ａ５ｊ（図４（Ａ）および図５（Ｂ）参照）と出射面２ａ７（図３（Ａ）、図３（Ｂ）および図４参照）とが接続されている。更に、図３（Ｂ）、図３（Ｃ）、図４（Ａ）および図４（Ｃ）に示すように、ＬＥＤ光源１ａ（図１および図２参照）の光軸１ａ’（図４（Ａ）参照）と４５°（図４（Ａ）参照）をなす平面であって、導光レンズ２ａの端面２ａ１３（図４（Ａ）および図４（Ｃ）参照）と４５°（図４（Ａ）参照）をなす平面によって導光レンズ２ａの端面２ａ１４が構成されている。
【００８９】
更に、第１の実施形態のＬＥＤ照明装置１００では、図３〜図５に示すように、導光レンズ２ａの反射面２ａ４（図３（Ａ）および図３（Ｄ）参照）と反射面２ａ５ａ，２ａ５ｂ，２ａ５ｃ，２ａ５ｄ（図４（Ａ）および図５（Ｂ）参照）と出射面２ａ７（図３（Ａ）、図３（Ｄ）および図４参照）とを接続する端面２ａ１９（図３（Ｄ）および図４（Ｄ）参照）が、導光レンズ２ａの下層部２ａ−１（図３および図５参照）、接続部２ａ−３（図３および図５参照）および上層部２ａ−２（図３および図５参照）の短手方向の他方の側（図３（Ａ）の上側、図４（Ａ）の右側）に形成されている。また、図３および図４に示すように、ＬＥＤ光源１ａ（図１および図２参照）の光軸１ａ’（図４（Ａ）参照）に平行な平面であって、導光レンズ２ａの反射面２ａ４に垂直な平面によって導光レンズ２ａの端面２ａ１９が構成されている。
【００９０】
また、第１の実施形態のＬＥＤ照明装置１００では、図３および図４に示すように、導光レンズ２ａの上層部２ａ−２（図３および図５参照）の短手方向の他方の側（図３（Ａ）の上側、図４（Ａ）の右側）に形成されている端面２ａ２０（図３（Ｃ）、図３（Ｄ）、図４（Ａ）および図４（Ｄ）参照）と端面２ａ１９（図３（Ｄ）および図４（Ｄ）参照）とによって、導光レンズ２ａの反射面２ａ５ｇ，２ａ５ｈ，２ａ５ｉ，２ａ５ｊ（図４（Ａ）および図５（Ｂ）参照）と出射面２ａ７（図３（Ａ）、図３（Ｄ）および図４参照）とが接続されている。更に、図３（Ｃ）、図３（Ｄ）、図４（Ａ）および図４（Ｄ）に示すように、ＬＥＤ光源１ａ（図１および図２参照）の光軸１ａ’（図４（Ａ）参照）と４５°（図４（Ａ）参照）をなす平面であって、導光レンズ２ａの端面２ａ１９（図４（Ａ）および図４（Ｄ）参照）と４５°（図４（Ａ）参照）をなす平面によって導光レンズ２ａの端面２ａ２０が構成されている。
【００９１】
更に、第１の実施形態のＬＥＤ照明装置１００では、図１４および図１５に示すように、ＬＥＤ光源１ａから照射され、導光レンズ２ａの入射面２ａ１を透過した光、および、ＬＥＤ光源１ａから照射され、導光レンズ２ａの入射面２ａ２を透過し、導光レンズ２ａの反射面２ａ３によって反射された光を反射して、ＬＥＤ光源１ａの光軸１ａ’に概略垂直な平面内を進む光であって、導光レンズ２ａの長手方向の他方の側（図１４および図１５の左側）に進む光にする反射面２ａ８が導光レンズ２ａの下層部２ａ−１（図３および図５参照）に形成されている。また、ＬＥＤ光源１ａの光軸１ａ’と４５°（図３（Ｂ）および図３（Ｄ）参照）をなす平面によって導光レンズ２ａの反射面２ａ８（図３、図４（Ｃ）および図４（Ｄ）参照）が構成されている。
【００９２】
また、第１の実施形態のＬＥＤ照明装置１００では、図１４および図１５に示すように、ＬＥＤ光源１ａから照射され、導光レンズ２ａの入射面２ａ１を透過し、導光レンズ２ａの反射面２ａ４によって反射された光を反射して、ＬＥＤ光源１ａの光軸１ａ’に概略平行な光にする反射面２ａ９ａ，２ａ９ｂ，２ａ９ｃ，２ａ９ｄ，２ａ９ｅが導光レンズ２ａの接続部２ａ−５（図３および図５参照）に形成されている。更に、ＬＥＤ光源１ａの光軸１ａ’と４５°をなす平面であって、導光レンズ２ａの反射面２ａ８に平行な平面によって導光レンズ２ａの反射面２ａ９ａ，２ａ９ｂ，２ａ９ｃ，２ａ９ｄ，２ａ９ｅ（図４（Ａ）参照）が構成されている。
【００９３】
更に、第１の実施形態のＬＥＤ照明装置１００では、図１４および図１５に示すように、ＬＥＤ光源１ａから照射され、導光レンズ２ａの入射面２ａ２を透過し、導光レンズ２ａの反射面２ａ３によって反射され、導光レンズ２ａの反射面２ａ８によって反射された光を反射して、ＬＥＤ光源１ａの光軸１ａ’に概略平行な光にする反射面２ａ９ｆ，２ａ９ｇ，２ａ９ｈ，２ａ９ｉ，２ａ９ｊが導光レンズ２ａの接続部２ａ−５（図３および図５参照）および上層部２ａ−４（図３および図５参照）に形成されている。また、ＬＥＤ光源１ａの光軸１ａ’と４５°をなす平面であって、導光レンズ２ａの反射面２ａ８に平行な平面によって導光レンズ２ａの反射面２ａ９ｆ，２ａ９ｇ，２ａ９ｈ，２ａ９ｉ，２ａ９ｊ（図４（Ａ）参照）が構成されている。
【００９４】
また、第１の実施形態のＬＥＤ照明装置１００では、図５（Ｃ）に示すように、ＬＥＤ光源１ａ（図１および図２参照）の光軸１ａ’に垂直な接続面２ａ１０ａによって反射面２ａ９ａ，２ａ９ｂが接続され、ＬＥＤ光源１ａの光軸１ａ’に垂直な接続面２ａ１０ｂによって反射面２ａ９ｂ，２ａ９ｃが接続され、ＬＥＤ光源１ａの光軸１ａ’に垂直な接続面２ａ１０ｃによって反射面２ａ９ｃ，２ａ９ｄが接続され、ＬＥＤ光源１ａの光軸１ａ’に垂直な接続面２ａ１０ｄによって反射面２ａ９ｄ，２ａ９ｅが接続され、ＬＥＤ光源１ａの光軸１ａ’に垂直な接続面２ａ１０ｅによって反射面２ａ９ｅ，２ａ９ｆが接続されている。
【００９５】
更に、第１の実施形態のＬＥＤ照明装置１００では、図５（Ｃ）に示すように、ＬＥＤ光源１ａ（図１および図２参照）の光軸１ａ’に垂直な接続面２ａ１０ｆによって反射面２ａ９ｆ，２ａ９ｇが接続され、ＬＥＤ光源１ａの光軸１ａ’に垂直な接続面２ａ１０ｇによって反射面２ａ９ｇ，２ａ９ｈが接続され、ＬＥＤ光源１ａの光軸１ａ’に垂直な接続面２ａ１０ｈによって反射面２ａ９ｈ，２ａ９ｉが接続され、ＬＥＤ光源１ａの光軸１ａ’に垂直な接続面２ａ１０ｉによって反射面２ａ９ｉ，２ａ９ｊが接続されている。
【００９６】
第１の実施形態のＬＥＤ照明装置１００では、９個の接続面２ａ６ａ，２ａ６ｂ，２ａ６ｃ，２ａ６ｄ，２ａ６ｅ，２ａ６ｆ，２ａ６ｇ，２ａ６ｈ，２ａ６ｉ（図５（Ｂ）参照）および９個の接続面２ａ１０ａ，２ａ１０ｂ，２ａ１０ｃ，２ａ１０ｄ，２ａ１０ｅ，２ａ１０ｆ，２ａ１０ｇ，２ａ１０ｈ，２ａ１０ｉ（図５（Ｃ）参照）が設けられているが、第４の実施形態のＬＥＤ照明装置１００では、代わりに、９個以外の任意の数の接続面２ａ６ａ，…および接続面２ａ６ａ，…と同数の接続面２ａ１０ａ，…を設けることも可能である。接続面２ａ６ａ，…の合計の長手方向寸法（図５（Ｂ）の左右方向寸法）を大きくすることによって、出射面２ａ７（図５（Ｂ）参照）の長手方向寸法（図５（Ｂ）の左右方向寸法）を大きくすることができ、接続面２ａ１０ａ，…の合計の長手方向寸法（図５（Ｃ）の左右方向寸法）を大きくすることによって、出射面２ａ１１（図５（Ｃ）参照）の長手方向寸法（図５（Ｃ）の左右方向寸法）を大きくすることができる。
【００９７】
また、第１の実施形態のＬＥＤ照明装置１００では、図１４および図１５に示すように、導光レンズ２ａの反射面２ａ９ａ，２ａ９ｂ，２ａ９ｃ，２ａ９ｄ，２ａ９ｅ，２ａ９ｆ，２ａ９ｇ，２ａ９ｈ，２ａ９ｉ，２ａ９ｊからの光を透過させてＬＥＤ照明装置１００の照射方向（図１４および図１５の上側）に照射する出射面２ａ１１（図３および図４参照）が導光レンズ２ａの接続部２ａ−５（図３および図５参照）および上層部２ａ−４（図３および図５参照）に形成されている。
【００９８】
その結果、第１の実施形態のＬＥＤ照明装置１００では、図１４（Ａ）に示すように、ＬＥＤ光源１ａの光軸１ａ’と角度θａをなしてＬＥＤ光源１ａから照射され、次いで、導光レンズ２ａの入射面２ａ１を透過し、次いで、導光レンズ２ａの反射面２ａ８によって反射され、次いで、導光レンズ２ａの反射面２ａ９ａによって反射され、次いで、導光レンズ２ａの出射面２ａ１１を透過した光Ｌａ９ａがＬＥＤ照明装置１００の照射方向（図１４（Ａ）の上側）に照射される。
【００９９】
更に、第１の実施形態のＬＥＤ照明装置１００では、図１４（Ｂ）に示すように、ＬＥＤ光源１ａの光軸１ａ’と角度θｂ（＞θａ）をなしてＬＥＤ光源１ａから照射され、次いで、導光レンズ２ａの入射面２ａ１を透過し、次いで、導光レンズ２ａの反射面２ａ８によって反射され、次いで、導光レンズ２ａの反射面２ａ９ｂによって反射され、次いで、導光レンズ２ａの出射面２ａ１１を透過した光Ｌａ９ｂがＬＥＤ照明装置１００の照射方向（図１４（Ｂ）の上側）に照射される。
【０１００】
また、第１の実施形態のＬＥＤ照明装置１００では、図１４（Ｃ）に示すように、ＬＥＤ光源１ａの光軸１ａ’と角度θｃ（＞θｂ）をなしてＬＥＤ光源１ａから照射され、次いで、導光レンズ２ａの入射面２ａ１を透過し、次いで、導光レンズ２ａの反射面２ａ８によって反射され、次いで、導光レンズ２ａの反射面２ａ９ｃによって反射され、次いで、導光レンズ２ａの出射面２ａ１１を透過した光Ｌａ９ｃがＬＥＤ照明装置１００の照射方向（図１４（Ｃ）の上側）に照射される。
【０１０１】
更に、第１の実施形態のＬＥＤ照明装置１００では、図１５（Ａ）に示すように、ＬＥＤ光源１ａの光軸１ａ’と角度θｄ（＞θｃ）をなしてＬＥＤ光源１ａから照射され、次いで、導光レンズ２ａの入射面２ａ１を透過し、次いで、導光レンズ２ａの反射面２ａ８によって反射され、次いで、導光レンズ２ａの反射面２ａ９ｄによって反射され、次いで、導光レンズ２ａの出射面２ａ１１を透過した光Ｌａ９ｄがＬＥＤ照明装置１００の照射方向（図１５（Ａ）の上側）に照射される。
【０１０２】
また、第１の実施形態のＬＥＤ照明装置１００では、図１５（Ｂ）に示すように、ＬＥＤ光源１ａの光軸１ａ’と角度θｅ（＞θｄ）をなしてＬＥＤ光源１ａから照射され、次いで、導光レンズ２ａの入射面２ａ１を透過し、次いで、導光レンズ２ａの反射面２ａ８によって反射され、次いで、導光レンズ２ａの反射面２ａ９ｅによって反射され、次いで、導光レンズ２ａの出射面２ａ１１を透過した光Ｌａ９ｅがＬＥＤ照明装置１００の照射方向（図１５（Ｂ）の上側）に照射される。
【０１０３】
更に、第１の実施形態のＬＥＤ照明装置１００では、図１４（Ａ）に示すように、ＬＥＤ光源１ａの光軸１ａ’と角度θｊ（＞θｅ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ８によって反射され、次いで、導光レンズ２ａの反射面２ａ９ｊによって反射され、次いで、導光レンズ２ａの出射面２ａ１１を透過した光Ｌａ９ｊがＬＥＤ照明装置１００の照射方向（図１４（Ａ）の上側）に照射される。
【０１０４】
また、第１の実施形態のＬＥＤ照明装置１００では、図１４（Ｂ）に示すように、ＬＥＤ光源１ａの光軸１ａ’と角度θｉ（＞θｊ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ８によって反射され、次いで、導光レンズ２ａの反射面２ａ９ｉによって反射され、次いで、導光レンズ２ａの出射面２ａ１１を透過した光Ｌａ９ｉがＬＥＤ照明装置１００の照射方向（図１４（Ｂ）の上側）に照射される。
【０１０５】
更に、第１の実施形態のＬＥＤ照明装置１００では、図１４（Ｃ）に示すように、ＬＥＤ光源１ａの光軸１ａ’と角度θｈ（＞θｉ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ８によって反射され、次いで、導光レンズ２ａの反射面２ａ９ｈによって反射され、次いで、導光レンズ２ａの出射面２ａ１１を透過した光Ｌａ９ｈがＬＥＤ照明装置１００の照射方向（図１４（Ｃ）の上側）に照射される。
【０１０６】
また、第１の実施形態のＬＥＤ照明装置１００では、図１５（Ａ）に示すように、ＬＥＤ光源１ａの光軸１ａ’と角度θｇ（＞θｈ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ８によって反射され、次いで、導光レンズ２ａの反射面２ａ９ｇによって反射され、次いで、導光レンズ２ａの出射面２ａ１１を透過した光Ｌａ９ｇがＬＥＤ照明装置１００の照射方向（図１５（Ａ）の上側）に照射される。
【０１０７】
更に、第１の実施形態のＬＥＤ照明装置１００では、図１５（Ｂ）に示すように、ＬＥＤ光源１ａの光軸１ａ’と角度θｆ（＞θｇ）をなしてＬＥＤ光源１ａから照射され、次いで、導光レンズ２ａの入射面２ａ２を透過し、次いで、導光レンズ２ａの反射面２ａ３によって反射され、次いで、導光レンズ２ａの反射面２ａ８によって反射され、次いで、導光レンズ２ａの反射面２ａ９ｆによって反射され、次いで、導光レンズ２ａの出射面２ａ１１を透過した光Ｌａ９ｆがＬＥＤ照明装置１００の照射方向（図１５（Ｂ）の上側）に照射される。
【０１０８】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ａを見た時に、導光レンズ２ａの出射面２ａ１１が光って見える。一方、ＬＥＤ照明装置１００の照射方向（図１４および図１５の上側）から導光レンズ２ａを見た時に、導光レンズ２ａの反射面２ａ８は光って見えない。
【０１０９】
更に、第１の実施形態のＬＥＤ照明装置１００では、図３〜図５に示すように、導光レンズ２ａの反射面２ａ８（図３（Ａ）および図３（Ｂ）参照）と反射面２ａ９ａ，２ａ９ｂ，２ａ９ｃ，２ａ９ｄ（図４（Ｂ）および図５（Ｃ）参照）と出射面２ａ１１（図３（Ａ）、図３（Ｂ）および図４参照）とを接続する端面２ａ１６（図３（Ｂ）および図４（Ｃ）参照）が、導光レンズ２ａの下層部２ａ−１（図３および図５参照）、接続部２ａ−５（図３および図５参照）および上層部２ａ−３（図３および図５参照）の短手方向の一方の側（図３（Ａ）の下側、図４（Ｂ）の右側）に形成されている。更に、図３および図４に示すように、ＬＥＤ光源１ａ（図１および図２参照）の光軸１ａ’（図４（Ｂ）参照）に平行な平面であって、導光レンズ２ａの反射面２ａ８に垂直な平面によって導光レンズ２ａの端面２ａ１６が構成されている。
【０１１０】
また、第１の実施形態のＬＥＤ照明装置１００では、図３および図４に示すように、導光レンズ２ａの上層部２ａ−４（図３および図５参照）の短手方向の一方の側（図３（Ａ）の下側、図４（Ｂ）の右側）に形成されている端面２ａ１７（図３（Ｂ）、図３（Ｃ）、図４（Ｂ）および図４（Ｃ）参照）と端面２ａ１６（図３（Ｂ）および図４（Ｃ）参照）とによって、導光レンズ２ａの反射面２ａ９ｇ，２ａ９ｈ，２ａ９ｉ，２ａ９ｊ（図４（Ｂ）および図５（Ｃ）参照）と出射面２ａ１１（図３（Ａ）、図３（Ｂ）および図４参照）とが接続されている。更に、図３（Ｂ）、図３（Ｃ）、図４（Ｂ）および図４（Ｃ）に示すように、ＬＥＤ光源１ａ（図１および図２参照）の光軸１ａ’（図４（Ｂ）参照）と４５°（図４（Ｂ）参照）をなす平面であって、導光レンズ２ａの端面２ａ１６（図４（Ｂ）および図４（Ｃ）参照）と４５°（図４（Ｂ）参照）をなす平面によって導光レンズ２ａの端面２ａ１７が構成されている。
【０１１１】
更に、第１の実施形態のＬＥＤ照明装置１００では、図３〜図５に示すように、導光レンズ２ａの反射面２ａ８（図３（Ａ）および図３（Ｄ）参照）と反射面２ａ９ａ，２ａ９ｂ，２ａ９ｃ，２ａ９ｄ（図４（Ｂ）および図５（Ｃ）参照）と出射面２ａ１１（図３（Ａ）、図３（Ｄ）および図４参照）とを接続する端面２ａ２２（図３（Ｄ）および図４（Ｄ）参照）が、導光レンズ２ａの下層部２ａ−１（図３および図５参照）、接続部２ａ−５（図３および図５参照）および上層部２ａ−４（図３および図５参照）の短手方向の他方の側（図３（Ａ）の上側、図４（Ｂ）の左側）に形成されている。また、図３および図４に示すように、ＬＥＤ光源１ａ（図１および図２参照）の光軸１ａ’（図４（Ｂ）参照）に平行な平面であって、導光レンズ２ａの反射面２ａ８に垂直な平面によって導光レンズ２ａの端面２ａ２２が構成されている。
【０１１２】
また、第１の実施形態のＬＥＤ照明装置１００では、図３および図４に示すように、導光レンズ２ａの上層部２ａ−４（図３および図５参照）の短手方向の他方の側（図３（Ａ）の上側、図４（Ｂ）の左側）に形成されている端面２ａ２３（図３（Ｃ）、図３（Ｄ）、図４（Ｂ）および図４（Ｄ）参照）と端面２ａ２２（図３（Ｄ）および図４（Ｄ）参照）とによって、導光レンズ２ａの反射面２ａ９ｇ，２ａ９ｈ，２ａ９ｉ，２ａ９ｊ（図４（Ｂ）および図５（Ｃ）参照）と出射面２ａ１１（図３（Ａ）、図３（Ｄ）および図４参照）とが接続されている。更に、図３（Ｃ）、図３（Ｄ）、図４（Ａ）および図４（Ｄ）に示すように、ＬＥＤ光源１ａ（図１および図２参照）の光軸１ａ’（図４（Ｂ）参照）と４５°（図４（Ｂ）参照）をなす平面であって、導光レンズ２ａの端面２ａ２２（図４（Ｂ）および図４（Ｄ）参照）と４５°（図４（Ｂ）参照）をなす平面によって導光レンズ２ａの端面２ａ２３が構成されている。
【０１１３】
更に、第１の実施形態のＬＥＤ照明装置１００では、図１および図２に示すように、導光レンズ２ｂが導光レンズ２ａと同一形状に形成されている。
【０１１４】
詳細には、第１の実施形態のＬＥＤ照明装置１００では、図８（Ａ）に示すように、ＬＥＤ光源１ｂ（図１および図２参照）の光軸１ｂ’を含む導光レンズ２ｂの長手方向（図６（Ａ）の左右方向）の断面形状が概略Ｖ字状になるように、導光レンズ２ｂが形成されている。更に詳細には、図８（Ａ）に示す導光レンズ２ｂの断面形状がＬＥＤ光源１ｂの光軸１ｂ’に対して左右対称に設定されている。更に、図６および図８に示すように、ＬＥＤ光源１ｂの光軸１ｂ’を含む下層部２ｂ−１と、導光レンズ２ｂの長手方向の一方の側（図６および図８の右側）の上層部２ｂ−２と、下層部２ｂ−１と上層部２ｂ−２とを接続する接続部２ｂ−３と、導光レンズ２ｂの長手方向の他方の側（図６および図８の左側）の上層部２ｂ−４と、下層部２ｂ−１と上層部２ｂ−４とを接続する接続部２ｂ−５とに導光レンズ２ｂが仮想分割されている。
【０１１５】
また、第１の実施形態のＬＥＤ照明装置１００では、ＬＥＤ光源１ｂ（図１６〜図１９参照）の光軸１ｂ’（図１６〜図１９参照）と角度θａ，θｂ，θｃ，θｄ，θｅ（θａ＜θｂ＜θｃ＜θｄ＜θｅ）（図１６〜図１９参照）をなしてＬＥＤ光源１ｂから照射された光を透過させてＬＥＤ光源１ｂの光軸１ｂ’に概略平行な光にする入射面２ｂ１（図６（Ｃ）、図８、図１６〜図１９参照）が導光レンズ２ｂの下層部２ｂ−１（図６および図８参照）に形成されている。
【０１１６】
更に、第１の実施形態のＬＥＤ照明装置１００では、ＬＥＤ光源１ｂ（図１６〜図１９参照）の光軸１ｂ’（図１６〜図１９参照）と角度θｅ（図１７（Ｂ）および図１９（Ｂ）参照）より大きい角度θｆ，θｇ，θｈ，θｉ，θｊ（θｅ＜θｊ＜θｉ＜θｈ＜θｇ＜θｆ）（図１６〜図１９参照）をなしてＬＥＤ光源１ｂから照射された光が入射する入射面２ｂ２（図６（Ｃ）、図８、図１６〜図１９参照）が導光レンズ２ｂの下層部２ｂ−１（図６および図８参照）に形成されている。
【０１１７】
また、第１の実施形態のＬＥＤ照明装置１００では、図１６〜図１９に示すように、ＬＥＤ光源１ｂから照射され、導光レンズ２ｂの入射面２ｂ２を透過した光を反射してＬＥＤ光源１ｂの光軸１ｂ’に概略平行な光にする反射面２ｂ３が導光レンズ２ｂの下層部２ｂ−１（図６および図８参照）に形成されている。
【０１１８】
更に、第１の実施形態のＬＥＤ照明装置１００では、図１６および図１７に示すように、ＬＥＤ光源１ｂから照射され、導光レンズ２ｂの入射面２ｂ１を透過した光、および、ＬＥＤ光源１ｂから照射され、導光レンズ２ｂの入射面２ｂ２を透過し、導光レンズ２ｂの反射面２ｂ３によって反射された光を反射して、ＬＥＤ光源１ｂの光軸１ｂ’に概略垂直な平面内を進む光であって、導光レンズ２ｂの長手方向の一方の側（図１６および図１７の右側）に進む光にする反射面２ｂ４が導光レンズ２ｂの下層部２ｂ−１（図６および図８参照）に形成されている。また、ＬＥＤ光源１ｂの光軸１ｂ’と４５°（図６（Ｂ）および図６（Ｄ）参照）をなす平面によって導光レンズ２ｂの反射面２ｂ４（図６参照）が構成されている。
【０１１９】
また、第１の実施形態のＬＥＤ照明装置１００では、図１６および図１７に示すように、ＬＥＤ光源１ｂから照射され、導光レンズ２ｂの入射面２ｂ１を透過し、導光レンズ２ｂの反射面２ｂ４によって反射された光を反射して、ＬＥＤ光源１ｂの光軸１ｂ’に概略平行な光にする反射面２ｂ５ａ，２ｂ５ｂ，２ｂ５ｃ，２ｂ５ｄ，２ｂ５ｅが導光レンズ２ｂの接続部２ｂ−３（図６および図８参照）に形成されている。更に、ＬＥＤ光源１ｂの光軸１ｂ’と４５°をなす平面であって、導光レンズ２ｂの反射面２ｂ４に平行な平面によって導光レンズ２ｂの反射面２ｂ５ａ，２ｂ５ｂ，２ｂ５ｃ，２ｂ５ｄ，２ｂ５ｅ（図７（Ａ）参照）が構成されている。
【０１２０】
更に、第１の実施形態のＬＥＤ照明装置１００では、図１６および図１７に示すように、ＬＥＤ光源１ｂから照射され、導光レンズ２ｂの入射面２ｂ２を透過し、導光レンズ２ｂの反射面２ｂ３によって反射され、導光レンズ２ｂの反射面２ｂ４によって反射された光を反射して、ＬＥＤ光源１ｂの光軸１ｂ’に概略平行な光にする反射面２ｂ５ｆ，２ｂ５ｇ，２ｂ５ｈ，２ｂ５ｉ，２ｂ５ｊが導光レンズ２ｂの接続部２ｂ−３（図６および図８参照）および上層部２ｂ−２（図６および図８参照）に形成されている。また、ＬＥＤ光源１ｂの光軸１ｂ’と４５°をなす平面であって、導光レンズ２ｂの反射面２ｂ４に平行な平面によって導光レンズ２ｂの反射面２ｂ５ｆ，２ｂ５ｇ，２ｂ５ｈ，２ｂ５ｉ，２ｂ５ｊ（図７（Ａ）参照）が構成されている。
【０１２１】
また、第１の実施形態のＬＥＤ照明装置１００では、図８（Ｂ）に示すように、ＬＥＤ光源１ｂ（図１および図２参照）の光軸１ｂ’に垂直な接続面２ｂ６ａによって反射面２ｂ５ａ，２ｂ５ｂが接続され、ＬＥＤ光源１ｂの光軸１ｂ’に垂直な接続面２ｂ６ｂによって反射面２ｂ５ｂ，２ｂ５ｃが接続され、ＬＥＤ光源１ｂの光軸１ｂ’に垂直な接続面２ｂ６ｃによって反射面２ｂ５ｃ，２ｂ５ｄが接続され、ＬＥＤ光源１ｂの光軸１ｂ’に垂直な接続面２ｂ６ｄによって反射面２ｂ５ｄ，２ｂ５ｅが接続され、ＬＥＤ光源１ｂの光軸１ｂ’に垂直な接続面２ｂ６ｅによって反射面２ｂ５ｅ，２ｂ５ｆが接続されている。
【０１２２】
更に、第１の実施形態のＬＥＤ照明装置１００では、図８（Ｂ）に示すように、ＬＥＤ光源１ｂ（図１および図２参照）の光軸１ｂ’に垂直な接続面２ｂ６ｆによって反射面２ｂ５ｆ，２ｂ５ｇが接続され、ＬＥＤ光源１ｂの光軸１ｂ’に垂直な接続面２ｂ６ｇによって反射面２ｂ５ｇ，２ｂ５ｈが接続され、ＬＥＤ光源１ｂの光軸１ｂ’に垂直な接続面２ｂ６ｈによって反射面２ｂ５ｈ，２ｂ５ｉが接続され、ＬＥＤ光源１ｂの光軸１ｂ’に垂直な接続面２ｂ６ｉによって反射面２ｂ５ｉ，２ｂ５ｊが接続されている。
【０１２３】
また、第１の実施形態のＬＥＤ照明装置１００では、図１６および図１７に示すように、導光レンズ２ｂの反射面２ｂ５ａ，２ｂ５ｂ，２ｂ５ｃ，２ｂ５ｄ，２ｂ５ｅ，２ｂ５ｆ，２ｂ５ｇ，２ｂ５ｈ，２ｂ５ｉ，２ｂ５ｊからの光を透過させてＬＥＤ照明装置１００の照射方向（図１６および図１７の上側）に照射する出射面２ｂ７（図６および図７参照）が導光レンズ２ｂの接続部２ｂ−３（図６および図８参照）および上層部２ｂ−２（図６および図８参照）に形成されている。
【０１２４】
その結果、第１の実施形態のＬＥＤ照明装置１００では、図１６（Ａ）に示すように、ＬＥＤ光源１ｂの光軸１ｂ’と角度θａをなしてＬＥＤ光源１ｂから照射され、次いで、導光レンズ２ｂの入射面２ｂ１を透過し、次いで、導光レンズ２ｂの反射面２ｂ４によって反射され、次いで、導光レンズ２ｂの反射面２ｂ５ａによって反射され、次いで、導光レンズ２ｂの出射面２ｂ７を透過した光Ｌｂ５ａがＬＥＤ照明装置１００の照射方向（図１６（Ａ）の上側）に照射される。
【０１２５】
更に、第１の実施形態のＬＥＤ照明装置１００では、図１６（Ｂ）に示すように、ＬＥＤ光源１ｂの光軸１ｂ’と角度θｂ（＞θａ）をなしてＬＥＤ光源１ｂから照射され、次いで、導光レンズ２ｂの入射面２ｂ１を透過し、次いで、導光レンズ２ｂの反射面２ｂ４によって反射され、次いで、導光レンズ２ｂの反射面２ｂ５ｂによって反射され、次いで、導光レンズ２ｂの出射面２ｂ７を透過した光Ｌｂ５ｂがＬＥＤ照明装置１００の照射方向（図１６（Ｂ）の上側）に照射される。
【０１２６】
また、第１の実施形態のＬＥＤ照明装置１００では、図１６（Ｃ）に示すように、ＬＥＤ光源１ｂの光軸１ｂ’と角度θｃ（＞θｂ）をなしてＬＥＤ光源１ｂから照射され、次いで、導光レンズ２ｂの入射面２ｂ１を透過し、次いで、導光レンズ２ｂの反射面２ｂ４によって反射され、次いで、導光レンズ２ｂの反射面２ｂ５ｃによって反射され、次いで、導光レンズ２ｂの出射面２ｂ７を透過した光Ｌｂ５ｃがＬＥＤ照明装置１００の照射方向（図１６（Ｃ）の上側）に照射される。
【０１２７】
更に、第１の実施形態のＬＥＤ照明装置１００では、図１７（Ａ）に示すように、ＬＥＤ光源１ｂの光軸１ｂ’と角度θｄ（＞θｃ）をなしてＬＥＤ光源１ｂから照射され、次いで、導光レンズ２ｂの入射面２ｂ１を透過し、次いで、導光レンズ２ｂの反射面２ｂ４によって反射され、次いで、導光レンズ２ｂの反射面２ｂ５ｄによって反射され、次いで、導光レンズ２ｂの出射面２ｂ７を透過した光Ｌｂ５ｄがＬＥＤ照明装置１００の照射方向（図１７（Ａ）の上側）に照射される。
【０１２８】
また、第１の実施形態のＬＥＤ照明装置１００では、図１７（Ｂ）に示すように、ＬＥＤ光源１ｂの光軸１ｂ’と角度θｅ（＞θｄ）をなしてＬＥＤ光源１ｂから照射され、次いで、導光レンズ２ｂの入射面２ｂ１を透過し、次いで、導光レンズ２ｂの反射面２ｂ４によって反射され、次いで、導光レンズ２ｂの反射面２ｂ５ｅによって反射され、次いで、導光レンズ２ｂの出射面２ｂ７を透過した光Ｌｂ５ｅがＬＥＤ照明装置１００の照射方向（図１７（Ｂ）の上側）に照射される。
【０１２９】
更に、第１の実施形態のＬＥＤ照明装置１００では、図１６（Ａ）に示すように、ＬＥＤ光源１ｂの光軸１ｂ’と角度θｊ（＞θｅ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ４によって反射され、次いで、導光レンズ２ｂの反射面２ｂ５ｊによって反射され、次いで、導光レンズ２ｂの出射面２ｂ７を透過した光Ｌｂ５ｊがＬＥＤ照明装置１００の照射方向（図１６（Ａ）の上側）に照射される。
【０１３０】
また、第１の実施形態のＬＥＤ照明装置１００では、図１６（Ｂ）に示すように、ＬＥＤ光源１ｂの光軸１ｂ’と角度θｉ（＞θｊ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ４によって反射され、次いで、導光レンズ２ｂの反射面２ｂ５ｉによって反射され、次いで、導光レンズ２ｂの出射面２ｂ７を透過した光Ｌｂ５ｉがＬＥＤ照明装置１００の照射方向（図１６（Ｂ）の上側）に照射される。
【０１３１】
更に、第１の実施形態のＬＥＤ照明装置１００では、図１６（Ｃ）に示すように、ＬＥＤ光源１ｂの光軸１ｂ’と角度θｈ（＞θｉ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ４によって反射され、次いで、導光レンズ２ｂの反射面２ｂ５ｈによって反射され、次いで、導光レンズ２ｂの出射面２ｂ７を透過した光Ｌｂ５ｈがＬＥＤ照明装置１００の照射方向（図１６（Ｃ）の上側）に照射される。
【０１３２】
また、第１の実施形態のＬＥＤ照明装置１００では、図１７（Ａ）に示すように、ＬＥＤ光源１ｂの光軸１ｂ’と角度θｇ（＞θｈ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ４によって反射され、次いで、導光レンズ２ｂの反射面２ｂ５ｇによって反射され、次いで、導光レンズ２ｂの出射面２ｂ７を透過した光Ｌｂ５ｇがＬＥＤ照明装置１００の照射方向（図１７（Ａ）の上側）に照射される。
【０１３３】
更に、第１の実施形態のＬＥＤ照明装置１００では、図１７（Ｂ）に示すように、ＬＥＤ光源１ｂの光軸１ｂ’と角度θｆ（＞θｇ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ４によって反射され、次いで、導光レンズ２ｂの反射面２ｂ５ｆによって反射され、次いで、導光レンズ２ｂの出射面２ｂ７を透過した光Ｌｂ５ｆがＬＥＤ照明装置１００の照射方向（図１７（Ｂ）の上側）に照射される。
【０１３４】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｂを見た時に、導光レンズ２ｂの出射面２ｂ７が光って見える。一方、ＬＥＤ照明装置１００の照射方向（図１６および図１７の上側）から導光レンズ２ｂを見た時に、導光レンズ２ｂの反射面２ｂ４は光って見えない。
【０１３５】
更に、第１の実施形態のＬＥＤ照明装置１００では、図６〜図８に示すように、導光レンズ２ｂの反射面２ｂ４（図６（Ａ）および図６（Ｂ）参照）と反射面２ｂ５ａ，２ｂ５ｂ，２ｂ５ｃ，２ｂ５ｄ（図７（Ａ）および図８（Ｂ）参照）と出射面２ｂ７（図６（Ａ）、図６（Ｂ）および図７参照）とを接続する端面２ｂ１３（図６（Ｂ）および図７（Ｃ）参照）が、導光レンズ２ｂの下層部２ｂ−１（図６および図８参照）、接続部２ｂ−３（図６および図８参照）および上層部２ｂ−２（図６および図８参照）の短手方向の一方の側（図６（Ａ）の下側、図７（Ａ）の左側）に形成されている。更に、図６および図７に示すように、ＬＥＤ光源１ｂ（図１および図２参照）の光軸１ｂ’（図７（Ａ）参照）に平行な平面であって、導光レンズ２ｂの反射面２ｂ４に垂直な平面によって導光レンズ２ｂの端面２ｂ１３が構成されている。
【０１３６】
また、第１の実施形態のＬＥＤ照明装置１００では、図６および図７に示すように、導光レンズ２ｂの上層部２ｂ−２（図６および図８参照）の短手方向の一方の側（図６（Ａ）の下側、図７（Ａ）の左側）に形成されている端面２ｂ１４（図６（Ｂ）、図６（Ｃ）、図７（Ａ）および図７（Ｃ）参照）と端面２ｂ１３（図６（Ｂ）および図７（Ｃ）参照）とによって、導光レンズ２ｂの反射面２ｂ５ｇ，２ｂ５ｈ，２ｂ５ｉ，２ｂ５ｊ（図７（Ａ）および図８（Ｂ）参照）と出射面２ｂ７（図６（Ａ）、図６（Ｂ）および図７参照）とが接続されている。更に、図６（Ｂ）、図６（Ｃ）、図７（Ａ）および図７（Ｃ）に示すように、ＬＥＤ光源１ｂ（図１および図２参照）の光軸１ｂ’（図７（Ａ）参照）と４５°（図７（Ａ）参照）をなす平面であって、導光レンズ２ｂの端面２ｂ１３（図７（Ａ）および図７（Ｃ）参照）と４５°（図７（Ａ）参照）をなす平面によって導光レンズ２ｂの端面２ｂ１４が構成されている。
【０１３７】
更に、第１の実施形態のＬＥＤ照明装置１００では、図６〜図８に示すように、導光レンズ２ｂの反射面２ｂ４（図６（Ａ）および図６（Ｄ）参照）と反射面２ｂ５ａ，２ｂ５ｂ，２ｂ５ｃ，２ｂ５ｄ（図７（Ａ）および図８（Ｂ）参照）と出射面２ｂ７（図６（Ａ）、図６（Ｄ）および図７参照）とを接続する端面２ｂ１９（図６（Ｄ）および図７（Ｄ）参照）が、導光レンズ２ｂの下層部２ｂ−１（図６および図８参照）、接続部２ｂ−３（図６および図８参照）および上層部２ｂ−２（図６および図８参照）の短手方向の他方の側（図６（Ａ）の上側、図７（Ａ）の右側）に形成されている。また、図６および図７に示すように、ＬＥＤ光源１ｂ（図１および図２参照）の光軸１ｂ’（図７（Ａ）参照）に平行な平面であって、導光レンズ２ｂの反射面２ｂ４に垂直な平面によって導光レンズ２ｂの端面２ｂ１９が構成されている。
【０１３８】
また、第１の実施形態のＬＥＤ照明装置１００では、図６および図７に示すように、導光レンズ２ｂの上層部２ｂ−２（図６および図８参照）の短手方向の他方の側（図６（Ａ）の上側、図７（Ａ）の右側）に形成されている端面２ｂ２０（図６（Ｃ）、図６（Ｄ）、図７（Ａ）および図７（Ｄ）参照）と端面２ｂ１９（図６（Ｄ）および図７（Ｄ）参照）とによって、導光レンズ２ｂの反射面２ｂ５ｇ，２ｂ５ｈ，２ｂ５ｉ，２ｂ５ｊ（図７（Ａ）および図８（Ｂ）参照）と出射面２ｂ７（図６（Ａ）、図６（Ｄ）および図７参照）とが接続されている。更に、図６（Ｃ）、図６（Ｄ）、図７（Ａ）および図７（Ｄ）に示すように、ＬＥＤ光源１ｂ（図１および図２参照）の光軸１ｂ’（図７（Ａ）参照）と４５°（図７（Ａ）参照）をなす平面であって、導光レンズ２ｂの端面２ｂ１９（図７（Ａ）および図７（Ｄ）参照）と４５°（図７（Ａ）参照）をなす平面によって導光レンズ２ｂの端面２ｂ２０が構成されている。
【０１３９】
更に、第１の実施形態のＬＥＤ照明装置１００では、図１８および図１９に示すように、ＬＥＤ光源１ｂから照射され、導光レンズ２ｂの入射面２ｂ１を透過した光、および、ＬＥＤ光源１ｂから照射され、導光レンズ２ｂの入射面２ｂ２を透過し、導光レンズ２ｂの反射面２ｂ３によって反射された光を反射して、ＬＥＤ光源１ｂの光軸１ｂ’に概略垂直な平面内を進む光であって、導光レンズ２ｂの長手方向の他方の側（図１８および図１９の左側）に進む光にする反射面２ｂ８が導光レンズ２ｂの下層部２ｂ−１（図６および図８参照）に形成されている。また、ＬＥＤ光源１ｂの光軸１ｂ’と４５°（図６（Ｂ）および図６（Ｄ）参照）をなす平面によって導光レンズ２ｂの反射面２ｂ８（図６、図７（Ｃ）および図７（Ｄ）参照）が構成されている。
【０１４０】
また、第１の実施形態のＬＥＤ照明装置１００では、図１８および図１９に示すように、ＬＥＤ光源１ｂから照射され、導光レンズ２ｂの入射面２ｂ１を透過し、導光レンズ２ｂの反射面２ｂ４によって反射された光を反射して、ＬＥＤ光源１ｂの光軸１ｂ’に概略平行な光にする反射面２ｂ９ａ，２ｂ９ｂ，２ｂ９ｃ，２ｂ９ｄ，２ｂ９ｅが導光レンズ２ｂの接続部２ｂ−５（図６および図８参照）に形成されている。更に、ＬＥＤ光源１ｂの光軸１ｂ’と４５°をなす平面であって、導光レンズ２ｂの反射面２ｂ８に平行な平面によって導光レンズ２ｂの反射面２ｂ９ａ，２ｂ９ｂ，２ｂ９ｃ，２ｂ９ｄ，２ｂ９ｅ（図８（Ａ）参照）が構成されている。
【０１４１】
更に、第１の実施形態のＬＥＤ照明装置１００では、図１８および図１９に示すように、ＬＥＤ光源１ｂから照射され、導光レンズ２ｂの入射面２ｂ２を透過し、導光レンズ２ｂの反射面２ｂ３によって反射され、導光レンズ２ｂの反射面２ｂ８によって反射された光を反射して、ＬＥＤ光源１ｂの光軸１ｂ’に概略平行な光にする反射面２ｂ９ｆ，２ｂ９ｇ，２ｂ９ｈ，２ｂ９ｉ，２ｂ９ｊが導光レンズ２ｂの接続部２ｂ−５（図６および図８参照）および上層部２ｂ−４（図６および図８参照）に形成されている。また、ＬＥＤ光源１ｂの光軸１ｂ’と４５°をなす平面であって、導光レンズ２ｂの反射面２ｂ８に平行な平面によって導光レンズ２ｂの反射面２ｂ９ｆ，２ｂ９ｇ，２ｂ９ｈ，２ｂ９ｉ，２ｂ９ｊ（図７（Ａ）参照）が構成されている。
【０１４２】
また、第１の実施形態のＬＥＤ照明装置１００では、図８（Ｃ）に示すように、ＬＥＤ光源１ｂ（図１および図２参照）の光軸１ｂ’に垂直な接続面２ｂ１０ａによって反射面２ｂ９ａ，２ｂ９ｂが接続され、ＬＥＤ光源１ｂの光軸１ｂ’に垂直な接続面２ｂ１０ｂによって反射面２ｂ９ｂ，２ｂ９ｃが接続され、ＬＥＤ光源１ｂの光軸１ｂ’に垂直な接続面２ｂ１０ｃによって反射面２ｂ９ｃ，２ｂ９ｄが接続され、ＬＥＤ光源１ｂの光軸１ｂ’に垂直な接続面２ｂ１０ｄによって反射面２ｂ９ｄ，２ｂ９ｅが接続され、ＬＥＤ光源１ｂの光軸１ｂ’に垂直な接続面２ｂ１０ｅによって反射面２ｂ９ｅ，２ｂ９ｆが接続されている。
【０１４３】
更に、第１の実施形態のＬＥＤ照明装置１００では、図８（Ｃ）に示すように、ＬＥＤ光源１ｂ（図１および図２参照）の光軸１ｂ’に垂直な接続面２ｂ１０ｆによって反射面２ｂ９ｆ，２ｂ９ｇが接続され、ＬＥＤ光源１ｂの光軸１ｂ’に垂直な接続面２ｂ１０ｇによって反射面２ｂ９ｇ，２ｂ９ｈが接続され、ＬＥＤ光源１ｂの光軸１ｂ’に垂直な接続面２ｂ１０ｈによって反射面２ｂ９ｈ，２ｂ９ｉが接続され、ＬＥＤ光源１ｂの光軸１ｂ’に垂直な接続面２ｂ１０ｉによって反射面２ｂ９ｉ，２ｂ９ｊが接続されている。
【０１４４】
また、第１の実施形態のＬＥＤ照明装置１００では、図１８および図１９に示すように、導光レンズ２ｂの反射面２ｂ９ａ，２ｂ９ｂ，２ｂ９ｃ，２ｂ９ｄ，２ｂ９ｅ，２ｂ９ｆ，２ｂ９ｇ，２ｂ９ｈ，２ｂ９ｉ，２ｂ９ｊからの光を透過させてＬＥＤ照明装置１００の照射方向（図１８および図１９の上側）に照射する出射面２ｂ１１（図６および図７参照）が導光レンズ２ｂの接続部２ｂ−５（図６および図８参照）および上層部２ｂ−４（図６および図８参照）に形成されている。
【０１４５】
その結果、第１の実施形態のＬＥＤ照明装置１００では、図１８（Ａ）に示すように、ＬＥＤ光源１ｂの光軸１ｂ’と角度θａをなしてＬＥＤ光源１ｂから照射され、次いで、導光レンズ２ｂの入射面２ｂ１を透過し、次いで、導光レンズ２ｂの反射面２ｂ８によって反射され、次いで、導光レンズ２ｂの反射面２ｂ９ａによって反射され、次いで、導光レンズ２ｂの出射面２ｂ１１を透過した光Ｌｂ９ａがＬＥＤ照明装置１００の照射方向（図１８（Ａ）の上側）に照射される。
【０１４６】
更に、第１の実施形態のＬＥＤ照明装置１００では、図１８（Ｂ）に示すように、ＬＥＤ光源１ｂの光軸１ｂ’と角度θｂ（＞θａ）をなしてＬＥＤ光源１ｂから照射され、次いで、導光レンズ２ｂの入射面２ｂ１を透過し、次いで、導光レンズ２ｂの反射面２ｂ８によって反射され、次いで、導光レンズ２ｂの反射面２ｂ９ｂによって反射され、次いで、導光レンズ２ｂの出射面２ｂ１１を透過した光Ｌｂ９ｂがＬＥＤ照明装置１００の照射方向（図１８（Ｂ）の上側）に照射される。
【０１４７】
また、第１の実施形態のＬＥＤ照明装置１００では、図１８（Ｃ）に示すように、ＬＥＤ光源１ｂの光軸１ｂ’と角度θｃ（＞θｂ）をなしてＬＥＤ光源１ｂから照射され、次いで、導光レンズ２ｂの入射面２ｂ１を透過し、次いで、導光レンズ２ｂの反射面２ｂ８によって反射され、次いで、導光レンズ２ｂの反射面２ｂ９ｃによって反射され、次いで、導光レンズ２ｂの出射面２ｂ１１を透過した光Ｌｂ９ｃがＬＥＤ照明装置１００の照射方向（図１８（Ｃ）の上側）に照射される。
【０１４８】
更に、第１の実施形態のＬＥＤ照明装置１００では、図１９（Ａ）に示すように、ＬＥＤ光源１ｂの光軸１ｂ’と角度θｄ（＞θｃ）をなしてＬＥＤ光源１ｂから照射され、次いで、導光レンズ２ｂの入射面２ｂ１を透過し、次いで、導光レンズ２ｂの反射面２ｂ８によって反射され、次いで、導光レンズ２ｂの反射面２ｂ９ｄによって反射され、次いで、導光レンズ２ｂの出射面２ｂ１１を透過した光Ｌｂ９ｄがＬＥＤ照明装置１００の照射方向（図１９（Ａ）の上側）に照射される。
【０１４９】
また、第１の実施形態のＬＥＤ照明装置１００では、図１９（Ｂ）に示すように、ＬＥＤ光源１ｂの光軸１ｂ’と角度θｅ（＞θｄ）をなしてＬＥＤ光源１ｂから照射され、次いで、導光レンズ２ｂの入射面２ｂ１を透過し、次いで、導光レンズ２ｂの反射面２ｂ８によって反射され、次いで、導光レンズ２ｂの反射面２ｂ９ｅによって反射され、次いで、導光レンズ２ｂの出射面２ｂ１１を透過した光Ｌｂ９ｅがＬＥＤ照明装置１００の照射方向（図１９（Ｂ）の上側）に照射される。
【０１５０】
更に、第１の実施形態のＬＥＤ照明装置１００では、図１８（Ａ）に示すように、ＬＥＤ光源１ｂの光軸１ｂ’と角度θｊ（＞θｅ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ８によって反射され、次いで、導光レンズ２ｂの反射面２ｂ９ｊによって反射され、次いで、導光レンズ２ｂの出射面２ｂ１１を透過した光Ｌｂ９ｊがＬＥＤ照明装置１００の照射方向（図１８（Ａ）の上側）に照射される。
【０１５１】
また、第１の実施形態のＬＥＤ照明装置１００では、図１８（Ｂ）に示すように、ＬＥＤ光源１ｂの光軸１ｂ’と角度θｉ（＞θｊ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ８によって反射され、次いで、導光レンズ２ｂの反射面２ｂ９ｉによって反射され、次いで、導光レンズ２ｂの出射面２ｂ１１を透過した光Ｌｂ９ｉがＬＥＤ照明装置１００の照射方向（図１８（Ｂ）の上側）に照射される。
【０１５２】
更に、第１の実施形態のＬＥＤ照明装置１００では、図１８（Ｃ）に示すように、ＬＥＤ光源１ｂの光軸１ｂ’と角度θｈ（＞θｉ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ８によって反射され、次いで、導光レンズ２ｂの反射面２ｂ９ｈによって反射され、次いで、導光レンズ２ｂの出射面２ｂ１１を透過した光Ｌｂ９ｈがＬＥＤ照明装置１００の照射方向（図１８（Ｃ）の上側）に照射される。
【０１５３】
また、第１の実施形態のＬＥＤ照明装置１００では、図１９（Ａ）に示すように、ＬＥＤ光源１ｂの光軸１ｂ’と角度θｇ（＞θｈ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ８によって反射され、次いで、導光レンズ２ｂの反射面２ｂ９ｇによって反射され、次いで、導光レンズ２ｂの出射面２ｂ１１を透過した光Ｌｂ９ｇがＬＥＤ照明装置１００の照射方向（図１９（Ａ）の上側）に照射される。
【０１５４】
更に、第１の実施形態のＬＥＤ照明装置１００では、図１９（Ｂ）に示すように、ＬＥＤ光源１ｂの光軸１ｂ’と角度θｆ（＞θｇ）をなしてＬＥＤ光源１ｂから照射され、次いで、導光レンズ２ｂの入射面２ｂ２を透過し、次いで、導光レンズ２ｂの反射面２ｂ３によって反射され、次いで、導光レンズ２ｂの反射面２ｂ８によって反射され、次いで、導光レンズ２ｂの反射面２ｂ９ｆによって反射され、次いで、導光レンズ２ｂの出射面２ｂ１１を透過した光Ｌｂ９ｆがＬＥＤ照明装置１００の照射方向（図１９（Ｂ）の上側）に照射される。
【０１５５】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｂを見た時に、導光レンズ２ｂの出射面２ｂ１１が光って見える。一方、ＬＥＤ照明装置１００の照射方向（図１８および図１９の上側）から導光レンズ２ｂを見た時に、導光レンズ２ｂの反射面２ｂ８は光って見えない。
【０１５６】
更に、第１の実施形態のＬＥＤ照明装置１００では、図６〜図８に示すように、導光レンズ２ｂの反射面２ｂ８（図６（Ａ）および図６（Ｂ）参照）と反射面２ｂ９ａ，２ｂ９ｂ，２ｂ９ｃ，２ｂ９ｄ（図７（Ｂ）および図８（Ｃ）参照）と出射面２ｂ１１（図６（Ａ）、図６（Ｂ）および図７参照）とを接続する端面２ｂ１６（図６（Ｂ）および図７（Ｃ）参照）が、導光レンズ２ｂの下層部２ｂ−１（図６および図８参照）、接続部２ｂ−５（図６および図８参照）および上層部２ｂ−３（図６および図８参照）の短手方向の一方の側（図６（Ａ）の下側、図７（Ｂ）の右側）に形成されている。更に、図６および図７に示すように、ＬＥＤ光源１ｂ（図１および図２参照）の光軸１ｂ’（図７（Ｂ）参照）に平行な平面であって、導光レンズ２ｂの反射面２ｂ８に垂直な平面によって導光レンズ２ｂの端面２ｂ１６が構成されている。
【０１５７】
また、第１の実施形態のＬＥＤ照明装置１００では、図６および図７に示すように、導光レンズ２ｂの上層部２ｂ−４（図６および図８参照）の短手方向の一方の側（図６（Ａ）の下側、図７（Ｂ）の右側）に形成されている端面２ｂ１７（図６（Ｂ）、図６（Ｃ）、図７（Ｂ）および図７（Ｃ）参照）と端面２ｂ１６（図６（Ｂ）および図７（Ｃ）参照）とによって、導光レンズ２ｂの反射面２ｂ９ｇ，２ｂ９ｈ，２ｂ９ｉ，２ｂ９ｊ（図７（Ｂ）および図８（Ｃ）参照）と出射面２ｂ１１（図６（Ａ）、図６（Ｂ）および図７参照）とが接続されている。更に、図６（Ｂ）、図６（Ｃ）、図７（Ｂ）および図７（Ｃ）に示すように、ＬＥＤ光源１ｂ（図１および図２参照）の光軸１ｂ’（図７（Ｂ）参照）と４５°（図７（Ｂ）参照）をなす平面であって、導光レンズ２ｂの端面２ｂ１６（図７（Ｂ）および図７（Ｃ）参照）と４５°（図７（Ｂ）参照）をなす平面によって導光レンズ２ｂの端面２ｂ１７が構成されている。
【０１５８】
更に、第１の実施形態のＬＥＤ照明装置１００では、図６〜図８に示すように、導光レンズ２ｂの反射面２ｂ８（図６（Ａ）および図６（Ｄ）参照）と反射面２ｂ９ａ，２ｂ９ｂ，２ｂ９ｃ，２ｂ９ｄ（図７（Ｂ）および図８（Ｃ）参照）と出射面２ｂ１１（図６（Ａ）、図６（Ｄ）および図７参照）とを接続する端面２ｂ２２（図６（Ｄ）および図７（Ｄ）参照）が、導光レンズ２ｂの下層部２ｂ−１（図６および図８参照）、接続部２ｂ−５（図６および図８参照）および上層部２ｂ−４（図６および図８参照）の短手方向の他方の側（図６（Ａ）の上側、図７（Ｂ）の左側）に形成されている。また、図６および図７に示すように、ＬＥＤ光源１ｂ（図１および図２参照）の光軸１ｂ’（図７（Ｂ）参照）に平行な平面であって、導光レンズ２ｂの反射面２ｂ８に垂直な平面によって導光レンズ２ｂの端面２ｂ２２が構成されている。
【０１５９】
また、第１の実施形態のＬＥＤ照明装置１００では、図６および図７に示すように、導光レンズ２ｂの上層部２ｂ−４（図６および図８参照）の短手方向の他方の側（図６（Ａ）の上側、図７（Ｂ）の左側）に形成されている端面２ｂ２３（図６（Ｃ）、図６（Ｄ）、図７（Ｂ）および図７（Ｄ）参照）と端面２ｂ２２（図６（Ｄ）および図７（Ｄ）参照）とによって、導光レンズ２ｂの反射面２ｂ９ｇ，２ｂ９ｈ，２ｂ９ｉ，２ｂ９ｊ（図７（Ｂ）および図８（Ｃ）参照）と出射面２ｂ１１（図６（Ａ）、図６（Ｄ）および図７参照）とが接続されている。更に、図６（Ｃ）、図６（Ｄ）、図７（Ａ）および図７（Ｄ）に示すように、ＬＥＤ光源１ｂ（図１および図２参照）の光軸１ｂ’（図７（Ｂ）参照）と４５°（図７（Ｂ）参照）をなす平面であって、導光レンズ２ｂの端面２ｂ２２（図７（Ｂ）および図７（Ｄ）参照）と４５°（図７（Ｂ）参照）をなす平面によって導光レンズ２ｂの端面２ｂ２３が構成されている。
【０１６０】
更に、第１の実施形態のＬＥＤ照明装置１００では、図１および図２に示すように、導光レンズ２ｃが導光レンズ２ａ，２ｂと同一形状に形成されている。
【０１６１】
詳細には、第１の実施形態のＬＥＤ照明装置１００では、図１１（Ａ）に示すように、ＬＥＤ光源１ｃ（図１および図２参照）の光軸１ｃ’を含む導光レンズ２ｃの長手方向（図９（Ａ）の左右方向）の断面形状が概略Ｖ字状になるように、導光レンズ２ｃが形成されている。更に詳細には、図１１（Ａ）に示す導光レンズ２ｃの断面形状がＬＥＤ光源１ｃの光軸１ｃ’に対して左右対称に設定されている。更に、図９および図１１に示すように、ＬＥＤ光源１ｃの光軸１ｃ’を含む下層部２ｃ−１と、導光レンズ２ｃの長手方向の一方の側（図９および図１１の右側）の上層部２ｃ−２と、下層部２ｃ−１と上層部２ｃ−２とを接続する接続部２ｃ−３と、導光レンズ２ｃの長手方向の他方の側（図９および図１１の左側）の上層部２ｃ−４と、下層部２ｃ−１と上層部２ｃ−４とを接続する接続部２ｃ−５とに導光レンズ２ｃが仮想分割されている。
【０１６２】
また、第１の実施形態のＬＥＤ照明装置１００では、ＬＥＤ光源１ｃ（図２０〜図２３参照）の光軸１ｃ’（図２０〜図２３参照）と角度θａ，θｂ，θｃ，θｄ，θｅ（θａ＜θｂ＜θｃ＜θｄ＜θｅ）（図２０〜図２３参照）をなしてＬＥＤ光源１ｃから照射された光を透過させてＬＥＤ光源１ｃの光軸１ｃ’に概略平行な光にする入射面２ｃ１（図９（Ｃ）、図１１、図２０〜図２３参照）が導光レンズ２ｃの下層部２ｃ−１（図９および図１１参照）に形成されている。
【０１６３】
更に、第１の実施形態のＬＥＤ照明装置１００では、ＬＥＤ光源１ｃ（図２０〜図２３参照）の光軸１ｃ’（図２０〜図２３参照）と角度θｅ（図２１（Ｂ）および図２３（Ｂ）参照）より大きい角度θｆ，θｇ，θｈ，θｉ，θｊ（θｅ＜θｊ＜θｉ＜θｈ＜θｇ＜θｆ）（図２０〜図２３参照）をなしてＬＥＤ光源１ｃから照射された光が入射する入射面２ｃ２（図９（Ｃ）、図１１、図２０〜図２３参照）が導光レンズ２ｃの下層部２ｃ−１（図９および図１１参照）に形成されている。
【０１６４】
また、第１の実施形態のＬＥＤ照明装置１００では、図２０〜図２３に示すように、ＬＥＤ光源１ｃから照射され、導光レンズ２ｃの入射面２ｃ２を透過した光を反射してＬＥＤ光源１ｃの光軸１ｃ’に概略平行な光にする反射面２ｃ３が導光レンズ２ｃの下層部２ｃ−１（図９および図１１参照）に形成されている。
【０１６５】
更に、第１の実施形態のＬＥＤ照明装置１００では、図２０および図２１に示すように、ＬＥＤ光源１ｃから照射され、導光レンズ２ｃの入射面２ｃ１を透過した光、および、ＬＥＤ光源１ｃから照射され、導光レンズ２ｃの入射面２ｃ２を透過し、導光レンズ２ｃの反射面２ｃ３によって反射された光を反射して、ＬＥＤ光源１ｃの光軸１ｃ’に概略垂直な平面内を進む光であって、導光レンズ２ｃの長手方向の一方の側（図２０および図２１の右側）に進む光にする反射面２ｃ４が導光レンズ２ｃの下層部２ｃ−１（図９および図１１参照）に形成されている。また、ＬＥＤ光源１ｃの光軸１ｃ’と４５°（図９（Ｂ）および図９（Ｄ）参照）をなす平面によって導光レンズ２ｃの反射面２ｃ４（図９参照）が構成されている。
【０１６６】
また、第１の実施形態のＬＥＤ照明装置１００では、図２０および図２１に示すように、ＬＥＤ光源１ｃから照射され、導光レンズ２ｃの入射面２ｃ１を透過し、導光レンズ２ｃの反射面２ｃ４によって反射された光を反射して、ＬＥＤ光源１ｃの光軸１ｃ’に概略平行な光にする反射面２ｃ５ａ，２ｃ５ｂ，２ｃ５ｃ，２ｃ５ｄ，２ｃ５ｅが導光レンズ２ｃの接続部２ｃ−３（図９および図１１参照）に形成されている。更に、ＬＥＤ光源１ｃの光軸１ｃ’と４５°をなす平面であって、導光レンズ２ｃの反射面２ｃ４に平行な平面によって導光レンズ２ｃの反射面２ｃ５ａ，２ｃ５ｂ，２ｃ５ｃ，２ｃ５ｄ，２ｃ５ｅ（図１０（Ａ）参照）が構成されている。
【０１６７】
更に、第１の実施形態のＬＥＤ照明装置１００では、図２０および図２１に示すように、ＬＥＤ光源１ｃから照射され、導光レンズ２ｃの入射面２ｃ２を透過し、導光レンズ２ｃの反射面２ｃ３によって反射され、導光レンズ２ｃの反射面２ｃ４によって反射された光を反射して、ＬＥＤ光源１ｃの光軸１ｃ’に概略平行な光にする反射面２ｃ５ｆ，２ｃ５ｇ，２ｃ５ｈ，２ｃ５ｉ，２ｃ５ｊが導光レンズ２ｃの接続部２ｃ−３（図９および図１１参照）および上層部２ｃ−２（図９および図１１参照）に形成されている。また、ＬＥＤ光源１ｃの光軸１ｃ’と４５°をなす平面であって、導光レンズ２ｃの反射面２ｃ４に平行な平面によって導光レンズ２ｃの反射面２ｃ５ｆ，２ｃ５ｇ，２ｃ５ｈ，２ｃ５ｉ，２ｃ５ｊ（図１０（Ａ）参照）が構成されている。
【０１６８】
また、第１の実施形態のＬＥＤ照明装置１００では、図１１（Ｂ）に示すように、ＬＥＤ光源１ｃ（図１および図２参照）の光軸１ｃ’に垂直な接続面２ｃ６ａによって反射面２ｃ５ａ，２ｃ５ｂが接続され、ＬＥＤ光源１ｃの光軸１ｃ’に垂直な接続面２ｃ６ｂによって反射面２ｃ５ｂ，２ｃ５ｃが接続され、ＬＥＤ光源１ｃの光軸１ｃ’に垂直な接続面２ｃ６ｃによって反射面２ｃ５ｃ，２ｃ５ｄが接続され、ＬＥＤ光源１ｃの光軸１ｃ’に垂直な接続面２ｃ６ｄによって反射面２ｃ５ｄ，２ｃ５ｅが接続され、ＬＥＤ光源１ｃの光軸１ｃ’に垂直な接続面２ｃ６ｅによって反射面２ｃ５ｅ，２ｃ５ｆが接続されている。
【０１６９】
更に、第１の実施形態のＬＥＤ照明装置１００では、図１１（Ｂ）に示すように、ＬＥＤ光源１ｃ（図１および図２参照）の光軸１ｃ’に垂直な接続面２ｃ６ｆによって反射面２ｃ５ｆ，２ｃ５ｇが接続され、ＬＥＤ光源１ｃの光軸１ｃ’に垂直な接続面２ｃ６ｇによって反射面２ｃ５ｇ，２ｃ５ｈが接続され、ＬＥＤ光源１ｃの光軸１ｃ’に垂直な接続面２ｃ６ｈによって反射面２ｃ５ｈ，２ｃ５ｉが接続され、ＬＥＤ光源１ｃの光軸１ｃ’に垂直な接続面２ｃ６ｉによって反射面２ｃ５ｉ，２ｃ５ｊが接続されている。
【０１７０】
また、第１の実施形態のＬＥＤ照明装置１００では、図２０および図２１に示すように、導光レンズ２ｃの反射面２ｃ５ａ，２ｃ５ｂ，２ｃ５ｃ，２ｃ５ｄ，２ｃ５ｅ，２ｃ５ｆ，２ｃ５ｇ，２ｃ５ｈ，２ｃ５ｉ，２ｃ５ｊからの光を透過させてＬＥＤ照明装置１００の照射方向（図２０および図２１の上側）に照射する出射面２ｃ７（図９および図１０参照）が導光レンズ２ｃの接続部２ｃ−３（図９および図１１参照）および上層部２ｃ−２（図９および図１１参照）に形成されている。
【０１７１】
その結果、第１の実施形態のＬＥＤ照明装置１００では、図２０（Ａ）に示すように、ＬＥＤ光源１ｃの光軸１ｃ’と角度θａをなしてＬＥＤ光源１ｃから照射され、次いで、導光レンズ２ｃの入射面２ｃ１を透過し、次いで、導光レンズ２ｃの反射面２ｃ４によって反射され、次いで、導光レンズ２ｃの反射面２ｃ５ａによって反射され、次いで、導光レンズ２ｃの出射面２ｃ７を透過した光Ｌｃ５ａがＬＥＤ照明装置１００の照射方向（図２０（Ａ）の上側）に照射される。
【０１７２】
更に、第１の実施形態のＬＥＤ照明装置１００では、図２０（Ｂ）に示すように、ＬＥＤ光源１ｃの光軸１ｃ’と角度θｂ（＞θａ）をなしてＬＥＤ光源１ｃから照射され、次いで、導光レンズ２ｃの入射面２ｃ１を透過し、次いで、導光レンズ２ｃの反射面２ｃ４によって反射され、次いで、導光レンズ２ｃの反射面２ｃ５ｂによって反射され、次いで、導光レンズ２ｃの出射面２ｃ７を透過した光Ｌｃ５ｂがＬＥＤ照明装置１００の照射方向（図２０（Ｂ）の上側）に照射される。
【０１７３】
また、第１の実施形態のＬＥＤ照明装置１００では、図２０（Ｃ）に示すように、ＬＥＤ光源１ｃの光軸１ｃ’と角度θｃ（＞θｂ）をなしてＬＥＤ光源１ｃから照射され、次いで、導光レンズ２ｃの入射面２ｃ１を透過し、次いで、導光レンズ２ｃの反射面２ｃ４によって反射され、次いで、導光レンズ２ｃの反射面２ｃ５ｃによって反射され、次いで、導光レンズ２ｃの出射面２ｃ７を透過した光Ｌｃ５ｃがＬＥＤ照明装置１００の照射方向（図２０（Ｃ）の上側）に照射される。
【０１７４】
更に、第１の実施形態のＬＥＤ照明装置１００では、図２１（Ａ）に示すように、ＬＥＤ光源１ｃの光軸１ｃ’と角度θｄ（＞θｃ）をなしてＬＥＤ光源１ｃから照射され、次いで、導光レンズ２ｃの入射面２ｃ１を透過し、次いで、導光レンズ２ｃの反射面２ｃ４によって反射され、次いで、導光レンズ２ｃの反射面２ｃ５ｄによって反射され、次いで、導光レンズ２ｃの出射面２ｃ７を透過した光Ｌｃ５ｄがＬＥＤ照明装置１００の照射方向（図２１（Ａ）の上側）に照射される。
【０１７５】
また、第１の実施形態のＬＥＤ照明装置１００では、図２１（Ｂ）に示すように、ＬＥＤ光源１ｃの光軸１ｃ’と角度θｅ（＞θｄ）をなしてＬＥＤ光源１ｃから照射され、次いで、導光レンズ２ｃの入射面２ｃ１を透過し、次いで、導光レンズ２ｃの反射面２ｃ４によって反射され、次いで、導光レンズ２ｃの反射面２ｃ５ｅによって反射され、次いで、導光レンズ２ｃの出射面２ｃ７を透過した光Ｌｃ５ｅがＬＥＤ照明装置１００の照射方向（図２１（Ｂ）の上側）に照射される。
【０１７６】
更に、第１の実施形態のＬＥＤ照明装置１００では、図２０（Ａ）に示すように、ＬＥＤ光源１ｃの光軸１ｃ’と角度θｊ（＞θｅ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ４によって反射され、次いで、導光レンズ２ｃの反射面２ｃ５ｊによって反射され、次いで、導光レンズ２ｃの出射面２ｃ７を透過した光Ｌｃ５ｊがＬＥＤ照明装置１００の照射方向（図２０（Ａ）の上側）に照射される。
【０１７７】
また、第１の実施形態のＬＥＤ照明装置１００では、図２０（Ｂ）に示すように、ＬＥＤ光源１ｃの光軸１ｃ’と角度θｉ（＞θｊ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ４によって反射され、次いで、導光レンズ２ｃの反射面２ｃ５ｉによって反射され、次いで、導光レンズ２ｃの出射面２ｃ７を透過した光Ｌｃ５ｉがＬＥＤ照明装置１００の照射方向（図２０（Ｂ）の上側）に照射される。
【０１７８】
更に、第１の実施形態のＬＥＤ照明装置１００では、図２０（Ｃ）に示すように、ＬＥＤ光源１ｃの光軸１ｃ’と角度θｈ（＞θｉ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ４によって反射され、次いで、導光レンズ２ｃの反射面２ｃ５ｈによって反射され、次いで、導光レンズ２ｃの出射面２ｃ７を透過した光Ｌｃ５ｈがＬＥＤ照明装置１００の照射方向（図２０（Ｃ）の上側）に照射される。
【０１７９】
また、第１の実施形態のＬＥＤ照明装置１００では、図２１（Ａ）に示すように、ＬＥＤ光源１ｃの光軸１ｃ’と角度θｇ（＞θｈ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ４によって反射され、次いで、導光レンズ２ｃの反射面２ｃ５ｇによって反射され、次いで、導光レンズ２ｃの出射面２ｃ７を透過した光Ｌｃ５ｇがＬＥＤ照明装置１００の照射方向（図２１（Ａ）の上側）に照射される。
【０１８０】
更に、第１の実施形態のＬＥＤ照明装置１００では、図２１（Ｂ）に示すように、ＬＥＤ光源１ｃの光軸１ｃ’と角度θｆ（＞θｇ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ４によって反射され、次いで、導光レンズ２ｃの反射面２ｃ５ｆによって反射され、次いで、導光レンズ２ｃの出射面２ｃ７を透過した光Ｌｃ５ｆがＬＥＤ照明装置１００の照射方向（図２１（Ｂ）の上側）に照射される。
【０１８１】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｃを見た時に、導光レンズ２ｃの出射面２ｃ７が光って見える。一方、ＬＥＤ照明装置１００の照射方向（図２０および図２１の上側）から導光レンズ２ｃを見た時に、導光レンズ２ｃの反射面２ｃ４は光って見えない。
【０１８２】
更に、第１の実施形態のＬＥＤ照明装置１００では、図９〜図１１に示すように、導光レンズ２ｃの反射面２ｃ４（図９（Ａ）および図９（Ｂ）参照）と反射面２ｃ５ａ，２ｃ５ｂ，２ｃ５ｃ，２ｃ５ｄ（図１０（Ａ）および図１１（Ｂ）参照）と出射面２ｃ７（図９（Ａ）、図９（Ｂ）および図１０参照）とを接続する端面２ｃ１３（図９（Ｂ）および図１０（Ｃ）参照）が、導光レンズ２ｃの下層部２ｃ−１（図９および図１１参照）、接続部２ｃ−３（図９および図１１参照）および上層部２ｃ−２（図９および図１１参照）の短手方向の一方の側（図９（Ａ）の下側、図１０（Ａ）の左側）に形成されている。更に、図９および図１０に示すように、ＬＥＤ光源１ｃ（図１および図２参照）の光軸１ｃ’（図１０（Ａ）参照）に平行な平面であって、導光レンズ２ｃの反射面２ｃ４に垂直な平面によって導光レンズ２ｃの端面２ｃ１３が構成されている。
【０１８３】
また、第１の実施形態のＬＥＤ照明装置１００では、図９および図１０に示すように、導光レンズ２ｃの上層部２ｃ−２（図９および図１１参照）の短手方向の一方の側（図９（Ａ）の下側、図１０（Ａ）の左側）に形成されている端面２ｃ１４（図９（Ｂ）、図９（Ｃ）、図１０（Ａ）および図１０（Ｃ）参照）と端面２ｃ１３（図９（Ｂ）および図１０（Ｃ）参照）とによって、導光レンズ２ｃの反射面２ｃ５ｇ，２ｃ５ｈ，２ｃ５ｉ，２ｃ５ｊ（図１０（Ａ）および図１１（Ｂ）参照）と出射面２ｃ７（図９（Ａ）、図９（Ｂ）および図１０参照）とが接続されている。更に、図９（Ｂ）、図９（Ｃ）、図１０（Ａ）および図１０（Ｃ）に示すように、ＬＥＤ光源１ｃ（図１および図２参照）の光軸１ｃ’（図１０（Ａ）参照）と４５°（図１０（Ａ）参照）をなす平面であって、導光レンズ２ｃの端面２ｃ１３（図１０（Ａ）および図１０（Ｃ）参照）と４５°（図１０（Ａ）参照）をなす平面によって導光レンズ２ｃの端面２ｃ１４が構成されている。
【０１８４】
更に、第１の実施形態のＬＥＤ照明装置１００では、図９〜図１１に示すように、導光レンズ２ｃの反射面２ｃ４（図９（Ａ）および図９（Ｄ）参照）と反射面２ｃ５ａ，２ｃ５ｂ，２ｃ５ｃ，２ｃ５ｄ（図１０（Ａ）および図１１（Ｂ）参照）と出射面２ｃ７（図９（Ａ）、図９（Ｄ）および図１０参照）とを接続する端面２ｃ１９（図９（Ｄ）および図１０（Ｄ）参照）が、導光レンズ２ｃの下層部２ｃ−１（図９および図１１参照）、接続部２ｃ−３（図９および図１１参照）および上層部２ｃ−２（図９および図１１参照）の短手方向の他方の側（図９（Ａ）の上側、図１０（Ａ）の右側）に形成されている。また、図９および図１０に示すように、ＬＥＤ光源１ｃ（図１および図２参照）の光軸１ｃ’（図１０（Ａ）参照）に平行な平面であって、導光レンズ２ｃの反射面２ｃ４に垂直な平面によって導光レンズ２ｃの端面２ｃ１９が構成されている。
【０１８５】
また、第１の実施形態のＬＥＤ照明装置１００では、図９および図１０に示すように、導光レンズ２ｃの上層部２ｃ−２（図９および図１１参照）の短手方向の他方の側（図９（Ａ）の上側、図１０（Ａ）の右側）に形成されている端面２ｃ２０（図９（Ｃ）、図９（Ｄ）、図１０（Ａ）および図１０（Ｄ）参照）と端面２ｃ１９（図９（Ｄ）および図１０（Ｄ）参照）とによって、導光レンズ２ｃの反射面２ｃ５ｇ，２ｃ５ｈ，２ｃ５ｉ，２ｃ５ｊ（図１０（Ａ）および図１１（Ｂ）参照）と出射面２ｃ７（図９（Ａ）、図９（Ｄ）および図１０参照）とが接続されている。更に、図９（Ｃ）、図９（Ｄ）、図１０（Ａ）および図１０（Ｄ）に示すように、ＬＥＤ光源１ｃ（図１および図２参照）の光軸１ｃ’（図１０（Ａ）参照）と４５°（図１０（Ａ）参照）をなす平面であって、導光レンズ２ｃの端面２ｃ１９（図１０（Ａ）および図１０（Ｄ）参照）と４５°（図１０（Ａ）参照）をなす平面によって導光レンズ２ｃの端面２ｃ２０が構成されている。
【０１８６】
更に、第１の実施形態のＬＥＤ照明装置１００では、図２２および図２３に示すように、ＬＥＤ光源１ｃから照射され、導光レンズ２ｃの入射面２ｃ１を透過した光、および、ＬＥＤ光源１ｃから照射され、導光レンズ２ｃの入射面２ｃ２を透過し、導光レンズ２ｃの反射面２ｃ３によって反射された光を反射して、ＬＥＤ光源１ｃの光軸１ｃ’に概略垂直な平面内を進む光であって、導光レンズ２ｃの長手方向の他方の側（図２２および図２３の左側）に進む光にする反射面２ｃ８が導光レンズ２ｃの下層部２ｃ−１（図９および図１１参照）に形成されている。また、ＬＥＤ光源１ｃの光軸１ｃ’と４５°（図９（Ｂ）および図９（Ｄ）参照）をなす平面によって導光レンズ２ｃの反射面２ｃ８（図９、図１０（Ｃ）および図１０（Ｄ）参照）が構成されている。
【０１８７】
また、第１の実施形態のＬＥＤ照明装置１００では、図２２および図２３に示すように、ＬＥＤ光源１ｃから照射され、導光レンズ２ｃの入射面２ｃ１を透過し、導光レンズ２ｃの反射面２ｃ４によって反射された光を反射して、ＬＥＤ光源１ｃの光軸１ｃ’に概略平行な光にする反射面２ｃ９ａ，２ｃ９ｂ，２ｃ９ｃ，２ｃ９ｄ，２ｃ９ｅが導光レンズ２ｃの接続部２ｃ−５（図９および図１１参照）に形成されている。更に、ＬＥＤ光源１ｃの光軸１ｃ’と４５°をなす平面であって、導光レンズ２ｃの反射面２ｃ８に平行な平面によって導光レンズ２ｃの反射面２ｃ９ａ，２ｃ９ｂ，２ｃ９ｃ，２ｃ９ｄ，２ｃ９ｅ（図１１（Ａ）参照）が構成されている。
【０１８８】
更に、第１の実施形態のＬＥＤ照明装置１００では、図２２および図２３に示すように、ＬＥＤ光源１ｃから照射され、導光レンズ２ｃの入射面２ｃ２を透過し、導光レンズ２ｃの反射面２ｃ３によって反射され、導光レンズ２ｃの反射面２ｃ８によって反射された光を反射して、ＬＥＤ光源１ｃの光軸１ｃ’に概略平行な光にする反射面２ｃ９ｆ，２ｃ９ｇ，２ｃ９ｈ，２ｃ９ｉ，２ｃ９ｊが導光レンズ２ｃの接続部２ｃ−５（図９および図１１参照）および上層部２ｃ−４（図９および図１１参照）に形成されている。また、ＬＥＤ光源１ｃの光軸１ｃ’と４５°をなす平面であって、導光レンズ２ｃの反射面２ｃ８に平行な平面によって導光レンズ２ｃの反射面２ｃ９ｆ，２ｃ９ｇ，２ｃ９ｈ，２ｃ９ｉ，２ｃ９ｊ（図１０（Ａ）参照）が構成されている。
【０１８９】
また、第１の実施形態のＬＥＤ照明装置１００では、図１１（Ｃ）に示すように、ＬＥＤ光源１ｃ（図１および図２参照）の光軸１ｃ’に垂直な接続面２ｃ１０ａによって反射面２ｃ９ａ，２ｃ９ｂが接続され、ＬＥＤ光源１ｃの光軸１ｃ’に垂直な接続面２ｃ１０ｂによって反射面２ｃ９ｂ，２ｃ９ｃが接続され、ＬＥＤ光源１ｃの光軸１ｃ’に垂直な接続面２ｃ１０ｃによって反射面２ｃ９ｃ，２ｃ９ｄが接続され、ＬＥＤ光源１ｃの光軸１ｃ’に垂直な接続面２ｃ１０ｄによって反射面２ｃ９ｄ，２ｃ９ｅが接続され、ＬＥＤ光源１ｃの光軸１ｃ’に垂直な接続面２ｃ１０ｅによって反射面２ｃ９ｅ，２ｃ９ｆが接続されている。
【０１９０】
更に、第１の実施形態のＬＥＤ照明装置１００では、図１１（Ｃ）に示すように、ＬＥＤ光源１ｃ（図１および図２参照）の光軸１ｃ’に垂直な接続面２ｃ１０ｆによって反射面２ｃ９ｆ，２ｃ９ｇが接続され、ＬＥＤ光源１ｃの光軸１ｃ’に垂直な接続面２ｃ１０ｇによって反射面２ｃ９ｇ，２ｃ９ｈが接続され、ＬＥＤ光源１ｃの光軸１ｃ’に垂直な接続面２ｃ１０ｈによって反射面２ｃ９ｈ，２ｃ９ｉが接続され、ＬＥＤ光源１ｃの光軸１ｃ’に垂直な接続面２ｃ１０ｉによって反射面２ｃ９ｉ，２ｃ９ｊが接続されている。
【０１９１】
また、第１の実施形態のＬＥＤ照明装置１００では、図２２および図２３に示すように、導光レンズ２ｃの反射面２ｃ９ａ，２ｃ９ｂ，２ｃ９ｃ，２ｃ９ｄ，２ｃ９ｅ，２ｃ９ｆ，２ｃ９ｇ，２ｃ９ｈ，２ｃ９ｉ，２ｃ９ｊからの光を透過させてＬＥＤ照明装置１００の照射方向（図２２および図２３の上側）に照射する出射面２ｃ１１（図９および図１０参照）が導光レンズ２ｃの接続部２ｃ−５（図９および図１１参照）および上層部２ｃ−４（図９および図１１参照）に形成されている。
【０１９２】
その結果、第１の実施形態のＬＥＤ照明装置１００では、図２２（Ａ）に示すように、ＬＥＤ光源１ｃの光軸１ｃ’と角度θａをなしてＬＥＤ光源１ｃから照射され、次いで、導光レンズ２ｃの入射面２ｃ１を透過し、次いで、導光レンズ２ｃの反射面２ｃ８によって反射され、次いで、導光レンズ２ｃの反射面２ｃ９ａによって反射され、次いで、導光レンズ２ｃの出射面２ｃ１１を透過した光Ｌｃ９ａがＬＥＤ照明装置１００の照射方向（図２２（Ａ）の上側）に照射される。
【０１９３】
更に、第１の実施形態のＬＥＤ照明装置１００では、図２２（Ｂ）に示すように、ＬＥＤ光源１ｃの光軸１ｃ’と角度θｂ（＞θａ）をなしてＬＥＤ光源１ｃから照射され、次いで、導光レンズ２ｃの入射面２ｃ１を透過し、次いで、導光レンズ２ｃの反射面２ｃ８によって反射され、次いで、導光レンズ２ｃの反射面２ｃ９ｂによって反射され、次いで、導光レンズ２ｃの出射面２ｃ１１を透過した光Ｌｃ９ｂがＬＥＤ照明装置１００の照射方向（図２２（Ｂ）の上側）に照射される。
【０１９４】
また、第１の実施形態のＬＥＤ照明装置１００では、図２２（Ｃ）に示すように、ＬＥＤ光源１ｃの光軸１ｃ’と角度θｃ（＞θｂ）をなしてＬＥＤ光源１ｃから照射され、次いで、導光レンズ２ｃの入射面２ｃ１を透過し、次いで、導光レンズ２ｃの反射面２ｃ８によって反射され、次いで、導光レンズ２ｃの反射面２ｃ９ｃによって反射され、次いで、導光レンズ２ｃの出射面２ｃ１１を透過した光Ｌｃ９ｃがＬＥＤ照明装置１００の照射方向（図２２（Ｃ）の上側）に照射される。
【０１９５】
更に、第１の実施形態のＬＥＤ照明装置１００では、図２３（Ａ）に示すように、ＬＥＤ光源１ｃの光軸１ｃ’と角度θｄ（＞θｃ）をなしてＬＥＤ光源１ｃから照射され、次いで、導光レンズ２ｃの入射面２ｃ１を透過し、次いで、導光レンズ２ｃの反射面２ｃ８によって反射され、次いで、導光レンズ２ｃの反射面２ｃ９ｄによって反射され、次いで、導光レンズ２ｃの出射面２ｃ１１を透過した光Ｌｃ９ｄがＬＥＤ照明装置１００の照射方向（図２３（Ａ）の上側）に照射される。
【０１９６】
また、第１の実施形態のＬＥＤ照明装置１００では、図２３（Ｂ）に示すように、ＬＥＤ光源１ｃの光軸１ｃ’と角度θｅ（＞θｄ）をなしてＬＥＤ光源１ｃから照射され、次いで、導光レンズ２ｃの入射面２ｃ１を透過し、次いで、導光レンズ２ｃの反射面２ｃ８によって反射され、次いで、導光レンズ２ｃの反射面２ｃ９ｅによって反射され、次いで、導光レンズ２ｃの出射面２ｃ１１を透過した光Ｌｃ９ｅがＬＥＤ照明装置１００の照射方向（図２３（Ｂ）の上側）に照射される。
【０１９７】
更に、第１の実施形態のＬＥＤ照明装置１００では、図２２（Ａ）に示すように、ＬＥＤ光源１ｃの光軸１ｃ’と角度θｊ（＞θｅ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ８によって反射され、次いで、導光レンズ２ｃの反射面２ｃ９ｊによって反射され、次いで、導光レンズ２ｃの出射面２ｃ１１を透過した光Ｌｃ９ｊがＬＥＤ照明装置１００の照射方向（図２２（Ａ）の上側）に照射される。
【０１９８】
また、第１の実施形態のＬＥＤ照明装置１００では、図２２（Ｂ）に示すように、ＬＥＤ光源１ｃの光軸１ｃ’と角度θｉ（＞θｊ）をなしてＬＥＤ光源１ｃから照射され、次いで、導光レンズ２ｃの入射面２ｂｃを透過し、次いで、導光レンズ２ｃの反射面２ｃ３によって反射され、次いで、導光レンズ２ｃの反射面２ｃ８によって反射され、次いで、導光レンズ２ｃの反射面２ｃ９ｉによって反射され、次いで、導光レンズ２ｃの出射面２ｃ１１を透過した光Ｌｃ９ｉがＬＥＤ照明装置１００の照射方向（図２２（Ｂ）の上側）に照射される。
【０１９９】
更に、第１の実施形態のＬＥＤ照明装置１００では、図２２（Ｃ）に示すように、ＬＥＤ光源１ｃの光軸１ｃ’と角度θｈ（＞θｉ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ８によって反射され、次いで、導光レンズ２ｃの反射面２ｃ９ｈによって反射され、次いで、導光レンズ２ｃの出射面２ｃ１１を透過した光Ｌｃ９ｈがＬＥＤ照明装置１００の照射方向（図２２（Ｃ）の上側）に照射される。
【０２００】
また、第１の実施形態のＬＥＤ照明装置１００では、図２３（Ａ）に示すように、ＬＥＤ光源１ｃの光軸１ｃ’と角度θｇ（＞θｈ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ８によって反射され、次いで、導光レンズ２ｃの反射面２ｃ９ｇによって反射され、次いで、導光レンズ２ｃの出射面２ｃ１１を透過した光Ｌｃ９ｇがＬＥＤ照明装置１００の照射方向（図２３（Ａ）の上側）に照射される。
【０２０１】
更に、第１の実施形態のＬＥＤ照明装置１００では、図２３（Ｂ）に示すように、ＬＥＤ光源１ｃの光軸１ｃ’と角度θｆ（＞θｇ）をなしてＬＥＤ光源１ｃから照射され、次いで、導光レンズ２ｃの入射面２ｃ２を透過し、次いで、導光レンズ２ｃの反射面２ｃ３によって反射され、次いで、導光レンズ２ｃの反射面２ｃ８によって反射され、次いで、導光レンズ２ｃの反射面２ｃ９ｆによって反射され、次いで、導光レンズ２ｃの出射面２ｃ１１を透過した光Ｌｃ９ｆがＬＥＤ照明装置１００の照射方向（図２３（Ｂ）の上側）に照射される。
【０２０２】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｃを見た時に、導光レンズ２ｃの出射面２ｃ１１が光って見える。一方、ＬＥＤ照明装置１００の照射方向（図２２および図２３の上側）から導光レンズ２ｃを見た時に、導光レンズ２ｃの反射面２ｃ８は光って見えない。
【０２０３】
更に、第１の実施形態のＬＥＤ照明装置１００では、図９〜図１１に示すように、導光レンズ２ｃの反射面２ｃ８（図９（Ａ）および図９（Ｂ）参照）と反射面２ｃ９ａ，２ｃ９ｂ，２ｃ９ｃ，２ｃ９ｄ（図１０（Ｂ）および図１１（Ｃ）参照）と出射面２ｃ１１（図９（Ａ）、図９（Ｂ）および図１０参照）とを接続する端面２ｃ１６（図９（Ｂ）および図１０（Ｃ）参照）が、導光レンズ２ｃの下層部２ｃ−１（図９および図１１参照）、接続部２ｃ−５（図９および図１１参照）および上層部２ｃ−３（図９および図１１参照）の短手方向の一方の側（図９（Ａ）の下側、図１０（Ｂ）の右側）に形成されている。更に、図９および図１０に示すように、ＬＥＤ光源１ｃ（図１および図２参照）の光軸１ｃ’（図１０（Ｂ）参照）に平行な平面であって、導光レンズ２ｃの反射面２ｃ８に垂直な平面によって導光レンズ２ｃの端面２ｃ１６が構成されている。
【０２０４】
また、第１の実施形態のＬＥＤ照明装置１００では、図９および図１０に示すように、導光レンズ２ｃの上層部２ｃ−４（図９および図１１参照）の短手方向の一方の側（図９（Ａ）の下側、図１０（Ｂ）の右側）に形成されている端面２ｃ１７（図９（Ｂ）、図９（Ｃ）、図１０（Ｂ）および図１０（Ｃ）参照）と端面２ｃ１６（図９（Ｂ）および図１０（Ｃ）参照）とによって、導光レンズ２ｃの反射面２ｃ９ｇ，２ｃ９ｈ，２ｃ９ｉ，２ｃ９ｊ（図１０（Ｂ）および図１１（Ｃ）参照）と出射面２ｃ１１（図９（Ａ）、図９（Ｂ）および図１０参照）とが接続されている。更に、図９（Ｂ）、図９（Ｃ）、図１０（Ｂ）および図１０（Ｃ）に示すように、ＬＥＤ光源１ｃ（図１および図２参照）の光軸１ｃ’（図１０（Ｂ）参照）と４５°（図１０（Ｂ）参照）をなす平面であって、導光レンズ２ｃの端面２ｃ１６（図１０（Ｂ）および図１０（Ｃ）参照）と４５°（図１０（Ｂ）参照）をなす平面によって導光レンズ２ｃの端面２ｃ１７が構成されている。
【０２０５】
更に、第１の実施形態のＬＥＤ照明装置１００では、図９〜図１１に示すように、導光レンズ２ｃの反射面２ｃ８（図９（Ａ）および図９（Ｄ）参照）と反射面２ｃ９ａ，２ｃ９ｂ，２ｃ９ｃ，２ｃ９ｄ（図１０（Ｂ）および図１１（Ｃ）参照）と出射面２ｃ１１（図９（Ａ）、図９（Ｄ）および図１０参照）とを接続する端面２ｃ２２（図９（Ｄ）および図１０（Ｄ）参照）が、導光レンズ２ｃの下層部２ｃ−１（図９および図１１参照）、接続部２ｃ−５（図９および図１１参照）および上層部２ｃ−４（図９および図１１参照）の短手方向の他方の側（図９（Ａ）の上側、図１０（Ｂ）の左側）に形成されている。また、図９および図１０に示すように、ＬＥＤ光源１ｃ（図１および図２参照）の光軸１ｃ’（図１０（Ｂ）参照）に平行な平面であって、導光レンズ２ｃの反射面２ｃ８に垂直な平面によって導光レンズ２ｃの端面２ｃ２２が構成されている。
【０２０６】
また、第１の実施形態のＬＥＤ照明装置１００では、図９および図１０に示すように、導光レンズ２ｃの上層部２ｃ−４（図９および図１１参照）の短手方向の他方の側（図９（Ａ）の上側、図１０（Ｂ）の左側）に形成されている端面２ｃ２３（図９（Ｃ）、図９（Ｄ）、図１０（Ｂ）および図１０（Ｄ）参照）と端面２ｃ２２（図９（Ｄ）および図１０（Ｄ）参照）とによって、導光レンズ２ｃの反射面２ｃ９ｇ，２ｃ９ｈ，２ｃ９ｉ，２ｃ９ｊ（図１０（Ｂ）および図１１（Ｃ）参照）と出射面２ｃ１１（図９（Ａ）、図９（Ｄ）および図１０参照）とが接続されている。更に、図９（Ｃ）、図９（Ｄ）、図１０（Ａ）および図１０（Ｄ）に示すように、ＬＥＤ光源１ｃ（図１および図２参照）の光軸１ｃ’（図１０（Ｂ）参照）と４５°（図１０（Ｂ）参照）をなす平面であって、導光レンズ２ｃの端面２ｃ２２（図１０（Ｂ）および図１０（Ｄ）参照）と４５°（図１０（Ｂ）参照）をなす平面によって導光レンズ２ｃの端面２ｃ２３が構成されている。
【０２０７】
詳細には、第１の実施形態のＬＥＤ照明装置１００では、図１（Ａ）に示すように、導光レンズ２ａの反射面２ａ４（図３および図５参照）と導光レンズ２ｂの端面２ｂ１４（図６（Ｂ）、図６（Ｃ）、図７（Ａ）および図７（Ｃ）参照）とが対向し、かつ、導光レンズ２ａの反射面２ａ８（図３、図４（Ｃ）、図４（Ｄ）および図５参照）と導光レンズ２ｂの端面２ｂ２０（図６（Ｃ）、図６（Ｄ）、図７（Ａ）および図７（Ｄ）参照）とが対向するように、導光レンズ２ａの下層部２ａ−１（図３および図５参照）のうち、導光レンズ２ａの短手方向の一方の側（図３（Ａ）の下側）の部分２ａ−１ａ（図３（Ａ）参照）が、導光レンズ２ｂの上層部２ｂ−２（図６および図８参照）によって被覆されている。
【０２０８】
つまり、第１の実施形態のＬＥＤ照明装置１００では、ＬＥＤ照明装置１００の照射方向（図１２〜図１５の上側）から見た時に光って見えない部分である導光レンズ２ａの部分２ａ−１ａ（図３（Ａ）参照）が、ＬＥＤ照明装置１００の照射方向（図１６および図１７の上側）から見た時に光って見える部分である導光レンズ２ｂの上層部２ｂ−２（図６および図８参照）によって被覆されている。
【０２０９】
更に、第１の実施形態のＬＥＤ照明装置１００では、図１（Ａ）に示すように、導光レンズ２ａの反射面２ａ４（図３および図５参照）と導光レンズ２ｃの端面２ｃ１７（図９（Ｂ）、図９（Ｃ）、図１０（Ｂ）および図１０（Ｃ）参照）とが対向し、かつ、導光レンズ２ａの反射面２ａ８（図３、図４（Ｃ）、図４（Ｄ）および図５参照）と導光レンズ２ｃの端面２ｃ２３（図９（Ｃ）、図９（Ｄ）、図１０（Ｂ）および図１０（Ｄ）参照）とが対向するように、導光レンズ２ａの下層部２ａ−１（図３および図５参照）のうち、導光レンズ２ａの短手方向の他方の側（図３（Ａ）の上側）の部分２ａ−１ｂ（図３（Ａ）参照）が、導光レンズ２ｃの上層部２ｃ−４（図９および図１１参照）によって被覆されている。
【０２１０】
つまり、第１の実施形態のＬＥＤ照明装置１００では、ＬＥＤ照明装置１００の照射方向（図１２〜図１５の上側）から見た時に光って見えない部分である導光レンズ２ａの部分２ａ−１ｂ（図３（Ａ）参照）が、ＬＥＤ照明装置１００の照射方向（図２２および図２３の上側）から見た時に光って見える部分である導光レンズ２ｃの上層部２ｃ−４（図９および図１１参照）によって被覆されている。
【０２１１】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ａ，２ｂ，２ｃを見た時に、導光レンズ２ａの反射面２ａ５ａ，２ａ５ｂ，２ａ５ｃ，２ａ５ｄ，２ａ５ｅ，２ａ５ｆ，２ａ５ｇ，２ａ５ｈ，２ａ５ｉ，２ａ５ｊ（図４（Ａ）および図５（Ｂ）参照）からの光によって、導光レンズ２ａの出射面２ａ７が光って見え、かつ、導光レンズ２ａの反射面２ａ９ａ，２ａ９ｂ，２ａ９ｃ，２ａ９ｄ，２ａ９ｅ，２ａ９ｆ，２ａ９ｇ，２ａ９ｈ，２ａ９ｉ，２ａ９ｊ（図４（Ｂ）および図５（Ｃ）参照）からの光によって、導光レンズ２ａの出射面２ａ１１が光って見え、かつ、導光レンズ２ｂの反射面２ｂ５ｇ，２ｂ５ｈ，２ｂ５ｉ，２ｂ５ｊ（図７（Ａ）および図８（Ｂ）参照）からの光によって、導光レンズ２ｂの出射面２ｂ７のうちの上層部２ｂ−２（図６および図８参照）の部分が光って見え、かつ、導光レンズ２ｃの反射面２ｃ９ｇ，２ｃ９ｈ，２ｃ９ｉ，２ｃ９ｊ（図１０（Ｂ）および図１１（Ｃ）参照）からの光によって、導光レンズ２ｃの出射面２ｃ１１のうちの上層部２ｃ−４（図９および図１１参照）の部分が光って見える。
【０２１２】
詳細には、第１の実施形態のＬＥＤ照明装置１００では、導光レンズ２ａの反射面２ａ４（図３（Ｂ）および図３（Ｄ）参照）と導光レンズ２ｂの端面２ｂ１４（図７（Ａ）参照）とが相補形状になり、かつ、導光レンズ２ａの反射面２ａ８（図３（Ｂ）および図３（Ｄ）参照）と導光レンズ２ｂの端面２ｂ２０（図７（Ａ）参照）とが相補形状になり、かつ、導光レンズ２ａの反射面２ａ４（図３（Ｂ）および図３（Ｄ）参照）と導光レンズ２ｃの端面２ｃ１７（図１０（Ｂ）参照）とが相補形状になり、かつ、導光レンズ２ａの反射面２ａ８（図３（Ｂ）および図３（Ｄ）参照）と導光レンズ２ｃの端面２ｃ２３（図１０（Ｂ）参照）とが相補形状になるように、導光レンズ２ａ，２ｂ，２ｃを形成することにより、ＬＥＤ光源１ａ（図１（Ｂ）および図１（Ｃ）参照）と導光レンズ２ａの出射部２ａ７（図１（Ｂ）および図１（Ｃ）参照）とのＬＥＤ光源１ａの光軸１ａ’の方向（図１（Ｂ）および図１（Ｃ）の上下方向）の間隔Ｓａ１（図１（Ｂ）および図１（Ｃ）参照）と、ＬＥＤ光源１ａと導光レンズ２ａの出射部２ａ１１（図１（Ｂ）および図１（Ｃ）参照）とのＬＥＤ光源１ａの光軸１ａの方向（図１（Ｂ）および図１（Ｃ）の上下方向）の間隔Ｓａ２（図１（Ｂ）および図１（Ｃ）参照）と、ＬＥＤ光源１ａと導光レンズ２ｂの出射部２ｂ７（図２参照）とのＬＥＤ光源１ａの光軸１ａ’の方向（図２の左右方向）の間隔Ｓｂ１（図２参照）と、ＬＥＤ光源１ａと導光レンズ２ｂの出射部２ｂ１１（図２参照）とのＬＥＤ光源１ａの光軸１ａ’の方向（図２の左右方向）の間隔Ｓｂ２（図２参照）と、ＬＥＤ光源１ａと導光レンズ２ｃの出射部２ｃ１１（図２参照）とのＬＥＤ光源１ａの光軸１ａ’の方向（図２の左右方向）の間隔Ｓｃ２（図２参照）と、ＬＥＤ光源１ａと導光レンズ２ｃの出射部２ｃ７（図２参照）とのＬＥＤ光源１ａの光軸１ａ’の方向（図２の左右方向）の間隔Ｓｃ１（図２参照）とが等しくされている。
【０２１３】
そのため、第１の実施形態のＬＥＤ照明装置１００によれば、ＬＥＤ光源１ａの光軸１ａ’の方向（図１（Ｂ）および図１（Ｃ）の上下方向、図２の左右方向）のＬＥＤ照明装置１００の全体の厚さ寸法を増加させることなく、ＬＥＤ照明装置１００の照射方向（図１（Ｂ）の下側、図１（Ｃ）の上側、図２の左側）から導光レンズ２ａ，２ｂ，２ｃを見た時に光って見えない部分の割合を低減することができる。
【０２１４】
図２４は比較例の導光レンズ２ａを示した図である。詳細には、図２４（Ａ）は右前側かつ下側から見た比較例の導光レンズ２ａの斜視図、図２４（Ｂ）は左前側かつ下側から見た比較例の導光レンズ２ａの斜視図、図２４（Ｃ）は左後側かつ下側から見た比較例の導光レンズ２ａの斜視図、図２４（Ｄ）は右後側かつ下側から見た比較例の導光レンズ２ａの斜視図である。
【０２１５】
比較例の導光レンズ２ａでは、図２４（Ａ）に示すように、導光レンズ２ａの端面２ａ１３と端面２ａ１４とが、ＬＥＤ光源１ａの光軸１ａ’（図３〜図５参照）に平行であって、導光レンズ２ａ（図３（Ａ）の左右方向）の長手方向に垂直な端面２ａ１４によって接続されている。そのため、比較例の導光レンズ２ａでは、導光レンズ２ａの反射面２ａ４（図２４（Ｂ）参照）からの反射光の一部が、端面２ａ１４を透過し、導光レンズ２ａから漏れ出てしまう。
【０２１６】
この点に鑑み、第１の実施形態のＬＥＤ照明装置１００では、図３および図４に示すように、導光レンズ２ａの端面２ａ１３と端面２ａ１４とが、ＬＥＤ光源１ａの光軸１ａ’と角度をなす複数の概略楔状の端面２ａ１５によって接続されている。そのため、第１の実施形態のＬＥＤ照明装置１００によれば、比較例の導光レンズ２ａ（図２４（Ａ）参照）よりも、導光レンズ２ａの出射面２ａ７（図３〜図５参照）からＬＥＤ照明装置１００の照射方向に照射されることなく、導光レンズ２ａから漏れ出てしまう光の割合を低減することができる。
【０２１７】
また、比較例の導光レンズ２ａでは、図２４（Ｄ）に示すように、導光レンズ２ａの端面２ａ１９と端面２ａ２０とが、ＬＥＤ光源１ａの光軸１ａ’（図３〜図５参照）に平行であって、導光レンズ２ａ（図３（Ａ）の左右方向）の長手方向に垂直な端面２ａ２１によって接続されている。そのため、比較例の導光レンズ２ａでは、導光レンズ２ａの反射面２ａ４（図２４（Ｂ）参照）からの反射光の一部が、端面２ａ２１を透過し、導光レンズ２ａから漏れ出てしまう。
【０２１８】
この点に鑑み、第１の実施形態のＬＥＤ照明装置１００では、図３および図４に示すように、導光レンズ２ａの端面２ａ１９と端面２ａ２０とが、ＬＥＤ光源１ａの光軸１ａ’と角度をなす複数の概略楔状の端面２ａ２１によって接続されている。そのため、第１の実施形態のＬＥＤ照明装置１００によれば、比較例の導光レンズ２ａ（図２４（Ｄ）参照）よりも、導光レンズ２ａの出射面２ａ７（図３〜図５参照））からＬＥＤ照明装置１００の照射方向に照射されることなく、導光レンズ２ａから漏れ出てしまう光の割合を低減することができる。
【０２１９】
更に、比較例の導光レンズ２ａでは、図２４（Ｂ）に示すように、導光レンズ２ａの端面２ａ１６と端面２ａ１７とが、ＬＥＤ光源１ａの光軸１ａ’（図３〜図５参照）に平行であって、導光レンズ２ａ（図３（Ａ）の左右方向）の長手方向に垂直な端面２ａ１８によって接続されている。そのため、比較例の導光レンズ２ａでは、導光レンズ２ａの反射面２ａ８（図２４（Ａ）参照）からの反射光の一部が、端面２ａ１８を透過し、導光レンズ２ａから漏れ出てしまう。
【０２２０】
この点に鑑み、第１の実施形態のＬＥＤ照明装置１００では、図３および図４に示すように、導光レンズ２ａの端面２ａ１６と端面２ａ１７とが、ＬＥＤ光源１ａの光軸１ａ’と角度をなす複数の概略楔状の端面２ａ１８によって接続されている。そのため、第１の実施形態のＬＥＤ照明装置１００によれば、比較例の導光レンズ２ａ（図２４（Ｂ）参照）よりも、導光レンズ２ａの出射面２ａ１１（図３〜図５参照）からＬＥＤ照明装置１００の照射方向に照射されることなく、導光レンズ２ａから漏れ出てしまう光の割合を低減することができる。
【０２２１】
また、比較例の導光レンズ２ａでは、図２４（Ｃ）に示すように、導光レンズ２ａの端面２ａ２２と端面２ａ２３とが、ＬＥＤ光源１ａの光軸１ａ’（図３〜図５参照）に平行であって、導光レンズ２ａ（図３（Ａ）の左右方向）の長手方向に垂直な端面２ａ２４によって接続されている。そのため、比較例の導光レンズ２ａでは、導光レンズ２ａの反射面２ａ８（図２４（Ａ）参照）からの反射光の一部が、端面２ａ２４を透過し、導光レンズ２ａから漏れ出てしまう。
【０２２２】
この点に鑑み、第１の実施形態のＬＥＤ照明装置１００では、図３および図４に示すように、導光レンズ２ａの端面２ａ２２と端面２ａ２３とが、ＬＥＤ光源１ａの光軸１ａ’と角度をなす複数の概略楔状の端面２ａ２２によって接続されている。そのため、第１の実施形態のＬＥＤ照明装置１００によれば、比較例の導光レンズ２ａ（図２４（Ｃ）参照）よりも、導光レンズ２ａの出射面２ａ１１（図３〜図５参照）からＬＥＤ照明装置１００の照射方向に照射されることなく、導光レンズ２ａから漏れ出てしまう光の割合を低減することができる。
【０２２３】
更に、第１の実施形態のＬＥＤ照明装置１００では、第１色の光を照射するＬＥＤ光源がＬＥＤ光源１ａ（図１および図２参照）として用いられている。また、第１色とは異なる第２色の光を照射するＬＥＤ光源がＬＥＤ光源１ｂ，１ｃ（図２参照）として用いられている。
【０２２４】
その結果、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ａを見た時に、導光レンズ２ａの反射面２ａ５ａ，２ａ５ｂ，２ａ５ｃ，２ａ５ｄ，２ａ５ｅ，２ａ５ｆ，２ａ５ｇ，２ａ５ｈ，２ａ５ｉ，２ａ５ｊ（図４（Ａ）および図５（Ｂ）参照）からの第１色の光によって、導光レンズ２ａの出射面２ａ７（図３〜図５参照）が第１色に光って見える。
【０２２５】
また、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ａを見た時に、導光レンズ２ａの反射面２ａ９ａ，２ａ９ｂ，２ａ９ｃ，２ａ９ｄ，２ａ９ｅ，２ａ９ｆ，２ａ９ｇ，２ａ９ｈ，２ａ９ｉ，２ａ９ｊ（図４（Ｂ）および図５（Ｃ）参照）からの第１色の光によって、導光レンズ２ａの出射面２ａ１１（図３〜図５参照）が第１色に光って見える。
【０２２６】
更に、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｂを見た時に、導光レンズ２ｂの反射面２ｂ５ａ，２ｂ５ｂ，２ｂ５ｃ，２ｂ５ｄ，２ｂ５ｅ，２ｂ５ｆ，２ｂ５ｇ，２ｂ５ｈ，２ｂ５ｉ，２ｂ５ｊ（図７（Ａ）および図８（Ｂ）参照）からの第２色の光によって、導光レンズ２ｂの出射面２ｂ７（図６〜図８参照）が第２色に光って見える。
【０２２７】
また、第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｃを見た時に、導光レンズ２ｃの反射面２ｃ９ａ，２ｃ９ｂ，２ｃ９ｃ，２ｃ９ｄ，２ｃ９ｅ，２ｃ９ｆ，２ｃ９ｇ，２ｃ９ｈ，２ｃ９ｉ，２ｃ９ｊ（図１０（Ｂ）および図１１（Ｃ）参照）からの第２色の光によって、導光レンズ２ｃの出射面２ｃ１１（図９〜図１１参照）が第２色に光って見える。
【０２２８】
そのため、第１の実施形態のＬＥＤ照明装置１００によれば、ＬＥＤ照明装置１００の照射方向から導光レンズ２ａ，２ｂ，２ｃを見た時に、あたかも第２色の紐の下側に第１色の紐が編み込まれているかのように見せることができる。
【０２２９】
第１の実施形態のＬＥＤ照明装置１００では、ＬＥＤ光源１ａからの光の色と、ＬＥＤ光源１ｂ，１ｃからの光の色とが異ならされているが、第５の実施形態のＬＥＤ照明装置１００では、代わりに、ＬＥＤ光源１ａ，１ｂ，１ｃからの光の色を同一にすることも可能である。
【０２３０】
図２５は第６の実施形態のＬＥＤ照明装置１００を概略的に示した図である。詳細には、図２５（Ａ）は第６の実施形態のＬＥＤ照明装置１００の概略的な平面図、図２５（Ｂ）は第６の実施形態のＬＥＤ照明装置１００の概略的な斜視図である。
【０２３１】
第１の実施形態のＬＥＤ照明装置１００では、図１および図２に示すように、３個の導光レンズ２ａ，２ｂ，２ｃおよびそれらに対応するＬＥＤ光源１ａ，１ｂ，１ｃが設けられているが、第６の実施形態のＬＥＤ照明装置１００では、図２５に示すように、例えば８個の導光レンズ２ａ，２ｂ，２ｃ，２ｄ，２ｅ，２ｆ，２ｇ，２ｈおよびそれらに対応するＬＥＤ光源（図示せず）が設けられている。
【０２３２】
第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｃを見た時に、導光レンズ２ｃの反射面２ｃ４，２ｃ８（図９〜図１１参照）が光って見えないが、第６の実施形態のＬＥＤ照明装置１００では、図２５（Ａ）に示すように、ＬＥＤ照明装置１００の照射方向から導光レンズ２ｃを見た時に、導光レンズ２ｃの反射面２ｃ４，２ｃ８（図９〜図１１参照）の部分２ｃ−１ａ（図９（Ａ）参照）を覆っている導光レンズ２ｅの出射面が光って見えると共に、導光レンズ２ｃの反射面２ｃ４，２ｃ８（図９〜図１１参照）の部分２ｃ−１ｂ（図９（Ａ）参照）を覆っている導光レンズ２ｆの出射面が光って見える。
【０２３３】
図２６は第７の実施形態のＬＥＤ照明装置１００の一部を構成する導光レンズ２ａの部品図である。詳細には、図２６（Ａ）は導光レンズ２ａの平面図、図２６（Ｂ）は導光レンズ２ａの正面図、図２６（Ｃ）は左前側かつ上側から見た導光レンズ２ａの斜視図である。第１の実施形態のＬＥＤ照明装置１００では、図３〜図５に示すように、導光レンズ２ａの出射面２ａ７，２ａ１１が平面によって構成されているが、第７の実施形態のＬＥＤ照明装置１００では、図２６に示すように、導光レンズ２ａの出射面２ａ７，２ａ１１が曲面（円筒面）によって構成されている。
【０２３４】
図２７は第８の実施形態のＬＥＤ照明装置１００を概略的に示した図である。詳細には、図２７は第８の実施形態のＬＥＤ照明装置１００の概略的な斜視図である。
【０２３５】
第１の実施形態のＬＥＤ照明装置１００では、図１および図２に示すように、３個の導光レンズ２ａ，２ｂ，２ｃおよびそれらに対応するＬＥＤ光源１ａ，１ｂ，１ｃが設けられているが、第８の実施形態のＬＥＤ照明装置１００では、図２７に示すように、多数の導光レンズ２ａ，２ｂ，２ｃ，…およびそれらに対応するＬＥＤ光源（図示せず）が設けられている。また、多数の導光レンズ２ａ，２ｂ，２ｃ，…などが箱型のハウジング５に収容されている。
【０２３６】
第１の実施形態のＬＥＤ照明装置１００では、図１（Ａ）に示すように、ＬＥＤ照明装置１００の照射方向（図１（Ｂ）の下側、図１（Ｃ）の上側、図２の左側）から導光レンズ２ｂを見た時に、導光レンズ２ｂの反射面２ｂ４，２ｂ８（図６〜図８参照）が光って見えないが、第８の実施形態のＬＥＤ照明装置１００では、ＬＥＤ照明装置１００の照射方向から導光レンズ２ｂを見た時に、導光レンズ２ｂの反射面２ｂ４，２ｂ８（図６〜図８参照）の部分２ｂ−１ａ（図６（Ａ）参照）を覆っている他の導光レンズの出射面が光って見えると共に、導光レンズ２ｂの反射面２ｂ４，２ｂ８（図６〜図８参照）の部分２ｂ−１ｂ（図６（Ａ）参照）を覆っている他の導光レンズの出射面が光って見える。
【０２３７】
第９の実施形態では、上述した第１から第８の実施形態を適宜組み合わせることも可能である。
【産業上の利用可能性】
【０２３８】
本発明のＬＥＤ照明装置は、例えば演出用照明装置などのような照明装置などに適用可能である。
【符号の説明】
【０２３９】
１ａ，１ｂ，１ｃ                        ＬＥＤ光源
１ａ’，１ｂ’，１ｃ’                  光軸
２ａ，２ｂ，２ｃ                        導光レンズ
２ａ−１                                下層部
２ａ−２，２ａ−４                      上層部
２ａ−３，２ａ−５                      接続部
２ａ１，２ａ２                          入射面
２ａ３，２ａ４，２ａ８                  反射面
２ａ５ａ，２ａ５ｂ，２ａ５ｃ，２ａ５ｄ  反射面
２ａ５ｅ，２ａ５ｆ，２ａ５ｇ，２ａ５ｈ  反射面
２ａ５ｉ，２ａ５ｊ                      反射面
２ａ７，２ａ１１                        出射面
２ａ９ａ，２ａ９ｂ，２ａ９ｃ，２ａ９ｄ  反射面
２ａ９ｅ，２ａ９ｆ，２ａ９ｇ，２ａ９ｈ  反射面
２ａ９ｉ，２ａ９ｊ                      反射面
２ａ１３，２ａ１４，２ａ１６，２ａ１７  端面
２ａ１９，２ａ２０，２ａ２２，２ａ２３  端面
１００                                  ＬＥＤ照明装置
【図１】
2012123906.tif 000003
【図２】
2012123906.tif 000004
【図３】
2012123906.tif 000005
【図４】
2012123906.tif 000006
【図５】
2012123906.tif 000007
【図６】
2012123906.tif 000008
【図７】
2012123906.tif 000009
【図８】
2012123906.tif 000010
【図９】
2012123906.tif 000011
【図１０】
2012123906.tif 000012
【図１１】
2012123906.tif 000013
【図１２】
2012123906.tif 000014
【図１３】
2012123906.tif 000015
【図１４】
2012123906.tif 000016
【図１５】
2012123906.tif 000017
【図１６】
2012123906.tif 000018
【図１７】
2012123906.tif 000019
【図１８】
2012123906.tif 000020
【図１９】
2012123906.tif 000021
【図２０】
2012123906.tif 000022
【図２１】
2012123906.tif 000023
【図２２】
2012123906.tif 000024
【図２３】
2012123906.tif 000025
【図２４】
2012123906.tif 000026
【図２５】
2012123906.tif 000027
【図２６】
2012123906.tif 000028
【図２７】
2012123906.tif 000029
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
第１ＬＥＤ光源（１ａ）の光軸（１ａ’）と第２ＬＥＤ光源（１ｂ）の光軸（１ｂ’）と第３ＬＥＤ光源（１ｃ）の光軸（１ｃ’）とが平行になるように、第１ＬＥＤ光源（１ａ）、第２ＬＥＤ光源（１ｂ）および第３ＬＥＤ光源（１ｃ）を配置し、
第１ＬＥＤ光源（１ａ）からの光を導光する第１導光レンズ（２ａ）と、第２ＬＥＤ光源（１ｂ）からの光を導光する第２導光レンズ（２ｂ）と第３ＬＥＤ光源（１ｃ）からの光を導光する第２導光レンズ（２ｃ）とを設けたＬＥＤ照明装置（１００）において、
第１ＬＥＤ光源（１ａ）の光軸（１ａ’）を含む第１導光レンズ（２ａ）の長手方向の断面形状が概略Ｖ字状になるように、第１導光レンズ（２ａ）を形成し、
第１ＬＥＤ光源（１ａ）の光軸（１ａ’）を含む下層部（２ａ−１）と、第１導光レンズ（２ａ）の長手方向の一方の側の第１上層部（２ａ−２）と、下層部（２ａ−１）と第１上層部（２ａ−２）とを接続する第１接続部（２ａ−３）と、第１導光レンズ（２ａ）の長手方向の他方の側の第２上層部（２ａ−４）と、下層部（２ａ−１）と第２上層部（２ａ−４）とを接続する第２接続部（２ａ−５）とに第１導光レンズ（２ａ）を仮想分割し、
第１ＬＥＤ光源（１ａ）の光軸（１ａ’）と第１の角度（θｄ）をなして第１ＬＥＤ光源（１ａ）から照射された光を透過させて第１ＬＥＤ光源（１ａ）の光軸（１ａ’）に概略平行な光にする第１入射面（２ａ１）を第１導光レンズ（２ａ）の下層部（２ａ−１）に形成し、
第１ＬＥＤ光源（１ａ）の光軸（１ａ’）を中心に曲線（ａｂ）を回転させることにより得られる回転面によって第１導光レンズ（２ａ）の第１入射面（２ａ１）を構成し、
第１ＬＥＤ光源（１ａ）の光軸（１ａ’）と第１の角度（θｄ）より大きい第２の角度（θｈ）をなして第１ＬＥＤ光源（１ａ）から照射された光が入射する第２入射面（２ａ２）を第１導光レンズ（２ａ）の下層部（２ａ−１）に形成し、
第１ＬＥＤ光源（１ａ）の光軸（１ａ’）を中心に曲線または直線（ｂｃ）を回転させることにより得られる回転面によって第１導光レンズ（２ａ）の第２入射面（２ａ２）を構成し、
第１ＬＥＤ光源（１ａ）から照射され、第１導光レンズ（２ａ）の第２入射面（２ａ２）を透過した光を反射して第１ＬＥＤ光源（１ａ）の光軸（１ａ’）に概略平行な光にする第１反射面（２ａ３）を第１導光レンズ（２ａ）の下層部（２ａ−１）に形成し、
第１ＬＥＤ光源（１ａ）の光軸（１ａ’）を中心に直線または曲線（ｃｄ）を回転させることにより得られる回転面によって第１導光レンズ（２ａ）の第１反射面（２ａ３）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の一方の側に進む光にする第２反射面（２ａ４）を第１導光レンズ（２ａ）の下層部（２ａ−１）に形成し、
第１ＬＥＤ光源（１ａ）の光軸（１ａ’）と４５°をなす平面によって第１導光レンズ（２ａ）の第２反射面（２ａ４）を構成し、
第１ＬＥＤ光源（１ａ）から照射され、第１導光レンズ（２ａ）の第１入射面（２ａ１）を透過し、第１導光レンズ（２ａ）の第２反射面（２ａ４）によって反射された光を反射して、第１ＬＥＤ光源（１ａ）の光軸（１ａ’）に概略平行な光にする第３反射面（２ａ５ｄ）を第１導光レンズ（２ａ）の第１接続部（２ａ−３）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第３反射面（２ａ５ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第２反射面（２ａ４）によって反射された光を反射して、第１ＬＥＤ光源（１ａ）の光軸（１ａ’）に概略平行な光にする第４反射面（２ａ５ｈ）を第１導光レンズ（２ａ）の第１上層部（２ａ−２）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第４反射面（２ａ５ｈ）を構成し、
第１導光レンズ（２ａ）の第３反射面（２ａ５ｄ）からの光および第１導光レンズ（２ａ）の第４反射面（２ａ５ｈ）からの光を透過させてＬＥＤ照明装置（１００）の照射方向に照射する第１出射面（２ａ７）を第１導光レンズ（２ａ）の第１接続部（２ａ−３）および第１上層部（２ａ−２）に形成し、
第１導光レンズ（２ａ）の第２反射面（２ａ４）と第３反射面（２ａ５ｄ）と第１出射面（２ａ７）とを接続する第１端面（２ａ１３）を、第１導光レンズ（２ａ）の少なくとも下層部（２ａ−１）および第１接続部（２ａ−３）の短手方向の一方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第１端面（２ａ１３）を構成し、
第１導光レンズ（２ａ）の第４反射面（２ａ５ｈ）と第１出射面（２ａ７）とを接続する第２端面（２ａ１４）を第１導光レンズ（２ａ）の少なくとも第１上層部（２ａ−２）の短手方向の一方の側に形成し、
第１ＬＥＤ光源（１ａ）の光軸（１ａ’）と４５°をなす平面であって、第１導光レンズ（２ａ）の第１端面（２ａ１３）と４５°をなす平面によって第１導光レンズ（２ａ）の第２端面（２ａ１４）を構成し、
第１導光レンズ（２ａ）の第２反射面（２ａ４）と第３反射面（２ａ５ｄ）と第１出射面（２ａ７）とを接続する第３端面（２ａ１９）を、第１導光レンズ（２ａ）の少なくとも下層部（２ａ−１）および第１接続部（２ａ−３）の短手方向の他方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第３端面（２ａ１９）を構成し、
第１導光レンズ（２ａ）の第４反射面（２ａ５ｈ）と第１出射面（２ａ７）とを接続する第４端面（２ａ２０）を第１導光レンズ（２ａ）の少なくとも第１上層部（２ａ−２）の短手方向の他方の側に形成し、
第１ＬＥＤ光源（１ａ）の光軸（１ａ’）と４５°をなす平面であって、第１導光レンズ（２ａ）の第３端面（２ａ１９）と４５°をなす平面によって第１導光レンズ（２ａ）の第４端面（２ａ２０）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の他方の側に進む光にする第５反射面（２ａ８）を第１導光レンズ（２ａ）の下層部（２ａ−１）に形成し、
第１ＬＥＤ光源（１ａ）の光軸（１ａ’）と４５°をなす平面であって、第１導光レンズ（２ａ）の第２反射面（２ａ４）に垂直な平面によって第１導光レンズ（２ａ）の第５反射面（２ａ８）を構成し、
第１ＬＥＤ光源（１ａ）から照射され、第１導光レンズ（２ａ）の第１入射面（２ａ１）を透過し、第１導光レンズ（２ａ）の第５反射面（２ａ８）によって反射された光を反射して、第１ＬＥＤ光源（１ａ）の光軸（１ａ’）に概略平行な光にする第６反射面（２ａ９ｄ）を第１導光レンズ（２ａ）の第２接続部（２ａ−５）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第６反射面（２ａ９ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第５反射面（２ａ８）によって反射された光を反射して、第１ＬＥＤ光源（１ａ）の光軸（１ａ’）に概略平行な光にする第７反射面（２ａ９ｈ）を第１導光レンズ（２ａ）の第２上層部（２ａ−４）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第７反射面（２ａ９ｈ）を構成し、
第１導光レンズ（２ａ）の第６反射面（２ａ９ｄ）からの光および第１導光レンズ（２ａ）の第７反射面（２ａ９ｈ）からの光を透過させてＬＥＤ照明装置（１００）の照射方向に照射する第２出射面（２ａ１１）を第１導光レンズ（２ａ）の第２接続部（２ａ−５）および第２上層部（２ａ−４）に形成し、
第１導光レンズ（２ａ）の第５反射面（２ａ８）と第６反射面（２ａ９ｄ）と第２出射面（２ａ１１）とを接続する第５端面（２ａ１６）を、第１導光レンズ（２ａ）の少なくとも下層部（２ａ−１）および第２接続部（２ａ−５）の短手方向の一方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第５端面（２ａ１６）を構成し、
第１導光レンズ（２ａ）の第７反射面（２ａ９ｈ）と第２出射面（２ａ１１）とを接続する第６端面（２ａ１７）を第１導光レンズ（２ａ）の少なくとも第２上層部（２ａ−４）の短手方向の一方の側に形成し、
第１ＬＥＤ光源（１ａ）の光軸（１ａ’）と４５°をなす平面であって、第１導光レンズ（２ａ）の第５端面（２ａ１６）と４５°をなす平面によって第１導光レンズ（２ａ）の第６端面（２ａ１７）を構成し、
第１導光レンズ（２ａ）の第５反射面（２ａ８）と第６反射面（２ａ９ｄ）と第２出射面（２ａ１１）とを接続する第７端面（２ａ２２）を、第１導光レンズ（２ａ）の少なくとも下層部（２ａ−１）および第２接続部（２ａ−５）の短手方向の他方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第７端面（２ａ２２）を構成し、
第１導光レンズ（２ａ）の第７反射面（２ａ９ｈ）と第２出射面（２ａ１１）とを接続する第８端面（２ａ２３）を第１導光レンズ（２ａ）の少なくとも第２上層部（２ａ−４）の短手方向の他方の側に形成し、
第１ＬＥＤ光源（１ａ）の光軸（１ａ’）と４５°をなす平面であって、第１導光レンズ（２ａ）の第７端面（２ａ２２）と４５°をなす平面によって第１導光レンズ（２ａ）の第８端面（２ａ２３）を構成し、
第１導光レンズ（２ａ）と第２導光レンズ（２ｂ）と第３導光レンズ（２ｃ）とを同一形状に形成し、
第１導光レンズ（２ａ）の第２反射面（２ａ４）と第２導光レンズ（２ｂ）の第２端面（２ｂ１４）とが対向し、かつ、第１導光レンズ（２ａ）の第５反射面（２ａ８）と第２導光レンズ（２ｂ）の第４端面（２ｂ２０）とが対向するように、第１導光レンズ（２ａ）の下層部（２ａ−１）のうち、第１導光レンズ（２ａ）の短手方向の一方の側の部分（２ａ−１ａ）を、第２導光レンズ（２ｂ）の第１上層部（２ｂ−２）によって被覆し、
第１導光レンズ（２ａ）の第２反射面（２ａ４）と第３導光レンズ（２ｃ）の第６端面（２ｃ１７）とが対向し、かつ、第１導光レンズ（２ａ）の第５反射面（２ａ８）と第３導光レンズ（２ｃ）の第８端面（２ｃ２３）とが対向するように、第１導光レンズ（２ａ）の下層部（２ａ−１）のうち、第１導光レンズ（２ａ）の短手方向の他方の側の部分（２ａ−１ｂ）を、第３導光レンズ（２ｃ）の第２上層部（２ｃ−４）によって被覆し、
ＬＥＤ照明装置（１００）の照射方向から第１導光レンズ（２ａ）、第２導光レンズ（２ｂ）および第３導光レンズ（２ｃ）を見た時に、少なくとも第１導光レンズ（２ａ）の第３反射面（２ａ５ｄ）からの光および第１導光レンズ（２ａ）の第４反射面（２ａ５ｈ）からの光によって、第１導光レンズ（２ａ）の第１出射面（２ａ７）が光って見え、かつ、少なくとも第１導光レンズ（２ａ）の第６反射面（２ａ９ｄ）からの光および第１導光レンズ（２ａ）の第７反射面（２ａ９ｈ）からの光によって、第１導光レンズ（２ａ）の第２出射面（２ａ１１）が光って見え、かつ、少なくとも第２導光レンズ（２ｂ）の第４反射面（２ｂ５ｈ）からの光によって、第２導光レンズ（２ｂ）の第１出射面（２ｂ７）のうちの第１上層部（２ｂ−２）の部分が光って見え、かつ、少なくとも第３導光レンズ（２ｃ）の第７反射面（２ｃ９ｈ）からの光によって、第３導光レンズ（２ｃ）の第２出射面（２ｃ１１）のうちの第２上層部（２ｃ−４）の部分が光って見え、
第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、
第１ＬＥＤ光源（１ａ）と第１導光レンズ（２ａ）の第１出射面（２ａ７）との第１ＬＥＤ光源（１ａ）の光軸（１ａ’）方向の間隔（Ｓａ１）と、
第１ＬＥＤ光源（１ａ）と第１導光レンズ（２ａ）の第２出射面（２ａ１１）との第１ＬＥＤ光源（１ａ）の光軸（１ａ’）方向の間隔（Ｓａ２）と、
第１ＬＥＤ光源（１ａ）と第２導光レンズ（２ｂ）の第１出射面（２ｂ７）との第１ＬＥＤ光源（１ａ）の光軸（１ａ’）方向の間隔（Ｓｂ１）と、
第１ＬＥＤ光源（１ａ）と第３導光レンズ（２ｃ）の第２出射面（２ｃ１１）との第１ＬＥＤ光源（１ａ）の光軸（１ａ’）方向の間隔（Ｓｃ２）とを等しくしたことを特徴とするＬＥＤ照明装置（１００）。
【請求項２】
第１導光レンズ（２ａ）の第１端面（２ａ１３）と第２端面（２ａ１４）とを、第１ＬＥＤ光源（１ａ）の光軸（１ａ’）と角度をなす概略楔状の第９端面（２ａ１５）によって接続し、
第１導光レンズ（２ａ）の第３端面（２ａ１９）と第４端面（２ａ２０）とを、第１ＬＥＤ光源（１ａ）の光軸（１ａ’）と角度をなす概略楔状の第１０端面（２ａ２１）によって接続し、
第１導光レンズ（２ａ）の第５端面（２ａ１６）と第６端面（２ａ１７）とを、第１ＬＥＤ光源（１ａ）の光軸（１ａ’）と角度をなす概略楔状の第１１端面（２ａ１８）によって接続し、
第１導光レンズ（２ａ）の第７端面（２ａ２２）と第８端面（２ａ２３）とを、第１ＬＥＤ光源（１ａ）の光軸（１ａ’）と角度をなす概略楔状の第１２端面（２ａ２４）によって接続したことを特徴とする請求項１に記載のＬＥＤ照明装置（１００）。
【請求項３】
第１色の光を照射するＬＥＤ光源を第１ＬＥＤ光源（１ａ）として用い、
第１色とは異なる第２色の光を照射するＬＥＤ光源を第２ＬＥＤ光源（１ｂ）および第３ＬＥＤ光源（１ｃ）として用い、
ＬＥＤ照明装置（１００）の照射方向から第１導光レンズ（２ａ）、第２導光レンズ（２ｂ）および第３導光レンズ（２ｃ）を見た時に、
少なくとも第１導光レンズ（２ａ）の第３反射面（２ａ５ｄ）からの第１色の光および第１導光レンズ（２ａ）の第４反射面（２ａ５ｈ）からの第１色の光によって、第１導光レンズ（２ａ）の第１出射面（２ａ７）が第１色に光って見え、
少なくとも第１導光レンズ（２ａ）の第６反射面（２ａ９ｄ）からの第１色の光および第１導光レンズ（２ａ）の第７反射面（２ａ９ｈ）からの第１色の光によって、第１導光レンズ（２ａ）の第２出射面（２ａ１１）が第１色に光って見え、
少なくとも第２導光レンズ（２ｂ）の第３反射面（２ｂ５ｄ）からの第２色の光および第２導光レンズ（２ｂ）の第４反射面（２ｂ５ｈ）からの第２色の光によって、第２導光レンズ（２ｂ）の第１出射面（２ｂ７）が第２色に光って見え、
少なくとも第３導光レンズ（２ｃ）の第６反射面（２ｃ９ｄ）からの第２色の光および第３導光レンズ（２ｃ）の第７反射面（２ｃ９ｈ）からの第２色の光によって、第３導光レンズ（２ｃ）の第２出射面（２ｃ１１）が第２色に光って見えることを特徴とする請求項１又は２に記載のＬＥＤ照明装置（１００）。
【手続補正２】
【補正対象書類名】明細書
【補正対象項目名】００１２
【補正方法】変更
【補正の内容】
【００１２】
請求項１に記載の発明によれば、第１ＬＥＤ光源（１ａ）の光軸（１ａ’）と第２ＬＥＤ光源（１ｂ）の光軸（１ｂ’）と第３ＬＥＤ光源（１ｃ）の光軸（１ｃ’）とが平行になるように、第１ＬＥＤ光源（１ａ）、第２ＬＥＤ光源（１ｂ）および第３ＬＥＤ光源（１ｃ）を配置し、
第１ＬＥＤ光源（１ａ）からの光を導光する第１導光レンズ（２ａ）と、第２ＬＥＤ光源（１ｂ）からの光を導光する第２導光レンズ（２ｂ）と第３ＬＥＤ光源（１ｃ）からの光を導光する第２導光レンズ（２ｃ）とを設けたＬＥＤ照明装置（１００）において、
第１ＬＥＤ光源（１ａ）の光軸（１ａ’）を含む第１導光レンズ（２ａ）の長手方向の断面形状が概略Ｖ字状になるように、第１導光レンズ（２ａ）を形成し、
第１ＬＥＤ光源（１ａ）の光軸（１ａ’）を含む下層部（２ａ−１）と、第１導光レンズ（２ａ）の長手方向の一方の側の第１上層部（２ａ−２）と、下層部（２ａ−１）と第１上層部（２ａ−２）とを接続する第１接続部（２ａ−３）と、第１導光レンズ（２ａ）の長手方向の他方の側の第２上層部（２ａ−４）と、下層部（２ａ−１）と第２上層部（２ａ−４）とを接続する第２接続部（２ａ−５）とに第１導光レンズ（２ａ）を仮想分割し、
第１ＬＥＤ光源（１ａ）の光軸（１ａ’）と第１の角度（θｄ）をなして第１ＬＥＤ光源（１ａ）から照射された光を透過させて第１ＬＥＤ光源（１ａ）の光軸（１ａ’）に概略平行な光にする第１入射面（２ａ１）を第１導光レンズ（２ａ）の下層部（２ａ−１）に形成し、
第１ＬＥＤ光源（１ａ）の光軸（１ａ’）を中心に曲線（ａｂ）を回転させることにより得られる回転面によって第１導光レンズ（２ａ）の第１入射面（２ａ１）を構成し、
第１ＬＥＤ光源（１ａ）の光軸（１ａ’）と第１の角度（θｄ）より大きい第２の角度（θｈ）をなして第１ＬＥＤ光源（１ａ）から照射された光が入射する第２入射面（２ａ２）を第１導光レンズ（２ａ）の下層部（２ａ−１）に形成し、
第１ＬＥＤ光源（１ａ）の光軸（１ａ’）を中心に曲線または直線（ｂｃ）を回転させることにより得られる回転面によって第１導光レンズ（２ａ）の第２入射面（２ａ２）を構成し、
第１ＬＥＤ光源（１ａ）から照射され、第１導光レンズ（２ａ）の第２入射面（２ａ２）を透過した光を反射して第１ＬＥＤ光源（１ａ）の光軸（１ａ’）に概略平行な光にする第１反射面（２ａ３）を第１導光レンズ（２ａ）の下層部（２ａ−１）に形成し、
第１ＬＥＤ光源（１ａ）の光軸（１ａ’）を中心に直線または曲線（ｃｄ）を回転させることにより得られる回転面によって第１導光レンズ（２ａ）の第１反射面（２ａ３）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の一方の側に進む光にする第２反射面（２ａ４）を第１導光レンズ（２ａ）の下層部（２ａ−１）に形成し、
第１ＬＥＤ光源（１ａ）の光軸（１ａ’）と４５°をなす平面によって第１導光レンズ（２ａ）の第２反射面（２ａ４）を構成し、
第１ＬＥＤ光源（１ａ）から照射され、第１導光レンズ（２ａ）の第１入射面（２ａ１）を透過し、第１導光レンズ（２ａ）の第２反射面（２ａ４）によって反射された光を反射して、第１ＬＥＤ光源（１ａ）の光軸（１ａ’）に概略平行な光にする第３反射面（２ａ５ｄ）を第１導光レンズ（２ａ）の第１接続部（２ａ−３）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第３反射面（２ａ５ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第２反射面（２ａ４）によって反射された光を反射して、第１ＬＥＤ光源（１ａ）の光軸（１ａ’）に概略平行な光にする第４反射面（２ａ５ｈ）を第１導光レンズ（２ａ）の第１上層部（２ａ−２）に形成し、
第１ＬＥＤ光源（１ａ）の光軸（１ａ’）と４５°をなす平面であって、第１導光レンズ（２ａ）の第２反射面（２ａ４）に平行な平面によって第１導光レンズ（２ａ）の第４反射面（２ａ５ｈ）を構成し、
第１導光レンズ（２ａ）の第３反射面（２ａ５ｄ）からの光および第１導光レンズ（２ａ）の第４反射面（２ａ５ｈ）からの光を透過させてＬＥＤ照明装置（１００）の照射方向に照射する第１出射面（２ａ７）を第１導光レンズ（２ａ）の第１接続部（２ａ−３）および第１上層部（２ａ−２）に形成し、
第１導光レンズ（２ａ）の第２反射面（２ａ４）と第３反射面（２ａ５ｄ）と第１出射面（２ａ７）とを接続する第１端面（２ａ１３）を、第１導光レンズ（２ａ）の少なくとも下層部（２ａ−１）および第１接続部（２ａ−３）の短手方向の一方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第１端面（２ａ１３）を構成し、
第１導光レンズ（２ａ）の第４反射面（２ａ５ｈ）と第１出射面（２ａ７）とを接続する第２端面（２ａ１４）を第１導光レンズ（２ａ）の少なくとも第１上層部（２ａ−２）の短手方向の一方の側に形成し、
第１ＬＥＤ光源（１ａ）の光軸（１ａ’）と４５°をなす平面であって、第１導光レンズ（２ａ）の第１端面（２ａ１３）と４５°をなす平面によって第１導光レンズ（２ａ）の第２端面（２ａ１４）を構成し、
第１導光レンズ（２ａ）の第２反射面（２ａ４）と第３反射面（２ａ５ｄ）と第１出射面（２ａ７）とを接続する第３端面（２ａ１９）を、第１導光レンズ（２ａ）の少なくとも下層部（２ａ−１）および第１接続部（２ａ−３）の短手方向の他方の側に形成し、
第１ＬＥＤ光源（１ａ）の光軸（１ａ’）に平行な平面であって、第１導光レンズ（２ａ）の第２反射面（２ａ４）に垂直な平面によって第１導光レンズ（２ａ）の第３端面（２ａ１９）を構成し、
第１導光レンズ（２ａ）の第４反射面（２ａ５ｈ）と第１出射面（２ａ７）とを接続する第４端面（２ａ２０）を第１導光レンズ（２ａ）の少なくとも第１上層部（２ａ−２）の短手方向の他方の側に形成し、
第１ＬＥＤ光源（１ａ）の光軸（１ａ’）と４５°をなす平面であって、第１導光レンズ（２ａ）の第３端面（２ａ１９）と４５°をなす平面によって第１導光レンズ（２ａ）の第４端面（２ａ２０）を構成し、
第１ＬＥＤ光源（１ａ）から照射され、第１導光レンズ（２ａ）の第１入射面（２ａ１）を透過した光、および、第１ＬＥＤ光源（１ａ）から照射され、第１導光レンズ（２ａ）の第２入射面（２ａ２）を透過し、第１導光レンズ（２ａ）の第１反射面（２ａ３）によって反射された光を反射して、第１ＬＥＤ光源（１ａ）の光軸（１ａ’）に概略垂直な平面内を進む光であって、第１導光レンズ（２ａ）の長手方向の他方の側に進む光にする第５反射面（２ａ８）を第１導光レンズ（２ａ）の下層部（２ａ−１）に形成し、
第１ＬＥＤ光源（１ａ）の光軸（１ａ’）と４５°をなす平面であって、第１導光レンズ（２ａ）の第２反射面（２ａ４）に垂直な平面によって第１導光レンズ（２ａ）の第５反射面（２ａ８）を構成し、
第１ＬＥＤ光源（１ａ）から照射され、第１導光レンズ（２ａ）の第１入射面（２ａ１）を透過し、第１導光レンズ（２ａ）の第５反射面（２ａ８）によって反射された光を反射して、第１ＬＥＤ光源（１ａ）の光軸（１ａ’）に概略平行な光にする第６反射面（２ａ９ｄ）を第１導光レンズ（２ａ）の第２接続部（２ａ−５）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第６反射面（２ａ９ｄ）を構成し、
第１ＬＥＤ光源（１ａ）から照射され、第１導光レンズ（２ａ）の第２入射面（２ａ２）を透過し、第１導光レンズ（２ａ）の第１反射面（２ａ３）によって反射され、第１導光レンズ（２ａ）の第５反射面（２ａ８）によって反射された光を反射して、第１ＬＥＤ光源（１ａ）の光軸（１ａ’）に概略平行な光にする第７反射面（２ａ９ｈ）を第１導光レンズ（２ａ）の第２上層部（２ａ−４）に形成し、
第１ＬＥＤ光源（１ａ）の光軸（１ａ’）と４５°をなす平面であって、第１導光レンズ（２ａ）の第５反射面（２ａ８）に平行な平面によって第１導光レンズ（２ａ）の第７反射面（２ａ９ｈ）を構成し、
第１導光レンズ（２ａ）の第６反射面（２ａ９ｄ）からの光および第１導光レンズ（２ａ）の第７反射面（２ａ９ｈ）からの光を透過させてＬＥＤ照明装置（１００）の照射方向に照射する第２出射面（２ａ１１）を第１導光レンズ（２ａ）の第２接続部（２ａ−５）および第２上層部（２ａ−４）に形成し、
第１導光レンズ（２ａ）の第５反射面（２ａ８）と第６反射面（２ａ９ｄ）と第２出射面（２ａ１１）とを接続する第５端面（２ａ１６）を、第１導光レンズ（２ａ）の少なくとも下層部（２ａ−１）および第２接続部（２ａ−５）の短手方向の一方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第５端面（２ａ１６）を構成し、
第１導光レンズ（２ａ）の第７反射面（２ａ９ｈ）と第２出射面（２ａ１１）とを接続する第６端面（２ａ１７）を第１導光レンズ（２ａ）の少なくとも第２上層部（２ａ−４）の短手方向の一方の側に形成し、
第１ＬＥＤ光源（１ａ）の光軸（１ａ’）と４５°をなす平面であって、第１導光レンズ（２ａ）の第５端面（２ａ１６）と４５°をなす平面によって第１導光レンズ（２ａ）の第６端面（２ａ１７）を構成し、
第１導光レンズ（２ａ）の第５反射面（２ａ８）と第６反射面（２ａ９ｄ）と第２出射面（２ａ１１）とを接続する第７端面（２ａ２２）を、第１導光レンズ（２ａ）の少なくとも下層部（２ａ−１）および第２接続部（２ａ−５）の短手方向の他方の側に形成し、
第１ＬＥＤ光源（１ａ）の光軸（１ａ’）に平行な平面であって、第１導光レンズ（２ａ）の第５反射面（２ａ８）に垂直な平面によって第１導光レンズ（２ａ）の第７端面（２ａ２２）を構成し、
第１導光レンズ（２ａ）の第７反射面（２ａ９ｈ）と第２出射面（２ａ１１）とを接続する第８端面（２ａ２３）を第１導光レンズ（２ａ）の少なくとも第２上層部（２ａ−４）の短手方向の他方の側に形成し、
第１ＬＥＤ光源（１ａ）の光軸（１ａ’）と４５°をなす平面であって、第１導光レンズ（２ａ）の第７端面（２ａ２２）と４５°をなす平面によって第１導光レンズ（２ａ）の第８端面（２ａ２３）を構成し、
第１導光レンズ（２ａ）と第２導光レンズ（２ｂ）と第３導光レンズ（２ｃ）とを同一形状に形成し、
第１導光レンズ（２ａ）の第２反射面（２ａ４）と第２導光レンズ（２ｂ）の第２端面（２ｂ１４）とが対向し、かつ、第１導光レンズ（２ａ）の第５反射面（２ａ８）と第２導光レンズ（２ｂ）の第４端面（２ｂ２０）とが対向するように、第１導光レンズ（２ａ）の下層部（２ａ−１）のうち、第１導光レンズ（２ａ）の短手方向の一方の側の部分（２ａ−１ａ）を、第２導光レンズ（２ｂ）の第１上層部（２ｂ−２）によって被覆し、
第１導光レンズ（２ａ）の第２反射面（２ａ４）と第３導光レンズ（２ｃ）の第６端面（２ｃ１７）とが対向し、かつ、第１導光レンズ（２ａ）の第５反射面（２ａ８）と第３導光レンズ（２ｃ）の第８端面（２ｃ２３）とが対向するように、第１導光レンズ（２ａ）の下層部（２ａ−１）のうち、第１導光レンズ（２ａ）の短手方向の他方の側の部分（２ａ−１ｂ）を、第３導光レンズ（２ｃ）の第２上層部（２ｃ−４）によって被覆し、
ＬＥＤ照明装置（１００）の照射方向から第１導光レンズ（２ａ）、第２導光レンズ（２ｂ）および第３導光レンズ（２ｃ）を見た時に、少なくとも第１導光レンズ（２ａ）の第３反射面（２ａ５ｄ）からの光および第１導光レンズ（２ａ）の第４反射面（２ａ５ｈ）からの光によって、第１導光レンズ（２ａ）の第１出射面（２ａ７）が光って見え、かつ、少なくとも第１導光レンズ（２ａ）の第６反射面（２ａ９ｄ）からの光および第１導光レンズ（２ａ）の第７反射面（２ａ９ｈ）からの光によって、第１導光レンズ（２ａ）の第２出射面（２ａ１１）が光って見え、かつ、少なくとも第２導光レンズ（２ｂ）の第４反射面（２ｂ５ｈ）からの光によって、第２導光レンズ（２ｂ）の第１出射面（２ｂ７）のうちの第１上層部（２ｂ−２）の部分が光って見え、かつ、少なくとも第３導光レンズ（２ｃ）の第７反射面（２ｃ９ｈ）からの光によって、第３導光レンズ（２ｃ）の第２出射面（２ｃ１１）のうちの第２上層部（２ｃ−４）の部分が光って見え、
第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、
第１ＬＥＤ光源（１ａ）と第１導光レンズ（２ａ）の第１出射面（２ａ７）との第１ＬＥＤ光源（１ａ）の光軸（１ａ’）方向の間隔（Ｓａ１）と、
第１ＬＥＤ光源（１ａ）と第１導光レンズ（２ａ）の第２出射面（２ａ１１）との第１ＬＥＤ光源（１ａ）の光軸（１ａ’）方向の間隔（Ｓａ２）と、
第１ＬＥＤ光源（１ａ）と第２導光レンズ（２ｂ）の第１出射面（２ｂ７）との第１ＬＥＤ光源（１ａ）の光軸（１ａ’）方向の間隔（Ｓｂ１）と、
第１ＬＥＤ光源（１ａ）と第３導光レンズ（２ｃ）の第２出射面（２ｃ１１）との第１ＬＥＤ光源（１ａ）の光軸（１ａ’）方向の間隔（Ｓｃ２）とを等しくしたことを特徴とするＬＥＤ照明装置（１００）が提供される。
【手続補正３】
【補正対象書類名】明細書
【補正対象項目名】００１３
【補正方法】変更
【補正の内容】
【００１３】
請求項２に記載の発明によれば、第１導光レンズ（２ａ）の第１端面（２ａ１３）と第２端面（２ａ１４）とを、第１ＬＥＤ光源（１ａ）の光軸（１ａ’）と角度をなす概略楔状の第９端面（２ａ１５）によって接続し、
第１導光レンズ（２ａ）の第３端面（２ａ１９）と第４端面（２ａ２０）とを、第１ＬＥＤ光源（１ａ）の光軸（１ａ’）と角度をなす概略楔状の第１０端面（２ａ２１）によって接続し、
第１導光レンズ（２ａ）の第５端面（２ａ１６）と第６端面（２ａ１７）とを、第１ＬＥＤ光源（１ａ）の光軸（１ａ’）と角度をなす概略楔状の第１１端面（２ａ１８）によって接続し、
第１導光レンズ（２ａ）の第７端面（２ａ２２）と第８端面（２ａ２３）とを、第１ＬＥＤ光源（１ａ）の光軸（１ａ’）と角度をなす概略楔状の第１２端面（２ａ２４）によって接続したことを特徴とする請求項１に記載のＬＥＤ照明装置（１００）が提供される。
【手続補正４】
【補正対象書類名】明細書
【補正対象項目名】００４２
【補正方法】変更
【補正の内容】
【００４２】
詳細には、請求項１に記載のＬＥＤ照明装置（１００）では、第１導光レンズ（２ａ）の第２反射面（２ａ４）と第２導光レンズ（２ｂ）の第２端面（２ｂ１４）とが相補形状になり、かつ、第１導光レンズ（２ａ）の第５反射面（２ａ８）と第２導光レンズ（２ｂ）の第４端面（２ｂ２０）とが相補形状になり、かつ、第１導光レンズ（２ａ）の第２反射面（２ａ４）と第３導光レンズ（２ｃ）の第６端面（２ｃ１７）とが相補形状になり、かつ、第１導光レンズ（２ａ）の第５反射面（２ａ８）と第３導光レンズ（２ｃ）の第８端面（２ｃ２３）とが相補形状になるように、第１導光レンズ（２ａ）、第２導光レンズ（２ｂ）および第３導光レンズ（２ｃ）を形成することにより、第１ＬＥＤ光源（１ａ）と第１導光レンズ（２ａ）の第１出射面（２ａ７）との第１ＬＥＤ光源（１ａ）の光軸（１ａ’）方向の間隔（Ｓａ１）と、第１ＬＥＤ光源（１ａ）と第１導光レンズ（２ａ）の第２出射面（２ａ１１）との第１ＬＥＤ光源（１ａ）の光軸（１ａ’）方向の間隔（Ｓａ２）と、第１ＬＥＤ光源（１ａ）と第２導光レンズ（２ｂ）の第１出射面（２ｂ７）との第１ＬＥＤ光源（１ａ）の光軸（１ａ’）方向の間隔（Ｓｂ１）と、第１ＬＥＤ光源（１ａ）と第３導光レンズ（２ｃ）の第２出射面（２ｃ１１）との第１ＬＥＤ光源（１ａ）の光軸（１ａ’）方向の間隔（Ｓｃ２）とが等しくされている。
【手続補正５】
【補正対象書類名】明細書
【補正対象項目名】００４７
【補正方法】変更
【補正の内容】
【００４７】
更に、請求項２に記載のＬＥＤ照明装置（１００）では、第１導光レンズ（２ａ）の第７端面（２ａ２２）と第８端面（２ａ２３）とが、第１ＬＥＤ光源（１ａ）の光軸（１ａ’）と角度をなす概略楔状の第１２端面（２ａ２４）によって接続されている。そのため、請求項２に記載のＬＥＤ照明装置（１００）によれば、第１導光レンズ（２ａ）の第７端面（２ａ２２）と第８端面（２ａ２３）とが、第１ＬＥＤ光源（１ａ）の光軸（１ａ’）に平行な平面であって、第１導光レンズ（２ａ）の長手方向に垂直な平面によって接続されている場合よりも、第１導光レンズ（２ａ）の第２出射面（２ａ１１）からＬＥＤ照明装置（１００）の照射方向に照射されることなく、第１導光レンズ（２ａ）から漏れ出てしまう光の割合を低減することができる。
【手続補正６】
【補正対象書類名】明細書
【補正対象項目名】００９２
【補正方法】変更
【補正の内容】
【００９２】
また、第１の実施形態のＬＥＤ照明装置１００では、図１４および図１５に示すように、ＬＥＤ光源１ａから照射され、導光レンズ２ａの入射面２ａ１を透過し、導光レンズ２ａの反射面２ａ８によって反射された光を反射して、ＬＥＤ光源１ａの光軸１ａ’に概略平行な光にする反射面２ａ９ａ，２ａ９ｂ，２ａ９ｃ，２ａ９ｄ，２ａ９ｅが導光レンズ２ａの接続部２ａ−５（図３および図５参照）に形成されている。更に、ＬＥＤ光源１ａの光軸１ａ’と４５°をなす平面であって、導光レンズ２ａの反射面２ａ８に平行な平面によって導光レンズ２ａの反射面２ａ９ａ，２ａ９ｂ，２ａ９ｃ，２ａ９ｄ，２ａ９ｅ（図４（Ａ）参照）が構成されている。
【手続補正７】
【補正対象書類名】明細書
【補正対象項目名】０１４０
【補正方法】変更
【補正の内容】
【０１４０】
また、第１の実施形態のＬＥＤ照明装置１００では、図１８および図１９に示すように、ＬＥＤ光源１ｂから照射され、導光レンズ２ｂの入射面２ｂ１を透過し、導光レンズ２ｂの反射面２ｂ８によって反射された光を反射して、ＬＥＤ光源１ｂの光軸１ｂ’に概略平行な光にする反射面２ｂ９ａ，２ｂ９ｂ，２ｂ９ｃ，２ｂ９ｄ，２ｂ９ｅが導光レンズ２ｂの接続部２ｂ−５（図６および図８参照）に形成されている。更に、ＬＥＤ光源１ｂの光軸１ｂ’と４５°をなす平面であって、導光レンズ２ｂの反射面２ｂ８に平行な平面によって導光レンズ２ｂの反射面２ｂ９ａ，２ｂ９ｂ，２ｂ９ｃ，２ｂ９ｄ，２ｂ９ｅ（図８（Ａ）参照）が構成されている。
【手続補正８】
【補正対象書類名】明細書
【補正対象項目名】０１８７
【補正方法】変更
【補正の内容】
【０１８７】
また、第１の実施形態のＬＥＤ照明装置１００では、図２２および図２３に示すように、ＬＥＤ光源１ｃから照射され、導光レンズ２ｃの入射面２ｃ１を透過し、導光レンズ２ｃの反射面２ｃ８によって反射された光を反射して、ＬＥＤ光源１ｃの光軸１ｃ’に概略平行な光にする反射面２ｃ９ａ，２ｃ９ｂ，２ｃ９ｃ，２ｃ９ｄ，２ｃ９ｅが導光レンズ２ｃの接続部２ｃ−５（図９および図１１参照）に形成されている。更に、ＬＥＤ光源１ｃの光軸１ｃ’と４５°をなす平面であって、導光レンズ２ｃの反射面２ｃ８に平行な平面によって導光レンズ２ｃの反射面２ｃ９ａ，２ｃ９ｂ，２ｃ９ｃ，２ｃ９ｄ，２ｃ９ｅ（図１１（Ａ）参照）が構成されている。
【手続補正９】
【補正対象書類名】明細書
【補正対象項目名】０２１２
【補正方法】変更
【補正の内容】
【０２１２】
詳細には、第１の実施形態のＬＥＤ照明装置１００では、導光レンズ２ａの反射面２ａ４（図３（Ｂ）および図３（Ｄ）参照）と導光レンズ２ｂの端面２ｂ１４（図７（Ａ）参照）とが相補形状になり、かつ、導光レンズ２ａの反射面２ａ８（図３（Ｂ）および図３（Ｄ）参照）と導光レンズ２ｂの端面２ｂ２０（図７（Ａ）参照）とが相補形状になり、かつ、導光レンズ２ａの反射面２ａ４（図３（Ｂ）および図３（Ｄ）参照）と導光レンズ２ｃの端面２ｃ１７（図１０（Ｂ）参照）とが相補形状になり、かつ、導光レンズ２ａの反射面２ａ８（図３（Ｂ）および図３（Ｄ）参照）と導光レンズ２ｃの端面２ｃ２３（図１０（Ｂ）参照）とが相補形状になるように、導光レンズ２ａ，２ｂ，２ｃを形成することにより、ＬＥＤ光源１ａ（図１（Ｂ）および図１（Ｃ）参照）と導光レンズ２ａの出射面２ａ７（図１（Ｂ）および図１（Ｃ）参照）とのＬＥＤ光源１ａの光軸１ａ’の方向（図１（Ｂ）および図１（Ｃ）の上下方向）の間隔Ｓａ１（図１（Ｂ）および図１（Ｃ）参照）と、ＬＥＤ光源１ａと導光レンズ２ａの出射面２ａ１１（図１（Ｂ）および図１（Ｃ）参照）とのＬＥＤ光源１ａの光軸１ａの方向（図１（Ｂ）および図１（Ｃ）の上下方向）の間隔Ｓａ２（図１（Ｂ）および図１（Ｃ）参照）と、ＬＥＤ光源１ａと導光レンズ２ｂの出射面２ｂ７（図２参照）とのＬＥＤ光源１ａの光軸１ａ’の方向（図２の左右方向）の間隔Ｓｂ１（図２参照）と、ＬＥＤ光源１ａと導光レンズ２ｂの出射面２ｂ１１（図２参照）とのＬＥＤ光源１ａの光軸１ａ’の方向（図２の左右方向）の間隔Ｓｂ２（図２参照）と、ＬＥＤ光源１ａと導光レンズ２ｃの出射面２ｃ１１（図２参照）とのＬＥＤ光源１ａの光軸１ａ’の方向（図２の左右方向）の間隔Ｓｃ２（図２参照）と、ＬＥＤ光源１ａと導光レンズ２ｃの出射面２ｃ７（図２参照）とのＬＥＤ光源１ａの光軸１ａ’の方向（図２の左右方向）の間隔Ｓｃ１（図２参照）とが等しくされている。